(57)【要約】  下りアクセス方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いてデータの送信を行う基地局２と移動端末３とを含むＬＴＥの通信システムにおいて、Ａｃｋ／Ｎａｃｋ専用チャネルを用いてＡｃｋ／Ｎａｃｋ信号を送信しているときに、Ｓ−ＲＡＣＨを用いて上りスケジューリング要求信号ＳＲを送信する場合、上りスケジューリング要求信号ＳＲを送信している間、Ａｃｋ／Ｎａｃｋ信号の送信を停止する。
2008050467.tif 000002
【特許請求の範囲】
【請求項１】
下りアクセス方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いてデータの送信を行う基地局と、前記基地局から送信されたデータの受信結果に応じた応答信号を含む制御信号を前記基地局に送信するとともに、送信データを前記基地局に送信する前に、無線リソースの割り当てを要求するスケジューリング要求信号を前記基地局に送信する移動端末とを備えた通信システムで実行されるデータ通信方法において、前記移動端末は、前記移動端末から前記基地局に対する上り方向の上り制御チャネルを用いて、前記応答信号を前記基地局に送信する応答信号送信処理と、前記基地局に対する送信データが発生すると、前記上り制御チャネルと異なる物理チャネルを用いて、前記スケジューリング要求信号を前記基地局に送信するスケジューリング要求信号送信処理と、前記応答信号送信処理と前記スケジューリング要求信号送信処理の処理タイミングが重なる場合、前記スケジューリング要求信号を送信している期間、前記応答信号送信処理を停止させる制御処理とを実行することを特徴とするデータ通信方法。
【請求項２】
スケジューリング要求信号は、送信元の移動端末を識別する識別信号を含むプレアンブルと、前記移動端末が送信する送信データ量、前記送信データのＱｏＳ（Ｑｕａｌｉｔｙ  Ｏｆ  Ｓｅｒｖｉｃｅ）及び前記移動端末の送信電力余裕のうちの少なくとも１つを含むメッセージとから構成されていることを特徴とする請求項１記載のデータ通信方法。
【請求項３】
スケジューリング要求信号送信処理は、スケジューリング要求信号のプレアンブルとメッセージを分けて送信する分割送信処理、または、前記プレアンブルと前記メッセージを一括送信する一括送信処理を選択的に実施することを特徴とする請求項２記載のデータ通信方法。
【請求項４】
応答信号送信処理は、データシンボルが割り当てられている複数のデータブロックからなるサブフレームを複数含み、１送信時間区間当り、第一のサブフレームと第二のサブフレームを送信するものであって、前記第一のサブフレーム及び前記第二のサブフレームのデータブロックには、同じ配列でシンボルが割り当てられていることを特徴とする請求項１記載のデータ通信方法。
【請求項５】
応答信号送信処理は、サブフレームの先頭のデータブロックに優先度の低いシンボルを割り当てることを特徴とする請求項４記載のデータ通信方法。
【請求項６】
下りアクセス方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いてデータの送信を行う基地局と、前記基地局から送信されたデータの受信結果に応じた応答信号を含む制御信号を前記基地局に送信するとともに、送信データを前記基地局に送信する前に、無線リソースの割り当てを要求するスケジューリング要求信号を前記基地局に送信する移動端末とを備えた通信システムにおいて、前記移動端末は、前記移動端末から前記基地局に対する上り方向の上り制御チャネルを用いて、前記応答信号を前記基地局に送信するとともに、前記基地局に対する送信データが発生すると、前記上り制御チャネルと異なる物理チャネルを用いて、前記スケジューリング要求信号を前記基地局に送信する送信部と、前記送信部における前記応答信号の送信タイミングと前記スケジューリング要求信号の送信タイミングが重なる場合、前記スケジューリング要求信号を送信している期間、前記応答信号の送信処理を停止させる制御部とを実装していることを特徴とする通信システム。
【請求項７】
下りアクセス方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いてデータの送信を行う基地局と、送信データを前記基地局に送信する前に、無線リソースの割り当てを要求するスケジューリング要求信号を前記基地局に送信する移動端末とを備えた通信システムで実行されるデータ通信方法において、前記移動端末は、前記基地局に対する送信データが発生したときは、前記スケジューリング要求信号と前記応答信号を時分割多重して前記上り制御信号を作成又は前記スケジューリング要求信号から前記上り制御信号を作成する制御信号作成処理と、前記移動端末から前記基地局に対する上り方向の上り制御チャネルを用いて、前記制御信号作成処理により作成された前記上り制御信号を含む制御信号を前記基地局に送信する制御信号送信処理とを実行することを特徴とするデータ通信方法。
【請求項８】
移動端末は、制御信号作成処理により作成された制御信号がスケジューリング要求信号を含んでいない場合、第一のコードを用いて前記制御信号に対する符号化処理を実施し、前記制御信号が前記スケジューリング要求信号を含む場合、第二のコードを用いて前記制御信号に対する符号化処理を実施することを特徴とする請求項７記載のデータ通信方法。
【請求項９】
下りアクセス方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いてデータの送信を行う基地局と、前記基地局から送信されたデータの受信結果に応じた応答信号を含む制御信号を前記基地局に送信するとともに、スケジューリング要求信号を前記基地局に送信することにより、そのスケジューリング要求信号に応じて前記基地局により無線リソースが割り当てられると、上り共通チャネルを用いて個別データを送信する移動端末とを備えた通信システムで実行されるデータ通信方法において、前記移動端末は、第一のコードを用いて前記個別データを符号化する処理、または、前記基地局に対する送信データが発生すると、第二のコードを用いて前記スケジューリング要求信号を含む前記個別データを符号化する処理を選択的に実行するとともに、前記上り共通チャネルを用いて、符号化された前記個別データを送信する処理とを実行することを特徴とするデータ通信方法。
【請求項１０】
下りアクセス方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いてデータの送信を行う基地局と、前記基地局から送信されたデータの受信結果に応じた応答信号を含む制御信号を前記基地局に送信するとともに、送信データを前記基地局に送信する前に、無線リソースの割り当てを要求するスケジューリング要求信号を前記基地局に送信する移動端末とを備えた通信システムで実行されるデータ通信方法において、前記移動端末は、前記基地局に対する送信データが発生すると、少なくとも前記スケジューリング要求信号と前記応答信号を時分割多重して上り制御信号を作成する制御信号作成処理と、物理チャネルであるランダムアクセスチャネルを用いて、前記制御信号作成処理により作成された前記上り制御信号を含む制御信号を前記基地局に送信する制御信号送信処理とを実行することを特徴とするデータ通信方法。
【請求項１１】
下りアクセス方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いてデータの送信を行う基地局と、前記基地局から送信されたデータを受信するとともに、上りデータを前記基地局に送信する機能を有する移動端末とを備えた通信システムにおいて、前記基地局は、同期が確立されている状態で上りデータを送信していない移動端末に対して、上り通信品質測定用信号を送信する際に使用する移動端末識別情報を割り当てることを特徴とする通信システム。
【請求項１２】
下りアクセス方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いてデータの送信を行う基地局と、前記基地局から送信されたデータを受信するとともに、上りデータを前記基地局に送信する機能を有する移動端末とを備えた通信システムにおいて、前記基地局と同期が確立されている状態で上りデータを送信していない移動端末は、上り通信品質測定用信号を利用して、無線リソースの割り当てを要求するスケジューリング要求信号を前記基地局に送信することを特徴とする通信システム。
【請求項１３】
移動端末は、上り通信品質測定用信号を利用して、スケジューリング要求信号を基地局に送信してから、規定期間内に前記基地局により無線リソースの割り当てが行わていないと認識すると、再度、上り通信品質測定用信号を利用して、スケジューリング要求信号を基地局に送信することを特徴とする請求項１２記載の通信システム。
【請求項１４】
移動端末は、上り通信品質測定用信号を利用して、スケジューリング要求信号を基地局に送信してから、前記基地局により無線リソースの割り当てが行われるまでの間、上り通信品質測定用信号を利用して、継続的にスケジューリング要求信号を基地局に送信することを特徴とする請求項１２記載の通信システム。
【請求項１５】
移動端末は、基地局の指示の下、スケジューリング要求信号の送信に利用する上り通信品質測定用信号の送信周波数を設定することを特徴とする請求項１２記載の通信システム。
【請求項１６】
基地局は、上り通信品質測定用信号の送信周波数の設定を移動端末に指示する際、現在、帯域を割り当てている移動端末の台数を考慮して、上り通信品質測定用信号の送信周波数を決定することを特徴とする請求項１５記載の通信システム。
【請求項１７】
基地局は、上り通信品質測定用信号の送信周波数の設定を移動端末に指示する際、前記移動端末から報告される下り通信品質を考慮して、上り通信品質測定用信号の送信周波数を決定することを特徴とする請求項１５記載の通信システム。
【請求項１８】
移動端末は、上り通信品質測定用信号を利用して、スケジューリング要求信号を基地局に送信する際、前記上り通信品質測定用信号の送信周波数を決定することを特徴とする請求項１２記載の通信システム。
【請求項１９】
移動端末は、上り通信品質測定用信号の送信周波数を決定する際、下り通信品質を測定し、前記下り通信品質を考慮して、上り通信品質測定用信号の送信周波数を決定することを特徴とする請求項１８記載の通信システム。
【請求項２０】
下りアクセス方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いてデータの送信を行う基地局と、前記基地局から送信されたデータを受信するとともに、上りデータを前記基地局に送信する機能を有する移動端末とを備えた通信システムにおいて、前記基地局と同期が確立されている状態で上りデータを送信していない移動端末は、上りデータを基地局に送信していない期間中であっても上りタイミング同期用として送信する、上り通信品質測定用信号を利用して、無線リソースの割り当てを要求するスケジューリング要求信号を前記基地局に送信することを特徴とする通信システム。
【請求項２１】
移動端末は、上り通信品質測定用信号を利用して、スケジューリング要求信号を基地局に送信する際、前記上り通信品質測定用信号のシンボルパターンを、スケジューリング要求信号の送信に利用していないときの上り通信品質測定用信号のシンボルパターンと区別することを特徴とする請求項２０記載の通信システム。
【請求項２２】
移動端末は、上り通信品質測定用信号を基地局に送信する際、前記上り通信品質測定用信号のシンボルパターン内に、スケジューリング要求信号の有無を示すシンボルを挿入することを特徴とする請求項２０記載の通信システム。
【請求項２３】
移動端末は、上り通信品質測定用信号を利用して、スケジューリング要求信号を基地局に送信する際、上り通信品質測定用信号の送信用に割り当てられている移動端末識別情報と異なる移動端末識別情報を使用することを特徴とする請求項２０記載の通信システム。
【請求項２４】
移動端末は、上り通信品質測定用信号を利用して、スケジューリング要求信号を基地局に送信する際、前記上り通信品質測定用信号に対して、スケジューリング要求信号の送信に利用していないときの上り通信品質測定用信号に乗算するコードと異なるコードを乗算して送信することを特徴とする請求項２０記載の通信システム。
【請求項２５】
下りアクセス方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いてデータの送信を行う基地局と、前記基地局から送信されたデータを受信するとともに、上りデータを前記基地局に送信する機能を有する移動端末とを備えた通信システムにおいて、前記基地局と同期が確立されている状態で、上りデータを送信しておらず、かつ、前記基地局から送信されたデータの受信結果に応じた応答信号を送信する専用チャネルが割り当てられている移動端末は、上り通信品質測定用信号を利用して、無線リソースの割り当てを要求するスケジューリング要求信号を前記基地局に送信することを特徴とする通信システム。
【請求項２６】
下りアクセス方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いてデータの送信を行う基地局と、前記基地局から送信されたデータを受信するとともに、上りデータを前記基地局に送信する機能を有する移動端末とを備えた通信システムにおいて、前記基地局と同期が確立されている状態で、上りデータを送信しておらず、かつ、前記基地局から送信されたデータの受信結果に応じた応答信号を送信する専用チャネルが割り当てられている移動端末は、上りデータを基地局に送信していない期間中であっても上りタイミング同期用として送信する、上り通信品質測定用信号を利用して、無線リソースの割り当てを要求するスケジューリング要求信号を前記基地局に送信することを特徴とする通信システム。
【請求項２７】
下りアクセス方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いてデータの送信を行う基地局から送信されたデータを受信するとともに、上りデータを前記基地局に送信する機能を有する移動端末において、前記基地局と同期が確立されている状態で上りデータを送信していない場合、上り通信品質測定用信号を利用して、無線リソースの割り当てを要求するスケジューリング要求信号を前記基地局に送信することを特徴とする移動端末。
【請求項２８】
下りアクセス方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いてデータの送信を行う基地局から送信されたデータを受信するとともに、上りデータを前記基地局に送信する機能を有する移動端末において、前記基地局と同期が確立されている状態で上りデータを基地局に送信していない期間中上りタイミング同期用として送信する、上り通信品質測定用信号を利用して、無線リソースの割り当てを要求するスケジューリング要求信号を前記基地局に送信することを特徴とする移動端末。
【請求項２９】
下りアクセス方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いてデータの送信を行う基地局から送信されたデータを受信するとともに、上りデータを前記基地局に送信する機能を有する移動端末において、前記基地局と同期が確立されている状態で、上りデータを送信しておらず、かつ、前記基地局から送信されたデータの受信結果に応じた応答信号を送信する専用チャネルが割り当てられている場合、上り通信品質測定用信号を利用して、無線リソースの割り当てを要求するスケジューリング要求信号を前記基地局に送信することを特徴とする移動端末。
【請求項３０】
下りアクセス方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いてデータの送信を行う基地局から送信されたデータを受信するとともに、上りデータを前記基地局に送信する機能を有する移動端末において、前記基地局と同期が確立されている状態で、上りデータを送信しておらず、かつ、前記基地局から送信されたデータの受信結果に応じた応答信号を送信する専用チャネルが割り当てられている場合、上りデータを前記基地局に送信していない期間中であっても上りタイミング同期用として送信する、上り通信品質測定用信号を利用して、無線リソースの割り当てを要求するスケジューリング要求信号を前記基地局に送信することを特徴とする移動端末。
【発明の詳細な説明】
【技術分野】
【０００１】
この発明は、“Ｌｏｎｇ  Ｔｅｒｍ  Ｅｖｏｌｕｔｉｏｎ”（ＬＴＥ）と呼ばれる通信システムと、この通信システムを構成する移動端末と、この移動端末が基地局に対して送信する上り制御信号の通信方法に関するものである。
【背景技術】
【０００２】
第３世代と呼ばれる通信方式のうち、Ｗ−ＣＤＭＡ（Ｗｉｄｅｂａｎｄ  Ｃｏｄｅ  ｄｉｖｉｓｉｏｎ  Ｍｕｌｔｉｐｌｅ  Ａｃｃｅｓｓ）方式が２００１年から日本で商用サービスが開始されている。また、下りリンク（個別データチャネル、個別制御チャネル）にパケット伝送用のチャネル（ＨＳ−ＤＳＣＨ：Ｈｉｇｈ  Ｓｐｅｅｄ−Ｄｏｗｎｌｉｎｋ  Ｓｈａｒｅｄ  Ｃｈａｎｎｅｌ）を追加することにより、下りリンクを用いたデータ送信の更なる高速化を実現するＨＳＤＰＡ（Ｈｉｇｈ  Ｓｐｅｅｄ  Ｄｏｗｎ  Ｌｉｎｋ  Ｐａｃｋｅｔ  Ａｃｃｅｓｓ）のサービス開始が予定されている。さらに、上り方向のデータ送信を高速化するためＨＳＵＰＡ（Ｈｉｇｈ  Ｓｐｅｅｄ  Ｕｐ  Ｌｉｎｋ  Ｐａｃｋｅｔ  Ａｃｃｅｓｓ）方式についても提案、検討されている。
Ｗ−ＣＤＭＡは、移動体通信システムの規格化団体である３ＧＰＰ（３ｒｄ  Ｇｅｎｅｒａｔｉｏｎ  Ｐａｒｔｎｅｒｓｈｉｐ  Ｐｒｏｊｅｃｔ）により定められた通信方式であり、現在リリース６版の規格書がとりまとめられている。【０００３】
また、３ＧＰＰにおいて、Ｗ−ＣＤＭＡとは別の通信方式として、無線区間については“Ｌｏｎｇ  Ｔｅｒｍ  Ｅｖｏｌｕｔｉｏｎ”（ＬＴＥ）、コアネットワークを含めたシステム全体構成については“Ｓｙｓｔｅｍ  Ａｒｃｈｉｔｅｃｔｕｒｅ  Ｅｖｏｌｕｔｉｏｎ”（ＳＡＥ）と称される新たな通信方式が検討されている。
ＬＴＥでは、アクセス方式、無線のチャネル構成やプロトコルが、現在のＷ−ＣＤＭＡ（ＨＳＤＰＡ／ＨＳＵＰＡ）とは異なるものになる。例えば、アクセス方式は、Ｗ−ＣＤＭＡが符号分割多元接続（Ｃｏｄｅ  Ｄｉｖｉｓｉｏｎ  Ｍｕｌｔｉｐｌｅ  Ａｃｃｅｓｓ）を用いているのに対して、ＬＴＥは下り方向はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、上り方向はＳＣ−ＦＤＭＡ（Ｓｉｎｇｌｅ  Ｃａｒｅｅｒ  Ｆｒｅｑｕｅｎｃｙ  Ｄｉｖｉｓｉｏｎ  Ｍｕｌｔｉｐｌｅ  Ａｃｃｅｓｓ）を用いる。また、帯域幅は、Ｗ−ＣＤＭＡが５ＭＨｚであるのに対し、ＬＴＥでは１．２５／２．５／５／１０／１５／２０ＭＨｚを適用し得る。また、ＬＴＥでは、Ｗ−ＣＤＭＡのような回線交換ではなく、パケット通信方式のみになる。【０００４】
ＬＴＥはＷ−ＣＤＭＡのコアネットワーク（Ｇｅｎｅｒａｌ  Ｐａｃｋｅｔ  Ｒａｄｉｏ  Ｓｙｓｔｅｍ  ＧＰＲＳ）とは異なる新たなコアネットワークを用いて通信システムが構成されるため、Ｗ−ＣＤＭＡ網とは別の独立した無線アクセス網として定義される。
したがって、Ｗ−ＣＤＭＡの通信システムと区別するため、ＬＴＥの通信システムでは、移動端末ＵＥ（Ｕｓｅｒ  Ｅｑｕｉｐｍｅｎｔ）と通信を行う基地局（Ｂａｓｅ  ｓｔａｔｉｏｎ）はｅＮＢ（Ｅ−ＵＴＲＡＮ  ＮｏｄｅＢ、ｅＮｏｄｅＢ、ｅＮｏｄｅ−Ｂ）、複数の基地局と制御データやユーザデータのやり取りを行う基地局制御装置（Ｒａｄｉｏ  Ｎｅｔｗｏｒｋ  Ｃｏｎｔｒｏｌｌｅｒ）はａＧＷ（Ａｃｃｅｓｓ  Ｇａｔｅｗａｙ）と称される。
このＬＴＥの通信システムでは、Ｅ-ＭＢＭＳ（Ｅｖｏｌｖｅｄ  Ｍｕｌｔｉｍｅｄｉａ  Ｂｒｏａｄｃａｓｔ  Ｍｕｌｔｉｃａｓｔ  Ｓｅｒｖｉｃｅ）と称されるマルチキャスト・放送型マルチメディアサービスのような１対多（Ｐｏｉｎｔ  ｔｏ  Ｍｕｌｔｉｐｏｉｎｔ）通信を実施するほか、複数の移動端末のうち個別の移動端末に対するユニキャスト（Ｕｎｉｃａｓｔ）サービスのような通信サービスも提供する。
ＬＴＥではＷ−ＣＤＭＡと異なり、トランスポートチャネル、物理チャネルでは個別の移動端末に向けた個別のチャネル（Ｄｅｄｉｃａｔｅｄ  Ｃｈａｎｎｅｌ、Ｄｅｄｉｃａｔｅｄ  Ｐｈｙｓｉｃａｌ  Ｃｈａｎｎｅｌ）は存在しないので、個別の移動端末へのデータ送信は共通チャネル（Ｓｈａｒｅｄ  ｃｈａｎｎｅｌ）で実施される。【０００５】
移動端末は、基地局より下りリンクを介してデータを受信すると、問題なくデータを受信できたか否かを示す信号や、受信データの品質、あるいは、下りの通信路品質を示す信号を上りリンクを介して基地局に伝達する。基地局から送信されたデータを受信できたか否かを示す応答信号をＡｃｋ／Ｎａｃｋ、受信データの品質、あるいは、下りの通信路品質を示す品質情報をＣＱＩ（Ｃｈａｎｎｅｌ  Ｑｕａｌｉｔｙ  Ｉｎｄｉｃａｔｏｒ）という。
Ａｃｋ／Ｎａｃｋは、移動端末が下りデータを受信している場合に、そのデータを受信できたか否かを基地局へ送信するための信号であり、再送制御に用いられる。
ＣＱＩは、移動端末で測定した下りチャネル状態（通信路状態）を基地局へ送信するための信号であり、基地局での下りスケジューリングに用いられる。また、移動端末が基地局に対して送信するデータが発生したときには、移動端末は基地局に対して、上りリンクの無線リソースを割り当てるように要求する信号を送信する。このような要求信号をスケジューリングリクエスト、上りリソースリクエスト、または、上りスケジューリング要求信号（ＳＲ：Ｓｃｈｅｄｕｌｉｎｇ  Ｒｅｑｕｅｓｔ）という。上記のようなＡｃｋ／Ｎａｃｋ、ＣＱＩ、ＳＲを「上りＬ１／Ｌ２制御信号」（Ｌ１／Ｌ２  ｃｏｎｔｒｏｌ  ｓｉｇｎａｌｉｎｇ）と称する。【０００６】
図２２は上りＬ１／Ｌ２制御信号を説明する説明図である。
図２２に示すように、上りＬ１／Ｌ２制御信号には大きく分けて２種類ある。上りデータ付随Ｌ１／Ｌ２制御信号（ｄａｔａ−ａｓｓｏｃｉａｔｅｄ  Ｌ１／Ｌ２  ｃｏｎｔｒｏｌ  ｓｉｇｎａｌｉｎｇ）と、上りデータ非付随Ｌ１／Ｌ２制御信号（ｄａｔａ−ｎｏｎ−ａｓｓｏｃｉａｔｅｄ  Ｌ１／Ｌ２  ｃｏｎｔｒｏｌ  ｓｉｇｎａｌｉｎｇ）である。
上りデータ付随Ｌ１／Ｌ２制御信号は、トランスポートフォーマット等の上りデータ送信（基地局側の受信）に必要な情報であり、上りデータと一緒に送信される。上りデータ非付随Ｌ１／Ｌ２制御信号には、下りリンクに関連したＡｃｋ／Ｎａｃｋ、ＣＱＩ、上りデータ送信を始める前に送るスケジューリングリクエスト（ＳＲ、ＵＬ  ＳＲ）等のランダムアクセス（Ｒａｎｄｏｍ  Ａｃｃｅｓｓ）信号がある。
Ａｃｋ／Ｎａｃｋ、ＣＱＩは下りリンクに関連した信号であるため、上りデータ送信とは関係なく送信されるが、上りデータと同時に送信される場合がある。一方、ランダムアクセス信号には、同期ランダムアクセス（Ｓｙｎｃｈｒｏｎｏｕｓ  Ｒａｎｄｏｍ  Ａｃｃｅｓｓ  以下ＳＲＡ）と非同期ランダムアクセス（Ｎｏｎ−Ｓｙｎｃｈｒｏｎｏｕｓ  Ｒａｎｄｏｍ  Ａｃｃｅｓｓ  以下ＮＳＲＡ）がある。
ＳＲＡは上りリンクの時間同期が取れている状態の場合に送信され、ＮＳＲＡは上りリンクの時間同期が取れていない状態の場合に送信される。
なお、上りデータ付随Ｌ１／Ｌ２制御信号もＡｃｋ／Ｎａｃｋ、ＣＱＩも、上りリンクの時間同期が取れている状態で送信される信号である。ここでは、上りデータ送信が行われていない場合のＡｃｋ／Ｎａｃｋ、ＣＱＩとＳＲＡが同時に送信される状態があることを述べ、その課題と解決方法について述べる。【０００７】
上りのＡｃｋ／Ｎａｃｋ、ＣＱＩは下りリンクに関連した信号である。上りデータ送信が行われていない場合のＡｃｋ／Ｎａｃｋ、ＣＱＩの物理的なリソース割り当てについては、ある一つの時間-周波数領域を独占的に割り当てる方法、分離した狭帯域の複数の時間-周波数領域を独占的に割り当てる方法がある（例えば、非特許文献１を参照）。
以下、これらの領域のことを、Ａｃｋ／Ｎａｃｋ専用チャネルと称する。
つまり上りデータ送信が行われていない状態においては、Ａｃｋ／Ｎａｃｋ及びＣＱＩは、Ａｃｋ／Ｎａｃｋ専用チャネルで送信される。
更に詳しく説明すると、（１）Ａｃｋ／ＮａｃｋとＣＱＩの双方を送信する必要がある場合には、Ａｃｋ／Ｎａｃｋ専用チャネルにてＡｃｋ／Ｎａｃｋ且つＣＱＩが送信され、（２）Ａｃｋ／Ｎａｃｋを送信する必要があり、ＣＱＩを送信する必要がない場合には、Ａｃｋ／Ｎａｃｋ専用チャネルにてＡｃｋ／Ｎａｃｋが送信され、（３）Ａｃｋ／Ｎａｃｋを送信する必要がなく、ＣＱＩを送信する必要がある場合には、Ａｃｋ／Ｎａｃｋ専用チャネルにてＣＱＩが送信される。（４）Ａｃｋ／Ｎａｃｋを送信する必要がなく、ＣＱＩを送信する必要がない場合であっても、Ａｃｋ／Ｎａｃｋ専用チャネルが割当てられることも考えられる。その場合、当該チャネルにおいてＡｃｋ／Ｎａｃｋ及びＣＱＩの双方が送信されない。
図２３は上りデータ送信を行っているとき、あるいは、行っていないときにＡｃｋ／Ｎａｃｋ、ＣＱＩを割り当てた無線リソースを示す説明図である。図２３は、ある一つの時間-周波数領域を独占的に割り当てる方法を示している。
上りデータ送信が行われていない場合のＡｃｋ／Ｎａｃｋ、ＣＱＩを、時間的にはサブフレーム単位もしくはそれ以上、周波数的には１リソースユニット単位もしくはそれ以上の領域に割り当てる。一方、上りデータと、上りデータ付随Ｌ１／Ｌ２制御信号もしくは上りデータ送信が行われている場合のＡｃｋ／Ｎａｃｋ、ＣＱＩはそれ以外の領域に割り当てられる。【０００８】
上りデータ送信が行われていない場合のＡｃｋ／Ｎａｃｋ、ＣＱＩ、つまりＡｃｋ／Ｎａｃｋ、ＣＱＩのみの信号をその信号専用として独占的な領域に割り当てる事によって、Ａｃｋ／Ｎａｃｋ、ＣＱＩ信号を送信する期間を大きくでき、従って広いカバレッジを得ることができる。
図２４はＡｃｋ／Ｎａｃｋ専用チャネルにＡｃｋ／Ｎａｃｋ、ＣＱＩを割り当てた無線リソースを示す説明図である。図２４は、分離した狭帯域の複数の時間−周波数領域（図２４  Ａ、Ｂ）をＡｃｋ／Ｎａｃｋ、ＣＱＩ用に独占的に割り当てる方法を示している。
上りデータ送信が行われていない場合のＡｃｋ／Ｎａｃｋ、ＣＱＩを、時間的にはサブフレーム単位、周波数的にはサブキャリア単位でいくつかの分離した領域に割り当てる。周波数領域をいくつかに分離（例えば、図２４Ａ、Ｂ）することによって、周波数ダイバーシチゲインを得ることができる。
どちらの方法においても、ひとつの領域には、ひとつまたは複数の移動端末のＡｃｋ／Ｎａｃｋ、ＣＱＩを割り当てることができる。ひとつの領域に、ひとつまたは複数の移動端末のＡｃｋ／Ｎａｃｋ、ＣＱＩを多重する方法として、ＦＤＭ（Ｆｒｅｑｕｅｎｃｙ  Ｄｉｖｉｓｉｏｎ  Ｍｕｌｔｉｐｌｅｘ）／ＴＤＭ（Ｔｉｍｅ  Ｄｉｖｉｓｉｏｎ  Ｍｕｌｔｉｐｌｅｘ）／ＣＤＭ（Ｃｏｄｅ  Ｄｉｖｉｓｉｏｎ  Ｍｕｌｔｉｐｌｅｘ）を用いて各移動端末毎の直交性を確保することが検討されている。また、基地局でのＡｃｋ／Ｎａｃｋ、ＣＱＩの受信品質を確保するために、Ａｃｋ／Ｎａｃｋ、ＣＱＩを繰り返し（ｒｅｐｅｔｉｔｉｏｎ）送信して電力を増加させることが検討されている。具体的には、１送信時間区間（Ｔｒａｎｓｍｉｓｓｉｏｎ  Ｔｉｍｅ  Ｉｎｔｅｒｖａｌ  ＴＴＩ）内で同じサブフレームを２回繰り返したり、サブフレーム内の複数のＬＢ（Ｌｏｎｇ  Ｂｌｏｃｋ）にＡｃｋ／Ｎａｃｋ、ＣＱＩのビットを繰り返し埋め込んで送信する方法等がある。【０００９】
同期ランダムアクセス（Ｓｙｎｃｈｒｏｎｏｕｓ  Ｒａｎｄｏｍ  Ａｃｃｅｓｓ  ＳＲＡ）は上りリンクの時間同期が取れている状態（言い換えれば、移動端末がＡｃｔｉｖｅモード）の場合に送信される、上りデータ送信を始める前に送るスケジューリングリクエスト（ＳＲ）のための信号である。ＳＲＡの物理的なリソース割り当てについては、ある一つの時間−周波数領域を独占的に割り当てる方法がある（非特許文献３：ＴＲ２５。８１４Ｖ７。０。０）。図２５は、Ｓ−ＲＡＣＨに上りスケジューリング要求信号を割り当てた無線リソースを示す説明図である。図２５は、ある一つの時間−周波数領域を独占的に割り当てる方法を示している。
時間的にはサブフレーム単位、周波数的には１リソースユニット単位もしくはそれ以上の領域に割り当てる。以下、これらの領域のことをＳ―ＲＡＣＨ（Ｓｙｎｃｈｒｏｎｏｕｓ  Ｒａｎｄｏｍ  Ａｃｃｅｓｓ  ＣＨａｎｎｅｌ）と称する。一方、上りデータはそれ以外の領域に割り当てられる。したがって、ＳＲＡとデータは時間と周波数のいずれか、あるいは両方で多重される。
移動端末がどの領域でＳＲＡを送信するかは、あらかじめ決められているか、もしくは前もって基地局より通知される。一つの領域にはひとつまたは複数の移動端末のＳＲＡが割り当てられる。複数の移動端末のＳＲＡの送信が同じ領域で発生した場合、各移動端末からの信号が衝突してしまう。
各移動端末からのＳＲＡが衝突して基地局で受信できなかった場合、通常は、それぞれの移動端末が異なる時間間隔と異なる領域のいずれか、あるいは両方で再度送信を繰り返す。また、衝突する確率を減らすため、ＦＤＭ／ＴＤＭ／ＣＤＭを用いて各移動端末の直交性を確保する方法が検討されている。【００１０】
同期ランダムアクセスＳＲＡの物理的なリソース割当てとして、スケジュールドチャネルを用いることも検討されている（非特許文献４）。
スケジュールドチャネルとは、Ｓ−ＲＡＣＨのように複数の移動端末からの信号の衝突（または競合という）を許すチャネルとは異なり、対象となる一つ一つの移動端末への割当てがスケジュールドされたチャネルである。この場合、あらかじめ移動端末毎に割当てられた領域が決まっているため、複数の移動端末からの信号の競合が無いため、移動端末が送信したＳＲ信号としてセル内での移動端末のＩＤ番号（ＵＥ−ＩＤ）を送る必要がない。それゆえ、上りＳＲＡをスケジュールドチャネルで送った場合は、上りＳＲ信号の情報量を少なくできる。【００１１】
上りデータ送信が行われていない場合のＡｃｋ／Ｎａｃｋ、ＣＱＩと同期ランダムアクセス（ＳＲなどの）の同時送信をする場合の処理について説明する。
上りＡｃｋ／Ｎａｃｋ、ＣＱＩは、移動端末が下りデータを受信している場合に、その受信状況に応じて基地局へ送信する信号である。一方ＳＲＡは、上りデータ送信を始める前に基地局へ送るＳＲ等のための信号である。これらの信号の内容は独立であるため、同時に送信される場合が生じる。
図２６は、上りデータ送信が行われていない場合のＡｃｋ／ＮａｃｋとＳＲＡが同時に送信される場合の一例を示している。
移動端末が下りデータを連続受信している時に、上りデータ送信が発生する場合である。移動端末は下りデータを連続で受信している。データはTTI単位毎に復調、デコードされる。移動端末は受信した下りデータの受信状況に応じて、受信判定結果の結果情報（Ａｃｋ／Ｎａｃｋ）を基地局に伝達する。移動端末は基地局からの送信データを正常に受信すると、基地局に対してＡｃｋ信号を送信する。Ａｃｋを受信した基地局は、次に新しいデータを送信する。逆に、基地局から送信された送信データが正常に受信できなかったとき、基地局に対してＮａｃｋ信号を送信する。Ｎａｃｋを受信した基地局は移動端末にて正常に受信出来なかったデータを再送する。【００１２】
上りＡｃｋ／Ｎａｃｋの物理的リソースへの割り当ては上記説明のように、分離した狭帯域の複数の時間−周波数領域を独占的に割り当てる。このため、上りＡｃｋ／Ｎａｃｋも連続して送信されることになる。一方、移動端末に上りデータが発生した場合、その上りデータを送信する前に、基地局へスケジューリングリクエストＳＲを送信する。ＳＲの物理的リソースの割り当ては上記説明のように、ある一つの時間−周波数領域を独占的に割り当てる。したがって、図に示すように、ある時間に上りデータが発生した場合、短い遅延時間の後にＳＲが発生する。
移動端末が送信したＳＲ信号を基地局が受信できなかった場合、移動端末は再度ＳＲ信号を送信する。以上から分るように、例えば移動端末が下りデータを連続受信している時に、上りデータ送信が発生した場合、上りＡｃｋ／Ｎａｃｋと上りＳＲＡを同時に送信しなければならない状況が生じる。また、たとえ、移動端末が下りデータを連続受信ではなく不連続に受信している場合でも、その受信データに対する上りＡｃｋ／Ｎａｃｋを送信している場合は、上りＳＲ信号の送信が同時に行われてしまう場合が生じることがわかる。【００１３】
同様に、基地局へ送信するスケジューリングリクエストＳＲの物理的なリソース割当てとして、スケジュールドチャネルを割当てた場合も、上りＡｃｋ／Ｎａｃｋと上りＳＲＡを同時に送信しなければならない状況が生じることが考えられる。
非特許文献４ではスケジュールドチャネルとしてどのようなチャネルを用いるか、また、物理的リソースとして時間−周波数領域をどのように割当てるかについて、何も記載されていないため、例えば、スケジューリングリクエストＳＲ専用の１ｂｉｔの物理リソースを割当てたチャネルを考えたとしても、移動端末が下りデータを連続受信している時は上りＡｃｋ／Ｎａｃｋを連続して送信せねばならず、この時に上りデータ送信が発生した場合、上りＡｃｋ／Ｎａｃｋと上りＳＲＡを同時に送信しなければならない状況が生じてしまうことがわかる。【００１４】
また、非特許文献４においては、本発明の明細書で示すような「発明の課題」及び「発明の効果」についての示唆はない。
非特許文献５には、上りスケジューリングリクエストを既に存在するＣＱＩ送信用のチャネル（ＣＱＩＣＨ）、あるいは、Ａｃｋ／Ｎａｃｋ送信用のチャネル（ＡＣＨＣＨ）といった個別の上り制御チャネルにて送信することが記載されている。それにより、遅延（Ｄｅｌａｙ）の少ない上りスケジューリングリクエストの送信手順を確立できるとしている。
しかし、非特許文献５においては、本発明の明細書で示すような「発明の課題」及び「発明の効果」についての示唆はない。【００１５】
非特許文献５では、上りスケジューリングリクエストをＣＱＩ送信用チャネル（ＣＱＩＣＨ）、あるいは、Ａｃｋ/Ｎａｃｋ送信用チャネル（ＡＣＨＣＨ）にて送信することのみが記載されており、ＣＱＩＣＨとＡＣＨＣＨを物理的リソースとして時間-周波数領域にどのように割当てるかについて、何も記載されていない。そのため、例えばＣＱＩ送信用のチャネル（ＣＱＩＣＨ）にて上りスケジューリングリクエストを送信した場合を考えたとしても、移動端末が下りデータを連続受信している時は、上りＡｃｋ/Ｎａｃｋを連続して送信せねばならず、この時に上りデータ送信が発生した場合、上りＡｃｋ/Ｎａｃｋ（ＡＣＨＣＨ）と上りスケジューリングリクエスト（ＣＱＩＣＨ）を同時に送信しなければならない状況が生じてしまうことがわかる。
よって非特許文献５においては、本発明の明細書で示す「発明の課題」が解決されないことがわかる。【００１６】
【非特許文献１】３ＧＰＰ寄書Ｒ１―０６２７４１
【非特許文献２】３ＧＰＰ寄書Ｒ１―０６２７４２
【非特許文献３】３ＧＰＰ  ＴＲ２５．８１４Ｖ７．０．０
【非特許文献４】３ＧＰＰ寄書Ｒ１―０６２７１９
【非特許文献５】３ＧＰＰ寄書Ｒ１―０６２５７１
【００１７】
従来のＬＴＥの通信システムは以上のように構成されているので、上りのアクセス方式にＳＣ―ＦＤＭＡ（Ｓｉｎｇｌｅ  Ｃａｒｅｅｒ  Ｆｒｅｑｕｅｎｃｙ  Ｄｉｖｉｓｉｏｎ  Ｍｕｌｔｉｐｌｅ  Ａｃｃｅｓｓ  ＤＦＴ−ｓｐｒｅａｄ  ＯＦＤＭとも称される）が用いられる。ＳＣ―ＦＤＭＡはシングルキャリア伝送であるため、ＯＦＤＭのように各サブキャリア上にシンボルデータを乗せて送信するマルチキャリア伝送と比べて、ＰＡＰＲ（Ｐｅａｋ  ｔｏ  Ａｖｅｒａｇｅ  Ｐｏｗｅｒ  Ｒａｔｉｏ  ピーク対平均電力比）を低く抑えることができるという特徴を有している。したがって、移動端末の送信時の消費電力を低くでき、また、規定された隣接チャネル漏洩電力を満たす送信電力を増大することができるため、セルカバレッジが広がるという利点を有する。しかし、移動端末は、状況によっては、Ａｃｋ／Ｎａｃｋ専用チャネルを用いて上りＡｃｋ／ＮａｃｋやＣＱＩを送信する処理と、Ｓ−ＲＡＣＨもしくはスケジュールドチャネル、あるいは、ＣＱＩＣＨ、ＡＣＨＣＨを用いて、上りスケジューリング要求信号（ＳＲ）を送信する処理とを同時に実行しなければならない場合が生じる。この場合、それぞれの信号は無相関であるため、時間的に同時に送信されると、シングルキャリア伝送とはならずマルチキャリア伝送となってしまう。無相関の信号が時間的に同時に送信される場合、送信信号の時間波形のピークが高くなるため、ＰＡＰＲが高くなってしまう。ＰＡＰＲが高くなると、移動端末の消費電力が増大し、さらにはセルカバレッジが狭くなってしまう課題があった。さらには、ＰＡＰＲが高くなることにより、他の移動端末や通信システムへの妨害波となってしまうという課題があった。【００１８】
この発明は上記のような課題を解決するためになされたもので、一時的な物理チャネルの増加による無線リソース負荷の増加を防止することができるとともに、ＰＡＰＲ（ピーク対平均電力比）を低減することができるデータ通信方法、通信システム及び移動端末を得ることを目的とする。
【発明の開示】
【００１９】
この発明に係るデータ通信方法は、移動端末が、移動端末から基地局に対する上り方向の上り制御チャネルを用いて、応答信号を基地局に送信する応答信号送信処理と、基地局に対する送信データが発生すると、上り制御チャネルと異なる物理チャネルを用いて、スケジューリング要求信号を基地局に送信するスケジューリング要求信号送信処理と、応答信号送信処理とスケジューリング要求信号送信処理の処理タイミングが重なる場合、スケジューリング要求信号を送信している期間、応答信号送信処理を停止させる制御処理とを実行するようにしたものである。
【００２０】
このことによって、２種類の帯域に割り当てた２つの物理チャネル（Ａｃｋ／Ｎａｃｋ専用チャネルとＳ−ＲＡＣＨ）のデータを同時に送信するマルチキャリア方式を使用せずに済むため、一時的な物理チャネルの増加による通信システムの無線リソース負荷の増加を防止することができるとともに、ＰＡＰＲ（ピーク対平均電力比）を低減することができる効果がある。
【００２１】
この発明に係る通信システムは、移動端末が、移動端末から基地局に対する上り方向の上り制御チャネルを用いて、応答信号を基地局に送信するとともに、基地局に対する送信データが発生すると、上り制御チャネルと異なる物理チャネルを用いて、スケジューリング要求信号を基地局に送信する送信部と、その送信部における応答信号の送信タイミングとスケジューリング要求信号の送信タイミングが重なる場合、スケジューリング要求信号を送信している期間、応答信号の送信処理を停止させる制御部とを実装するようにしたものである。
【００２２】
このことによって、２種類の帯域に割り当てた２つの物理チャネル（Ａｃｋ／Ｎａｃｋ専用チャネルとＳ−ＲＡＣＨ）のデータを同時に送信するマルチキャリア方式を使用せずに済むため、一時的な物理チャネルの増加による通信システムの無線リソース負荷の増加を防止することができるとともに、ＰＡＰＲ（ピーク対平均電力比）を低減することができる効果がある。
【００２３】
この発明に係るデータ通信方法は、移動端末が、少なくとも応答信号を含む上り制御信号を作成する一方、基地局に対する送信データが発生したときは、スケジューリング要求信号と応答信号を時分割多重して上り制御信号を作成する制御信号作成処理と、移動端末から基地局に対する上り方向の上り制御チャネルを用いて、その制御信号作成処理により作成された上り制御信号を含む制御信号を基地局に送信する制御信号送信処理とを実行するようにしたものである。
【００２４】
このことによって、２種類の帯域に割り当てた２つの物理チャネル（Ａｃｋ／Ｎａｃｋ専用チャネルとＳ−ＲＡＣＨ）のデータを同時に送信するマルチキャリア方式を使用せずに済むため、一時的な物理チャネルの増加による通信システムの無線リソース負荷の増加を防止することができるとともに、ＰＡＰＲ（ピーク対平均電力比）を低減することができる効果がある。
【００２５】
この発明に係るデータ通信方法は、移動端末が、第一のコードを用いて個別データを符号化する処理、または、基地局に対する送信データが発生すると、第二のコードを用いてスケジューリング要求信号を含む個別データを符号化する処理を選択的に実行するとともに、上り共通チャネルを用いて、符号化された前記個別データを送信する処理とを実行するようにしたものである。
【００２６】
このことによって、２種類の帯域に割り当てた２つの物理チャネル（Ａｃｋ／Ｎａｃｋ専用チャネルとＳ−ＲＡＣＨ）のデータを同時に送信するマルチキャリア方式を使用せずに済むため、一時的な物理チャネルの増加による通信システムの無線リソース負荷の増加を防止することができるとともに、ＰＡＰＲ（ピーク対平均電力比）を低減することができる効果がある。
【００２７】
この発明に係るデータ通信方法は、移動端末が、基地局に対する送信データが発生すると、少なくともスケジューリング要求信号と応答信号を時分割多重して上り制御信号を作成する制御信号作成処理と、物理チャネルであるランダムアクセスチャネルを用いて、その制御信号作成処理により作成された上り制御信号を含む制御信号を基地局に送信する制御信号送信処理とを実行するようにしたものである。
【００２８】
このことによって、２種類の帯域に割り当てた２つの物理チャネル（Ａｃｋ／Ｎａｃｋ専用チャネルとＳ−ＲＡＣＨ）のデータを同時に送信するマルチキャリア方式を使用せずに済むため、一時的な物理チャネルの増加による通信システムの無線リソース負荷の増加を防止することができるとともに、ＰＡＰＲ（ピーク対平均電力比）を低減することができる効果がある。
【図面の簡単な説明】
【００２９】
【図１】ＬＴＥにおける移動通信システムの構成を示す説明図である。
【図２】ＬＴＥの通信システムで使用されるチャネルの構成を示す説明図である。
【図３】移動端末の構成を示すブロック図である。
【図４】基地局の構成を示すブロック図である。
【図５】Ａｃｋ／Ｎａｃｋ専用チャネルと上りスケジューリング要求信号ＳＲ送信用のＳ―ＲＡＣＨに割り当てる無線リソースを説明する説明図である。
【図６】上りスケジューリング要求信号を送信するまでの移動端末における処理を説明するフローチャートである。
【図７】上りスケジューリング要求信号送信から上りデータ送信開始までの一連の処理を説明するフローチャートである。
【図８】上りスケジューリング要求信号送信から上りデータ送信開始までの一連の処理を説明するフローチャートである。
【図９】Ａｃｋ／Ｎａｃｋ専用チャネルで送信するＡｃｋ／Ｎａｃｋシンボルのマッピング例を説明した説明図である。
【図１０】Ａｃｋ／Ｎａｃｋ専用チャネルで送信するＡｃｋ／Ｎａｃｋシンボルのマッピング例を説明した説明図である。
【図１１】Ａｃｋ／Ｎａｃｋ専用チャネルと上りスケジューリング要求信号ＳＲ送信用のＳ―ＲＡＣＨに割り当てる無線リソースを説明する説明図である。
【図１２】Ａｃｋ／Ｎａｃｋ専用チャネルで送信するＡｃｋ／Ｎａｃｋシンボルのマッピング例を説明した説明図である。
【図１３】上りスケジューリング要求信号を送信するまでの移動端末における処理を説明するフローチャートである。
【図１４】Ａｃｋ／Ｎａｃｋ専用チャネルで送信する上りスケジューリング要求信号のマッピング例を説明した説明図である。
【図１５】上りスケジューリング要求信号を送信する移動端末の処理と、受信した基地局の処理とを説明するフローチャートである。
【図１６】上りスケジューリング要求信号を送信する移動端末の処理と、受信した基地局の処理とを説明するフローチャートである。
【図１７】ＵＬ−ＳＣＨとＲＡＣＨの無線リソース割り当てを示す説明図である。
【図１８】上りスケジューリング要求信号を送信するまでの移動端末における処理を説明するフローチャートである。
【図１９】Ｓ−ＲＡＣＨ上にプレアンブルとメッセージ、Ａｃｋ／Ｎａｃｋ、ＣＱＩ、ＳＲをマッピングした無線リソースを示す説明図である。
【図２０】Ｓ−ＲＡＣＨ上にプレアンブルとメッセージ、Ａｃｋ／Ｎａｃｋ、ＣＱＩ、ＳＲをマッピングした無線リソースを示す説明図である。
【図２１】Ｓ−ＲＡＣＨ上にプレアンブルとメッセージ、Ａｃｋ／Ｎａｃｋ、ＣＱＩ、ＳＲをマッピングした無線リソースを示す説明図である。
【図２２】上りＬ１／Ｌ２制御信号を説明する説明図である。
【図２３】上りデータ送信を行っているとき、あるいは行っていないときにＡ  ｋ／Ｎａｃｋ、ＣＱＩを割り当てた無線リソースを示す説明図である。
【図２４】Ａｃｋ／Ｎａｃｋ専用チャネルにＡｃｋ／Ｎａｃｋ、ＣＱＩを割り当てた無線リソースを示す説明図である。
【図２５】Ｓ−ＲＡＣＨに上りスケジューリング要求信号を割り当てた無線リソースを示す説明図である。
【図２６】上りデータ送信が行われていない場合のＡｃｋ／ＮａｃｋとＳＲＡが同時に送信される場合の一例を示す説明図である。
【図２７】Ａｃｋ／Ｎａｃｋ専用チャネルで送信する上りスケジューリング要求信号のマッピング例を説明した説明図である。
【図２８】第一の設定例の場合のシーケンス図である。
【図２９】第一の設定例の場合の移動端末内処理フロー図である。
【図３０】第一の設定例の場合の基地局内の処理フロー図である。
【図３１】第二の設定例の場合のシーケンス図である。
【図３２】第二の設定例の場合の移動端末内処理フロー図である。
【図３３】第二の設定例の場合の基地局内処理フロー図である。
【図３４】上りスケジューリング要求信号を送信する移動端末内の詳細構成図である。
【図３５】実施の形態７における上りデータ送信中のＳｏｕｎｄｉｎｇ  ＲＳの無線リソース割当ての説明図である。
【図３６】上り、下り共にデータ通信が行なわれていない状態で、上り送信要求が発生した場合の具体的なシーケンス図である。
【図３７】移動局が基地局と同期していて、かつ、上りデータ送信がない状態から、送信要求が発生する場合のフローチャートを示したフロー図である。
【図３８】基地局が通常のＳｏｕｎｄｉｎｇ  ＲＳのＢＷを複数設定していた場合における無線リソースの割当て方法、及び、移動端末ＵＥ１の無線リソース割当て経緯を示す説明図である。
【図３９】基地局ｅＮｏｄｅＢによるＳｏｕｎｄｉｎｇ  ＲＳのＢＷ設定を示すフローチャートである。
【図４０】基地局ｅＮｏｄｅＢ側がＢＷを選択する場合の判断方法を示すフローチャートである。
【図４１】移動端末側でＢＷを選択する場合の判断方法を示すフローチャートである。
【図４２】１つのＵＥ群内の複数のＵＥにおける無線リソース割当ての説明図である。
【図４３】ＵＥ群毎にＳｏｕｎｄｉｎｇ  ＲＳ領域を設定する場合の説明図である。
【図４４】上りスケジューリング要求信号の機能を兼ね備えたサウンディング用リファレンス信号の生成方法の説明図である。
【図４５】移動端末と基地局間のシーケンス図である。
【図４６】移動端末がサウンディング用リファレンス信号を送る場合のサウンディング用パイロットの割当ておよび移動端末固有のコードの割当て方法の説明図である。
【図４７】サウンディングパイロットの一部をスケジューリングリクエスト用のシンボルとしたパイロットパターンを示す説明図である。
【図４８】移動端末と基地局間のシーケンス図である。
【図４９】サウンディング用リファレンス信号の生成例の説明図である。
【図５０】移動端末と基地局間のシーケンス図である。
【図５１】サウンディング用リファレンス信号の生成例の説明図である。
【図５２】移動端末と基地局間のシーケンス図である。
【図５３】ある間隔でサウンディング用のリファレンス信号を送信している場合の説明図である。
【図５４】ある間隔で送信しているサウンディング用のリファレンス信号の中に上りスケジューリング要求信号を兼ねたものである場合の説明図である。
【図５５】Ａｃｋ／Ｎａｃｋ専用チャネル領域のある場合の時間-周波数リソースの説明図である。
【図５６】サウンディング用ＲＳの領域をシステム全帯域に割当てた場合の時間-周波数リソースの説明図である。
【図５７】時間-周波数リソースの説明図である。
【図５８】時間-周波数リソースの説明図である。
【図５９】サウンディングＲＳ用領域において上りスケジューリング要求信号を送信する場合の移動端末での送信シンボルマッピングの説明図である。
【図６０】スケジューリング要求が発生した場合の移動端末の送信信号の説明図である。
【図６１】スケジューリング要求が発生した場合の移動端末の送信信号の説明図である。
【図６２】移動端末と基地局間のシーケンス図である。
【図６３】上りスケジューリング要求が発生した場合の移動端末の送信信号の説明図である。
【図６４】移動端末と基地局間のシーケンス図である。
【図６５】上りスケジューリング要求が発生した場合の移動端末の送信信号の説明図である。
【図６６】移動端末と基地局間のシーケンス図である。
【発明を実施するための最良の形態】
【００３０】
以下、この発明をより詳細に説明するために、この発明を実施するための最良の形態について、添付の図面に従って説明する。
実施の形態１．
図１はＬＴＥにおける移動通信システムの構成を示す説明図である。図１において、ａＧＷ１は複数の基地局（ｅＮｏｄｅＢ）２と制御データやユーザデータの送受信を行い、基地局２は複数の移動端末３に対してデータの送受信を行う。基地局２と移動端末３間においては、報知情報、着呼処理に用いられる情報、個別制御データ、個別ユーザデータ、Ｅ−ＭＢＭＳ用の制御データやユーザデータ等が送信される。また、基地局２同士がお互いに通信することも検討されている。
基地局２は上り及び下りのスケジューラを有する。スケジューラは、基地局２と各移動端末３のデータの送受信を可能にし、個々の移動端末３及び移動通信システム全体のスループット向上のためにスケジューリングを行う。【００３１】
Ｅ−ＭＢＭＳはある基地局から複数の移動端末に向けてデータを一斉に送信する放送型の一対多（Ｐｏｉｎｔ  ｔｏ  Ｍｕｌｔｉｐｏｉｎｔ  ＰｔｏＭ）型の通信サービスを提供するものである。具体的には、ニュースや天気予報等の情報サービスや、モバイルＴＶなどの大容量の放送サービスが検討されている。
ａＧＷ１はＰＤＮ４（Ｐａｃｋｅｔ  Ｄａｔａ  Ｎｅｔｗｏｒｋ）を介してサービスセンタ５と通信を行う。
サービスセンタ５はユーザにサービスを提供するためのコンテンツを保管、配信するための装置である。コンテンツプロバイダは、サービスセンタ５に対してモバイルＴＶ放送データ等のＥ−ＭＢＭＳデータを送信する。サービスセンタ５ではＥ−ＭＢＭＳデータを記憶するとともに、ＰＤＮ４、ａＧＷ１を介して基地局２へＥ−ＭＢＭＳデータを送信する。【００３２】
図２はチャネルの構成を示す説明図である。図２には、論理チャネル（Ｌｏｇｉｃａｌ  ｃｈａｎｎｅｌ）とトランスポートチャネル（Ｔｒａｎｓｐｏｒｔ  ｃｈａｎｎｅｌ）のマッピングが示されている。論理チャネルは伝送信号の機能や論理的な特性によって分類される。トランスポートチャネルは伝送形態によって分類される。報知情報はＢＣＣＨ（Ｂｒｏａｄｃａｓｔ  Ｃｏｎｔｒｏｌ  Ｃｈａｎｎｅｌ）上にのせられる。ＢＣＣＨはＢＣＨ（Ｂｒｏａｄｃａｓｔ  Ｃｈａｎｎｅｌ）にマッピングされ基地局から移動端末へ送信される。
着呼処理に用いられる情報はＰＣＣＨ（Ｐａｇｉｎｇ  Ｃｏｎｔｒｏｌ  Ｃｈａｎｎｅｌ）上に乗せられる。ＰＣＣＨはＰＣＨ（Ｐａｇｉｎｇ  Ｃｈａｎｎｅｌ）にマッピングされ基地局からセル内の移動端末へ送信される。個別の移動端末宛ての個別制御データはＤＣＣＨ（Ｄｅｄｉｃａｔｅｄ  Ｃｏｎｔｒｏｌ  Ｃｈａｎｎｅｌ）上に乗せられる。【００３３】
また、個別の移動端末宛ての個別ユーザデータはＤＴＣＨ（Ｄｅｄｉｃａｔｅｄ  Ｔｒａｆｆｉｃ  Ｃｈａｎｎｅｌ）上に乗せられる。ＤＣＣＨとＤＴＣＨはＤＬ−ＳＣＨ（Ｄｏｗｎｌｉｎｋ  Ｓｈａｒｅｄ  Ｃｈａｎｎｅｌ）にマッピングされて、基地局から個々の移動端末に宛てて個別に送信される。逆に、ＵＬ−ＳＣＨ（Ｕｐｌｉｎｋ  Ｓｈａｒｅｄ  Ｃｈａｎｎｅｌ）を用いて個々の移動端末から基地局へ個別に送信される。
ＤＬ−ＳＣＨ及びＵＬ-ＳＣＨは共有チャネル（Ｓｈａｒｅｄ  Ｃｈａｎｎｅｌ）である。
Ｅ−ＭＢＭＳ用の制御データ及びユーザデータはそれぞれＭＣＣＨ（Ｍｕｌｔｉｃａｓｔ  Ｃｏｎｔｒｏｌ  Ｃｈａｎｎｅｌ）とＭＴＣＨ（Ｍｕｌｔｉｃａｓｔ  Ｔｒａｆｆｉｃ  Ｃｈａｎｎｅｌ）上に乗せられ、ＤＬ−ＳＣＨもしくはＭＣＨ（Ｍｕｌｔｉｃａｓｔ  Ｃｈａｎｎｅｌ）にマッピングされて基地局から移動端末へ送信される。
移動端末からの接続要求信号、例えばスケジューリング要求信号ＳＲはランダムアクセスチャネル（Ｒａｎｄｏｍ  Ａｃｃｅｓｓ  Ｃｈａｎｎｅｌ  ＲＡＣＨ）により個々の移動端末から基地局へ送信される。Ｓ−ＲＡＣＨはＲＡＣＨの一つである。【００３４】
図３は移動端末の構成を示すブロック図である。移動端末３の送信処理は以下のとおり実行される。
まず、プロトコル処理部６からの制御データ、アプリケーション部７からのユーザデータが送信データバッファ部８へ保存される。
送信データバッファ部８に保存されたデータはエンコーダ部９へ渡され、誤り訂正などのエンコード処理が施される。エンコード処理を施さずに送信データバッファ部８から変調部１０へ直接出力されるデータが存在しても良い。
エンコーダ部９でエンコード処理されたデータは変調部１０にて変調処理が行われる。変調されたデータはベースバンド信号に変換された後、周波数変換部１１へ出力され、無線送信周波数に変換される。その後、アンテナ１２から基地局２に送信信号が送信される。【００３５】
また、移動端末３の受信処理は以下のとおり実行される。基地局２からの無線信号がアンテナ１２により受信される。受信信号は、周波数変換部１１にて無線受信周波数からベースバンド信号に変換され、復調部１３において復調処理が行われる。復調後のデータはデコーダ部１４へ渡され、誤り訂正などのデコード処理が行われる。デコードされたデータのうち、制御データはプロトコル処理部６へ渡され、ユーザデータはアプリケーション部７へ渡される。移動端末の一連の送受信処理は制御部１５によって制御される。【００３６】
図４は基地局の構成を示すブロック図である。基地局２の送信処理は以下のとおり実行される。
ａＧＷ通信部１６は、基地局２とａＧＷ１間のデータの送受信を行う。他基地局通信部１７は、他の基地局との間のデータの送受信を行う。
ａＧＷ通信部１６と他基地局通信部１７はそれぞれプロトコル処理部１８と情報の受け渡しを行う。プロトコル処理部１８からの制御データ、またａＧＷ通信部１６と他基地局通信部１７からのユーザデータが送信データバッファ部１９へ保存される。
送信データバッファ部１９に保存されたデータはエンコーダ部２０へ渡され、誤り訂正などのエンコード処理が施される。エンコード処理を施さずに送信データバッファ部１９から変調部２１へ直接出力されるデータが存在しても良い。エンコードされたデータは変調部２１にて変調処理が行われる。【００３７】
変調されたデータはベースバンド信号に変換された後、周波数変換部２２へ出力され、無線送信周波数に変換される。その後、アンテナ２３より一つもしくは複数の移動端末１に対して送信信号が送信される。
また、基地局２の受信処理は以下のとおり実行される。
一つもしくは複数の移動端末３からの無線信号がアンテナ２３により受信される。受信信号は周波数変換部２２にて無線受信周波数からベースバンド信号に変換され、復調部２４で復調処理が行われる。復調されたデータはデコーダ部２５へ渡され、誤り訂正などのデコード処理が行われる。デコードされたデータのうち、制御データはプロトコル処理部１８へ渡され、ユーザデータはａＧＷ通信部１６、他基地局通信部１７へ渡される。基地局２の一連の送受信処理は制御部２６によって制御される。【００３８】
以下、本発明にかかる移動端末の動作について説明する。
移動端末が、上りデータ送信を行なっておらず、かつ、下りデータを受信している場合、移動端末は下りデータの受信結果（正常に受信した／していない）を示すＡｃｋ／Ｎａｃｋ信号をＡｃｋ／Ｎａｃｋ専用チャネルを用いて基地局へ送信する。
また、移動端末は、下りデータの受信結果を示すＡｃｋ／Ｎａｃｋ信号と基地局の下りスケジューリングのために下り通信路品質（ＣＱＩ）信号をＡｃｋ／Ｎａｃｋ専用チャネルを用いて基地局へ送信する。
また、下りデータ受信の有無に関わらず、基地局の下りスケジューリングのため、あるいは、基地局と移動端末間の同期を保つためにＣＱＩ信号をＡｃｋ／Ｎａｃｋ専用チャネルを用いて基地局へ送信する。【００３９】
上記のような、Ａｃｋ／Ｎａｃｋ信号かつ／またはＣＱＩ信号を送信している状態において、上りデータの送信を開始する場合、移動端末は基地局に向けて、上記Ａｃｋ／Ｎａｃｋかつ／またはＣＱＩとは別に上りスケジューリング要求信号ＳＲを送信する必要がある。本実施の形態では、Ａｃｋ／Ｎａｃｋ専用チャネルと異なる物理チャネル（Ｓ−ＲＡＣＨ）を用いて、上りスケジューリング要求信号ＳＲを基地局に送信する場合に、より広いカバレッジと低いＰＡＰＲを実現するＳＣ―ＦＤＭＡ方式で送信を行う方法について説明する。【００４０】
この実施の形態１では、移動端末が、上りデータ送信を行わずに、下りデータを受信しながら、Ａｃｋ／Ｎａｃｋ信号かつ／またはＣＱＩ信号を上りのＡｃｋ／Ｎａｃｋ専用チャネルにて送信している状態において、上りデータの送信を開始したい場合、上りデータ送信用チャネルを設定するための上りスケジューリング要求信号ＳＲを、Ａｃｋ／Ｎａｃｋ専用チャネルと別の周波数帯域を割り当てた物理チャネル（本実施の形態１ではＳ―ＲＡＣＨを利用）にて送信する。
この時、二種類の帯域に割り当てた二つの物理チャネルのデータを同時に送信するマルチキャリア方式を使わず、移動端末が上りデータ送信を開始した時に一時的に基地局とやりとりされるＳＲ（ｐｒｅａｍｂｌｅ／ｍｅｓｓａｇｅ）を送信している間は、Ａｃｋ／Ｎａｃｋ専用チャネルでのＡｃｋ／Ｎａｃｋ信号かつ／またはＣＱＩ信号を送信しない（ＤＴＸ  Ｄｉｓｃｏｎｔｉｎｕｏｕｓ  Ｔｒａｎｓｍｉｓｓｉｏｎ）ようにする。
これにより、一つの移動端末の一時的な物理チャネル増によるシステムの無線リソース負荷の増加を防ぐと共に、低いＰＡＰＲを保証するシングルキャリア方式での送信を実現できる。【００４１】
図５はＡｃｋ／Ｎａｃｋ専用チャネルと上りスケジューリング要求信号ＳＲを送信用のＳ―ＲＡＣＨに割り当てる無線リソースを説明する説明図である。図６は、上りスケジューリング要求信号を送信するまでの移動端末における処理を説明するフローチャートである。
図７、図８は上りスケジューリング要求信号送信から上りデータ送信開始までの一連の処理を説明するフローチャートである。図５において、移動端末ＵＥ１は、ユーザデータなどの上りデータ送信を行わず、下りデータのみを受信すると同時に、この受信データに対するＡｃｋ／Ｎａｃｋかつ／またはＣＱＩをＡｃｋ／Ｎａｃｋ専用チャネルを用いて送信しているものとする。
図３に示す移動端末の変調部１０はＡｃｋ／Ｎａｃｋ信号に対して移動端末毎のＣＤＭ多重処理（ＦＤＭ多重処理、ＴＤＭ多重処理でも良い）を行い、Ａｃｋ／Ｎａｃｋ専用チャネルを用いて送信している。このため、移動端末ＵＥ１は時間的に連続してＡｃｋ／Ｎａｃｋ専用チャネルでＡｃｋ／Ｎａｃｋ信号を送信する場合が考えられる。【００４２】
ここで、図６のＳＴ６０１における上りデータ送信要求が発生すると（ＳＴ６０１でＹｅｓ）、ＳＴ６０２において、下りデータ（ＤＬデータ）の受信状況を確認する。
この実施の形態１では、下りデータを受信しているため、ＳＴ６０４へ進み、Ｓ―ＲＡＣＨにて上りスケジューリング要求信号ＳＲ（ｐｒｅａｍｂｌｅ  ｏｒ／ａｎｄ  ｍｅｓｓａｇｅ）を送信するタイミングを決定する。仮に、下りデータを受信しておらず、基地局と同期が取れてない場合は（ＳＴ６０２でＮｏ）、ＳＴ６０３において、Ｎｏｎ―Ｓ―ＲＡＣＨと呼ばれる物理チャネルを用いて、上りスケジューリング要求信号ＳＲを送信するアルゴリズムを実行する。
ＳＴ６０４で上りスケジューリング要求信号ＳＲの送信タイミングを決定すると、ＳＴ６０５において、移動端末ＵＥ１は、Ｓ―ＲＡＣＨを用いて上りスケジューリング要求信号ＳＲを送信すると同時に、同じタイミングで送信する予定だった、上りＡｃｋ／Ｎａｃｋ専用チャネルの所定のＡｃｋ／Ｎａｃｋシンボル（あるいはＬＢ）、あるいは、ＣＱＩシンボル（あるいはＬＢ）の送信を、上りスケジューリング要求信号ＳＲを送信している間、停止する（シンボルＤＴＸ、あるいはＬＢのＤＴＸ）。このＡｃｋ／Ｎａｃｋシンボルの送信停止（ＤＴＸ）は、制御部１５による制御の下、変調部１０で行なわれる。【００４３】
図５は上りスケジューリング要求信号ＳＲを送信する物理チャネルであるＳ―ＲＡＣＨと、Ａｃｋ／Ｎａｃｋ専用チャネルの無線リソースの割り当て例を示している。
図５において、無線リソースは、複数の時間−周波数領域に分割される。時間−周波数領域において、時間軸はサブフレーム（＝０。５ｍｓ）単位で区切られ、周波数軸は、物理チャネルの送信データ量に応じて異なる帯域で区切られる。【００４４】
この実施の形態１での無線リソース割り当てでは、Ｓ―ＲＡＣＨと上りデータ送信用チャネルで同じ大きさの時間−周波数の単位領域を用い、Ａｃｋ／Ｎａｃｋ専用チャネルは、それよりも狭い周波数帯域（時間区分は同じ）の単位領域を用いている。Ａｃｋ／Ｎａｃｋ専用チャネルにおける１サブキャリアの、サブフレーム１は、６つのロングブロック（Ｌｏｎｇ  Ｂｌｏｃｋ、ＬＢ１−ＬＢ６）と２つのショートブロック（Ｓｈｏｒｔ  Ｂｌｏｃｋ、ＳＢ、スモールブロック）とから構成される。
ショートブロックＳＢには物理チャネル同期用シンボル（復調用のシンボル）が含められる。移動端末ＵＥ１は、図５のように割り当てられたＳ―ＲＡＣＨの時間-周波数領域を用いて、上りスケジューリング要求信号ＳＲを１サブフレームの長さで送信している間、Ａｃｋ／Ｎａｃｋ専用チャネルに割り当てられていたロングブロックＬＢ１〜ＬＢ６と２つのショートブロックＳＢのシンボルデータの変調及び送信を停止する（ＤＴＸする）。【００４５】
しかし、次のサブフレーム２においては、Ｓ―ＲＡＣＨによる上りスケジューリング要求信号ＳＲの送信はなく、ユーザデータなどの上りデータの送信もないため、Ａｃｋ／Ｎａｃｋ専用チャネルにより、サブフレーム２用のシンボルデータ（ＬＢ２−１〜ＬＢ２−６）が送信される。さらに、その次のサブフレーム（ＴＴＩ  Ｎｏ。２のサブフレーム1）では、別の移動端末ＵＥの上りスケジューリング要求信号ＳＲが発生し、移動端末ＵＥ１とは別の周波数帯域に存在する時間-周波数領域に、このＳＲ用のＳ―ＲＡＣＨが割り当てられる。
この場合、他の移動端末ＵＥのＳ―ＲＡＣＨが送信され、このサブフレーム期間中の、Ａｃｋ／Ｎａｃｋ専用チャネルの移動端末ＵＥ１からのＡｃｋ／Ｎａｃｋシンボルデータかつ／またはＣＱＩシンボルデータは送信される。Ｓ―ＲＡＣＨを用いた上りスケジューリング要求信号ＳＲの送信から上りデータ送信までのシーケンスを示したものが、図７、図８である。【００４６】
図７では、上りスケジューリング要求信号ＳＲ（ｐｒｅａｍｂｌｅ  ａｎｄ  ｍｅｓｓａｇｅ）を１回で送信する（ＳＴ７０１）場合のフローチャートを示している。
図８では、上りスケジューリング要求信号ＳＲをプレアンブル（ｐｒｅａｍｂｌｅ）とメッセージ（ｍｅｓｓａｇｅ）を時系列に２回に分けて送信する（ＳＴ８０１、８０３）場合のフローチャートを示している。
図７においては、移動端末は、プレアンブルとメッセージで上りスケジューリング要求を基地局に通知した後、基地局から、下りＬ１/Ｌ２制御信号による、上りデータ送信用の無線リソース割り当てやタイミングに関する情報「上りデータリソース割当て（Ｕｐｌｉｎｋ  Ｄａｔａ  Ｒｅｓｏｕｒｃｅ  Ａｌｌｏｃａｔｉｏｎ）」を受信する。
図８においては、移動端末はプレアンブルの送信後に「スケジューリングリクエストリソース割当て（ＳＲ  Ｒｅｓｏｕｒｅｃｅ  Ａｌｌｏｃａｔｉｏｎ）」を受信し、それにより割当てられたリソースによりスケジューリングリクエストのメッセージ部分を基地局に通知した後、基地局から、下りＬ１/Ｌ２制御信号による、上りデータ送信用の無線リソース割り当てやタイミングに関する情報（Ｕｐｌｉｎｋ  Ｄａｔａ  Ｒｅｓｏｕｒｃｅ  Ａｌｌｏｃａｔｉｏｎ）を受信する。【００４７】
そして、移動端末は、ＵＬ―ＳＣＨ（Ｕｐｌｉｎｋ  Ｓｈａｒｅｄ  ｃｈａｎｎｅｌ）を用いて上りデータ送信を開始する。この実施の形態１では、上りスケジューリング要求信号ＳＲの送信に１サブフレーム期間を割り当てる例を説明した。しかし、図７のように、長い送信期間でプレアンブルとメッセージを１度で送る場合と、図８のように短い送信期間で、２度に分けて送る場合があるため、上りスケジューリング要求信号ＳＲの送信区間の長さや頻度により、Ａｃｋ／Ｎａｃｋを送信できない区間の長さや、発生頻度が変わることはあり得る。
また、図５に示したサブフレーム内のロングブロックとショートブロックの構成は、あくまで１つの例であり、サブフレームの構成が変わっても、この発明の考え方を適用できる。【００４８】
ここで、上りスケジューリング要求信号ＳＲのプレアンブルとメッセージについて説明する。プレアンブルとは、例えば、端末を識別するための固有の識別情報である「ランダムＩＤ（ｒａｎｄｏｍ  ＩＤ（ＵＥ  ＩＤ））」が割り当てられると考えられる。また、メッセージとは、先の「ＵＥ  ＩＤ」のほか、上り送信データ量（ＵＥ内のバッファ状態）や上り送信データのＱｏＳ、端末の送信パワーマージンも考えられる。【００４９】
従来の通信方式（ＦＤＭＡ、ＴＤＭＡ、ＣＤＭＡ）においては、上りにおけるシンボルの送信停止（ＤＴＸ）は、移動端末の消費電力の低減や、移動端末の最高送信電力を基地局から指定された電力範囲内に抑え、システム全体の送信電力を一定内に抑える効果があったのに対し、本発明におけるシンボル送信停止（ＤＴＸ）方法を利用すれば、従来の通信方式でのＤＴＸとは異なり、上りにおいて、移動端末内のＰＡＰＲを低く抑えることができるのみならず、シングルキャリア伝送が可能であるため、マルチキャリア伝送方式と比べ、移動端末と基地局の双方において、変復調処理の実装規模を小さく出来、システム全体の処理負荷を低減できるという効果を有している。【００５０】
以上のように、実施の形態１を用いることにより、上りデータ送信を行っていない場合であって、下りデータを受信している場合に、Ａｃｋ／Ｎａｃｋとともに上りスケジューリング要求信号ＳＲを送信する必要が生じた移動端末が移動端末内のＰＡＰＲを増加させることなく、同時にそれらの送信を行うことが出来るという効果を得ることが出来る。【００５１】
一方、下りデータを受信していない場合にも、Ａｃｋ／Ｎａｃｋ専用チャネルが移動端末に割当てられるような移動体通信システムの場合が考えられる。
具体的には、下りデータが存在しない場合にも将来の下りスケジューリングのために、あるいは、基地局と移動端末間の同期を保つために、移動端末から下り通信路の品質の測定結果（ＣＱＩ）を通知する場合が考えられる。そのような場合においても、Ａｃｋ／Ｎａｃｋ専用チャネルを用いたＣＱＩの送信と上りスケジューリング要求信号ＳＲが同時に発生する場合が考えられる。そのような移動体通信システムにおいては、ＳＴ６０２の判断では、Ａｃｋ／Ｎａｃｋ専用チャネルの割当てがあるか否かで判断する方が良い。更に付け加えると、下りデータを受信していない場合にＡｃｋ／Ｎａｃｋ専用チャネルが移動端末に割当てられないような移動体通信システムであっても、この判断を用いることが可能である。【００５２】
実施の形態２．
上記実施の形態１では、Ａｃｋ／Ｎａｃｋ専用チャネルを用いてＡｃｋ／Ｎａｃｋ信号かつ／またはＣＱＩ信号を送信しているときに、Ｓ−ＲＡＣＨを用いて上りスケジューリング要求信号ＳＲを送信する場合、移動端末は、上りスケジューリング要求信号ＳＲを送信している間、Ａｃｋ／Ｎａｃｋ信号かつ／またはＣＱＩ信号の送信を停止していた。
上りスケジューリング要求信号を送信している間、Ａｃｋ／Ｎａｃｋ信号かつ／またはＣＱＩ信号の送信を停止することにより、２種類の帯域に割り当てた２つの物理チャネル（Ａｃｋ／Ｎａｃｋ専用チャネルとＳ−ＲＡＣＨ）のデータを同時に送信するマルチキャリア方式を使用せずに済むので、一時的な物理チャネルの増加による通信システムの無線リソース負荷の増加を防ぐとともに、低いＰＡＰＲを保証するシングルキャリア方式での送信を実現していた。
以下説明する実施の形態２では、Ａｃｋ／Ｎａｃｋシンボル送信停止（ＤＴＸ）を行った場合に、Ａｃｋ／Ｎａｃｋ専用チャネル上のシンボルの通信性能に悪影響を出にくくするための、Ａｃｋ／Ｎａｃｋ専用チャネルでのマッピング方法について説明する。【００５３】
実施の形態１においては、図５２を用いて、Ｓ−ＲＡＣＨを用いた上りスケジューリング要求信号ＳＲの送信から上りデータ送信までの処理を説明した。つまり、上りスケジューリング要求信号ＳＲ（ｐｒｅａｍｂｌｅ  ｏｒ／ａｎｄ  ｍｅｓｓａｇｅ）の送信には、図７のようにプレアンブルとメッセージをまとめて１度に送るため、長い送信期間が必要となるものと、図８のように、プレアンブルとメッセージをそれぞれ分けて送るため、それぞれの送信期間が短くなるものがある。
上りスケジューリング要求信号ＳＲの送信期間が長くなる場合は、Ａｃｋ／Ｎａｃｋかつ／またはＣＱＩを送信できない（ＡＣＫ／ＮＡＣＫシンボルかつ／またはＣＱＩシンボルのＤＴＸ）期間が長くなり、上りスケジューリング要求信号ＳＲの送信期間が短くなる場合は、Ａｃｋ／Ｎａｃｋかつ／またはＣＱＩを送信できない期間は短くなる。それぞれの場合において、上りスケジューリング要求信号ＳＲを送信している期間のＡｃｋ／Ｎａｃｋシンボル情報かつ／またはＣＱＩシンボル情報の送信誤りによる通信品質の低下を防ぐための方法について、以下に説明する。【００５４】
まず、図７の処理の場合について説明する。図７に示す上りスケジューリング要求信号ＳＲの送信は、プレアンブルとメッセージをまとめて一度に送信するので、Ａｃｋ／Ｎａｃｋかつ／またはＣＱＩを送信できない期間が長くなり、図５のように、１サブフレーム程度の期間になるとする。この期間中に発生し得るＡｃｋ／Ｎａｃｋシンボル情報かつ／またはＣＱＩシンボル情報の送信誤りによる通信品質の低下を防ぐため、この実施の形態２では、Ａｃｋ／Ｎａｃｋ専用チャネルで送るシンボルのパターンを、１サブフレーム長のパターンを２回繰り返し、１送信時間区間（ＴＴＩ）単位で更新されるようにマッピングすることとした。
また、通信品質を確保するため、１サブフレーム長のシンボルパターンでは、重要な情報（上位ビット）を優先して繰り返し数を多くするようなシンボルの組み合わせにする。Ａｃｋ／Ｎａｃｋ専用チャネルで送信するシンボル情報の具体的なマッピング例を説明したものが、図９と図１０である。【００５５】
図９はＡｃｋ／Ｎａｃｋ専用チャネルで送信するＡｃｋ／Ｎａｃｋシンボルのマッピング例を説明した説明図である。図９はこれまでに、３ＧＰＰ（３ｒｄ  Ｇｅｎｅｒａｔｉｏｎ  Ｐａｒｔｎｅｒｓｈｉｐ  Ｐｒｏｊｅｃｔ）で提案されてきたＡｃｋ／Ｎａｃｋ専用チャネルへのシンボルマッピング例を示したものである（例えば、非特許文献２を参照）。
Ａｃｋ／Ｎａｃｋシンボルのみの場合（図９（ａ））、ＣＱＩシンボルのみの場合（図９（ｂ））、ＣＱＩシンボルとＡｃｋ／Ｎａｃｋシンボルをそれぞれ多重してロングブロックＬＢにマッピングした場合（図９（ｃ））について、それぞれ、送信時間区間長（ＴＴＩ）でシンボルマッピング構成が示されている。【００５６】
この実施の形態２で提案するシンボルパターンは、Ａｃｋ／Ｎａｃｋかつ／またはＣＱＩが長期間（＝１サブフレーム）送信できない場合においても、１ＴＴＩ内で、１サブフレーム長のシンボルパターンを２回繰り返すことにより、Ａｃｋ／Ｎａｃｋかつ／またはＣＱＩの送信誤りを防ぎ、通信品質を向上させることを目的としている。
図９に記載のシンボルパターンは、ＣＱＩシンボルの場合、１サブフレームＡがＣＱＩ１、ＣＱＩ２、ＣＱＩ３、ＣＱＩ４、ＣＱＩ５、ＣＱＩ１とマッピングされているのに対し、１サブフレームＢでは、ＣＱＩ２、ＣＱＩ３、ＣＱＩ４、ＣＱＩ１、ＣＱＩ２、ＣＱＩ１とマッピングされており、同一のシンボルパターンで配列されていない。
よって、例えば１サブフレームＡがＤＴＸされた場合は、１ＴＴＩ中でＣＱＩ５は一度（１つのＬＢ）も送信されないことになる。ＣＱＩとＡｃｋ／Ｎａｃｋが時系列に多重されるシンボルパターンもまた、１サブフレームＡと１サブフレームＢで同一のシンボルパターンで配列されていない。【００５７】
本発明で提案するＣＱＩシンボルのマッピング案とＣＱＩとＡｃｋ／Ｎａｃｋの多重マッピング案をしめしたものが、図１０である。
まず、図１０（ａ）のＣＱＩシンボルマッピング例では、１ＴＴＩ内の１サブフレーム目（１  ｓｕｂ−ｆｒａｍｅ  Ａ）と２サブフレーム目（１  ｓｕｂ−ｆｒａｍｅ  Ｂ）で同じシンボルマッピングパターンを繰り返す構成になっている。また、サブフレーム長のシンボルマッピングは、優先順位の高いシンボル（ＣＱＩの上位の桁を示すシンボル：本例ではＣＱＩ１）を数多く繰り返すようにしている。
さらに、図１０（ｂ）のＣＱＩとＡｃｋ／Ｎａｃｋの多重マッピング例でも、１ＴＴＩ内の１サブフレーム目（１  ｓｕｂ−ｆｒａｍｅ  Ａ）と２サブフレーム目（１  ｓｕｂ−ｆｒａｍｅ  Ｂ）で同じシンボルマッピングパターンを繰り返し、サブフレーム長のシンボルマッピングは、優先順位の高いシンボル（Ａｃｋ／Ｎａｃｋなど）を、ショートブロックＳＢの周辺に配置するようにしている。【００５８】
この実施の形態２においては、優先順位の高いシンボルとして、Ａｃｋ／ＮａｃｋとＣＱＩの上位ビット（ＣＱＩ１が最上位ビット）を考えている。Ａｃｋ／Ｎａｃｋは下りデータの受信結果であり、このビットが基地局側でうまく受信できないと、該当するパケットデータの再送が発生してしまうという問題が起こるため、シンボル配置において優先順位を高くする必要がある。下りデータの受信状態を示すＣＱＩビットも、上位のビットは、送信誤り等に対応できるよう、優先的に配置する必要がある。【００５９】
このように、上りスケジューリング要求信号ＳＲを送信している間、Ａｃｋ／Ｎａｃｋ情報が送信されないリスクや、シンボルの重要度を考慮したシンボルマッピング方法でのマッピングパターンは、この実施の形態２に説明した図１０のパターンに限る必要はない。
シンボルマッピングについては、図１０に示す通りでなくても、この実施の形態２を実現することが出来る。よって、シンボルマッピングについての考え方について以下に述べる。
（１）優先順位の高いシンボルを数多く繰り返す。（２）優先順位の高いシンボルを、ショートブロックＳＢの周辺に配置するようにしている。
通常、Ａｃｋ／ＮａｃｋやＣＱＩの上位ビット（ＣＱＩ１が最上位ビット）は優先順位が高いシンボルである。【００６０】
Ａｃｋ／Ｎａｃｋは下りデータの受信結果であり、このシンボルが基地局側でうまく受信できないと、該当するパケットデータの再送が発生し、結果として下りデータのスループットが落ちてしまうという問題が起こるため、シンボル配置において優先順位を高くする必要がある。
下りデータの受信状態を示すＣＱＩビットも、上位のビットは、送信誤りが発生した場合、移動端末で測定した下り通信路品質と基地局が受信した下り通信路品質の誤差が大きくなり、基地局による適切なスケジューリンが不可能となり、結果として移動体通信システム全体の下りスループットの低下につながる。そのため、下りデータの受信状態を示すＣＱＩビットも、上位のビットは、シンボル配置において優先順位を高くする必要がある。【００６１】
Ａｃｋ／ＮａｃｋとＣＱＩの優先順位は、それぞれの信号の所望の誤り率に従う。
繰り返し（ｒｅｐｅｔｉｔｉｏｎ）数を多くすることは、基地局での受信電力を増加させることが出来るので、繰り返し（ｒｅｐｅｔｉｔｉｏｎ）数が多いシンボル程誤りにくくなる。
ショートブロックは、受信復調の際に位相補償として用いることが考えられているので、ショートブロックと該当シンボルとの送信時間差が少ない程、正確に位相補償されるので、ショートブロックの周辺に配置されたシンボル程誤りにくくなる。
また、Ａｃｋ／Ｎａｃｋ情報（Ａｃｋ／Ｎａｃｋ、ＣＱＩ）のシンボルマッピングは、あらかじめ決められたいくつかのパターンが存在し、その中から移動局が選択してもよいし、基地局からパターンを指定されてもよいし、また、動的に割り当てられてもよい。上記説明のように、Ｓ−ＲＡＣＨを用いた上りスケジューリング要求信号ＳＲの送信により、一時的にＡｃｋ／Ｎａｃｋ専用チャネルによるＡｃｋ／Ｎａｃｋシンボルかつ／またはＣＱＩシンボルを長期間（＝１サブフレーム）送信できない場合に、Ａｃｋ／Ｎａｃｋ専用チャネルの情報シンボルの送信誤りを防ぎ、高い通信品質を維持することができる。【００６２】
次に、図８のシーケンスのように、１回の上りスケジューリング要求信号ＳＲの送信期間が十分短い場合について説明する。
図６のＳＴ６０５において、図８で示すフローチャートのように、上りスケジューリング要求信号ＳＲを送信する際に、プレアンブルとメッセージを分けて送信したり、プレアンブルと小サイズのメッセージを一緒に送信する場合、上りスケジューリング要求信号ＳＲの送信に要する期間は短くなる。したがって、上りスケジューリング要求信号ＳＲの送信中に送信が停止されるＡｃｋ／Ｎａｃｋ専用チャネルにおけるＡｃｋ／Ｎａｃｋシンボルかつ／またはＣＱＩシンボルの送信停止期間も短くなる。
このような場合において、上りスケジューリング要求信号ＳＲの送信に用いるＳ−ＲＡＣＨと、Ａｃｋ／Ｎａｃｋ専用チャネルが、時間−周波数でどのように割り当てられているかの１例を示したものが、図１１である。【００６３】
図８のシーケンス図における上りスケジューリング要求信号ＳＲの情報量は十分に短いため、図１１において、移動端末ＵＥ１のＳ−ＲＡＣＨが時間―周波数に割り当てられる領域は、１つの時間−周波数単位領域の中の、先頭のデータシンボルブロック分だけとなっている。これと同タイミングで送信されるＡｃｋ／ＮａｃｋシンボルあるいはＣＱＩシンボルは、Ａｃｋ／Ｎａｃｋ専用チャネルのロングブロックＬＢ１のシンボルである。移動端末ＵＥ１のＳ−ＲＡＣＨによる上りスケジューリング要求信号ＳＲが送信されている間、ロングブロックＬＢ１のブロックのＡｃｋ／Ｎａｃｋ情報シンボルあるいはＣＱＩシンボルは送信されない。【００６４】
図１２は、Ａｃｋ／Ｎａｃｋ専用チャネルで送信するＡｃｋ／Ｎａｃｋシンボル、ＣＱＩシンボルのマッピング例を説明した説明図である。
図１０と異なり、図１２では、１ＴＴＩ内の１サブフレーム目（１  ｓｕｂ−ｆｒａｍｅ  Ａ）と２サブフレーム目（１  ｓｕｂ−ｆｒａｍｅ  Ｂ）で異なるシンボルをマッピングし、ＴＴＩ内で、優先順位の高いＡｃｋ／Ｎａｃｋまたは上位のＣＱＩビットを数多く配置するようにしている。
図１２（ａ）に示すように、ＣＱＩシンボルのみの場合、上りスケジューリング要求信号ＳＲの送信が発生した場合、送信されなくなる可能性のあるロングブロックＬＢの位置に（例えばＬＢ１）、優先度の高いシンボルＣＱＩ１を割り当てるとともに、次のロングブロックＬＢ２にも同じＣＱＩ１を割当てている。
これにより、上りスケジューリング要求信号ＳＲの送信が発生した場合であっても、最も重要なシンボルＣＱＩ１を２つ目のロングブロックＬＢ２で送信することができ、かつ、上りスケジューリング要求信号ＳＲの送信が発生しない場合でも、最も重要なシンボルＣＱＩ１を４回送信することにより、通信誤り時の品質劣化を防ぐことができる。【００６５】
また、図１２（ｂ）に示すように、ＣＱＩシンボルとＡｃｋ／Ｎａｃｋシンボルを多重してマッピングする場合、上りスケジューリング要求信号ＳＲの送信が発生した場合、送信されなくなる可能性のあるＬＢの位置に（ＬＢ１）、優先順位の低いシンボルＣＱＩ５を割り当てることにより、上りスケジューリング要求信号ＳＲの送信が発生して、ＣＱＩ５シンボルが送信できなかった場合でも、他の優先順位の高いシンボルは繰り返し数を減ずることなく送ることが可能であるので、通信品質を維持することができる。【００６６】
なお、シンボルの重要度に応じたシンボルマッピング方法でのマッピングパターンは、この実施の形態２に説明したパターンに限る必要はない。シンボルマッピングの考え方は、既に説明したため省略する。また、Ａｃｋ／Ｎａｃｋ情報（Ａｃｋ／Ｎａｃｋ、ＣＱＩ）のシンボルマッピングは、あらかじめ決められたいくつかのパターンから移動端末ないし基地局が選択してもよいし、動的に割り当てられてもよい。【００６７】
また、図１１にあるように、移動端末ＵＥ１のＳ−ＲＡＣＨが時間−周波数に割り当てられる領域が、一部の時間のデータシンボルブロック分だけとなっている場合として、図８のフローチャートのようにＳ-ＲＡＣＨで送信する情報が十分小さい場合のみならず、図７のフローチャートのように、上りスケジューリング要求信号ＳＲの情報量が多い場合も考えられる。
この場合は、Ｓ−ＲＡＣＨを周波数方向に帯域を広げた時間―周波数領域に割り当てて送信することにより、少ない時間で送ることができる。具体的には、図１１の割り当て時と比べ、上りスケジューリング要求信号ＳＲの送信に、周波数方向に広い時間―周波数領域を割り当てる、もしくは、周波数方向に連続した、複数の時間-周波数単位領域を割り当てることになる。【００６８】
実施の形態１及び実施の形態２では、Ａｃｋ／Ｎａｃｋ専用チャネルにおいて移動端末毎にＡｃｋ／Ｎａｃｋ情報がＣＤＭ多重されていることを前提としたが、複数の移動端末のＡｃｋ／Ｎａｃｋ情報をＴＤＭ多重やＦＤＭ多重する方法もあり、そのような場合においても、上記実施の形態１で説明した発明を適用することは可能である。
以上のようにすれば、Ｓ−ＲＡＣＨにて上り送信要求信号ＳＲのシンボルを割り当てた時間―周波数領域と同じタイミングに割り当てた上りＡｃｋ／Ｎａｃｋシンボルかつ／またはＣＱＩシンボルが、上りスケジューリング要求信号ＳＲ送信期間中、変調・送信できない場合（ＤＴＸ）においても、無線リソースを効果的に利用し、かつ、上りの通信品質を維持、あるいは、劣化を最小限に抑えることが出来るという効果を得ることができる。【００６９】
実施の形態３．
上記実施の形態１では、Ｓ−ＲＡＣＨを用いて上りスケジューリング要求信号を送信している間、Ａｃｋ／Ｎａｃｋ専用チャネルを用いたＡｃｋ／Ｎａｃｋ信号かつ／またはＣＱＩ信号の送信を停止することにより、２種類の帯域に割り当てた２つの物理チャネル（Ａｃｋ／Ｎａｃｋ専用チャネルとＳ−ＲＡＣＨ）のデータを同時に送信するマルチキャリア方式を使用しないことにより、一時的な物理チャネルの増加による通信システムの無線リソース負荷の増加を防ぐとともに、低いＰＡＰＲを保証するシングルキャリア方式での送信を実現していた。
以下、この実施の形態３では、Ａｃｋ／Ｎａｃｋかつ／またはＣＱＩと上りスケジューリング要求信号ＳＲを同じ物理チャネルを用いて送信することにより、より広いカバレッジと低いＰＡＰＲ（ピーク対平均電力比）を実現するＳＣ―ＦＤＭＡ方式で送信を実現する方法について説明する。【００７０】
この実施の形態３では、移動端末が、上りスケジューリング要求信号ＳＲをＳ−ＲＡＣＨではなく、Ａｃｋ／Ｎａｃｋ専用チャネルにマッピングして、送信を行うものである。上りスケジューリング要求信号ＳＲをＡｃｋ／Ｎａｃｋ専用チャネルで送信することにより、一時的な物理チャネルの増加による通信システムの無線リソース負荷の増加を防ぐとともに、低いＰＡＰＲを保証するシングルキャリア方式での送信を実現できる。これにより、ある移動端末で一時的に送信すべき制御信号（Ｌ１／Ｌ２  ｃｏｎｔｒｏｌ  ｓｉｇｎａｌｉｎｇ）が増えた場合にも、システムの無線リソース負荷の増加を防ぐとともに、低いＰＡＰＲと、高い通信品質を保証するシングルキャリア方式での送信を実現できる。【００７１】
ここで、Ａｃｋ／ＮａｃＫ専用チャネルはあらかじめ無線リソースがスケジュールされたスケジュールドチャネルである。前述したように、非特許文献４において、同期ランダムアクセスＳＲＡをスケジュールドチャネルに割当てることが検討されていることは述べた。しかし、非特許文献４では、スケジュールドチャネルとして、どのようなチャネルを用いるか、また、物理的リソースとして時間−周波数領域をどのように割当てるかについて、何も記載されていないため、Ａｃｋ／Ｎａｃｋ専用チャネルとは別の時間−周波数領域にスケジューリングリクエストＳＲ専用の１ｂｉｔの物理リソースを割当てたチャネルを設けた場合は、上りＡｃｋ／Ｎａｃｋかつ／またはＣＱＩと上りＳＲを同時に送信しなければならない状況が生じてしまい、それぞれの信号が時間的に同時に送信されてしまう。この場合、シングルキャリア伝送とはならず、マルチキャリア伝送となってしまうためＰＡＰＲが高くなってしまうという問題が生じる。【００７２】
このような問題を解決するため、この実施の形態３では、移動端末が、上りスケジューリング要求信号ＳＲを、Ａｃｋ／Ｎａｃｋ、ＣＱＩとともに、Ａｃｋ／Ｎａｃｋ専用チャネルにマッピングして、送信を行うものである。
移動端末のシングルキャリア伝送の要請を満たすために重要なことは、上りリンクの時間同期が取れている状態であって、上りデータの送信を行っていない移動端末において、同時に送信する必要が発生する可能性のある信号である「Ａｃｋ／Ｎａｃｋ」「ＣＱＩ」「上りスケジューリング要求信号ＳＲ」の全てをＡｃｋ／Ｎａｃｋ専用チャネルを用いて送信する点にある。上りスケジューリング要求信号ＳＲをＡｃｋ／Ｎａｃｋ、ＣＱＩとともに、Ａｃｋ／Ｎａｃｋ専用チャネルで送信することにより、一時的な物理チャネルの増加による通信システムの無線リソース負荷の増加を防ぐとともに、低いＰＡＰＲを保証するシングルキャリア方式での送信を実現できる。
これにより、ある移動端末で一時的に送信すべき制御信号（Ｌ１／Ｌ２  ｃｏｎｔｒｏｌ  ｓｉｇｎａｌｉｎｇ）が増えた場合にも、システムの無線リソース負荷の増加を防ぐとともに、低いＰＡＰＲと、高い通信品質を保証するシングルキャリア方式での送信を実現できる。【００７３】
図１３は、上りスケジューリング要求信号を送信するまでの移動端末における処理を説明するフローチャートである。図１４は、Ａｃｋ／Ｎａｃｋ専用チャネルで送信する上りスケジューリング要求信号のマッピング例を説明した説明図である。
以下、図１３を用いて、この発明の実施の形態３に係る移動端末の動作を説明する。なお、図１３において、図６と同一の符号は同一または相当部分を示すので説明は省略する。【００７４】
移動端末は、上り送信を行わず、下りデータを受信すると同時に、上りにて、受信データに対するＡｃｋ／Ｎａｃｋかつ／またはＣＱＩを専用物理チャネルで送信している。
Ａｃｋ／Ｎａｃｋ専用チャネルでは、移動端末をＣＤＭ、ＦＤＭ、ＴＤＭのいずれかの方法で多重されている。移動端末において、上りデータ送信要求が発生する（ＳＴ６０１）と、ＳＴ６０２において、下りデータの受信状況が確認される。
この実施の形態３では、下りデータを受信しているため、ＳＴ１３０１へ進み、Ａｃｋ／Ｎａｃｋ専用チャネルを用いて、Ａｃｋ／Ｎａｃｋ情報とともに、上りスケジューリング要求信号ＳＲ（ｐｒｅａｍｂｌｅ相当のみ、あるいは、ｐｒｅａｍｂｌｅとｍｅｓｓａｇｅ相当部分）を送信する。【００７５】
ＳＴ１３０１における、上りスケジューリング要求信号ＳＲの送信から上りデータ送信までのシーケンスを示したものが、図８である。１回の上りスケジューリング要求信号ＳＲの情報サイズが小さく、送信期間が短い場合、上りスケジューリング要求信号ＳＲをＡｃｋ／Ｎａｃｋ専用チャネルで送信することは、無線リソース利用の効率化、及びＡｃｋ／Ｎａｃｋや上りスケジューリング要求信号ＳＲのようなサイズの小さいＬ１／Ｌ２制御信号送信（Ｌ１／Ｌ２  ｃｏｎｔｒｏｌ  ｓｉｇｎａｌｉｎｇ）の通信品質を確保するという２つの側面において非常に有効である。【００７６】
Ａｃｋ／Ｎａｃｋ専用チャネルにおける１サブフレーム長の時間―周波数領域は、６つのロングブロックＬＢと言われるデータシンボルブロックと、ショートブロックＳＢといわれる物理チャネル同期用シンボルブロックから構成される。
この実施の形態３においては、上りスケジューリング要求信号ＳＲとＡｃｋ／Ｎａｃｋ情報かつ／またはＣＱＩ情報とを１ＴＴＩ（＝２サブフレーム）分の時間―周波数領域内で、あらかじめ決めた位置関係で多重した際のシンボルマッピングの一例を示している。【００７７】
図１４は、ＣＱＩとＡｃｋ／Ｎａｃｋ情報が多重されている場合において、これに上りスケジューリング要求信号ＳＲを更に割り当てる時のシンボルマッピング例である。ここでは、Ａｃｋ／Ｎａｃｋ、ＣＱＩ、上りスケジューリング要求信号ＳＲを多重し、１ＴＴＩ単位でマッピング、更新するものとする。【００７８】
まず、上りスケジューリング要求（ＵＬ  ｓｃｈｅｄｕｌｉｎｇ  ｒｅｑｕｅｓｔ）は送信時間区間（ＴＴＩ）長（＝２サブフレーム長）の時間―周波数領域で、先頭のシンボルブロック（ＬＢ１）にマッピングされる。上りスケジューリング要求信号ＳＲがマッピングされて送信されるのは、最速で１回／２サブフレームである。ＳＲシンボルの内容は１ビット長でリクエスト有／リクエスト無の情報となる。
シンボルマッピングについては、図１４に示す通りでなくても、この実施の形態３を実現することが出来る。よって、シンボルマッピングについての考え方について以下に述べる。【００７９】
（１）優先順位の高いシンボルを数多く繰り返す。（２）優先順位の高いシンボルを、ショートブロックＳＢの周辺に配置するようにしている。
通常、Ａｃｋ／ＮａｃｋやＣＱＩの上位ビット（ＣＱＩ１が最上位ビット）、上りスケジューリング要求信号ＳＲは優先順位の高いシンボルである。
Ａｃｋ／Ｎａｃｋは下りデータの受信結果であり、このシンボルが基地局側でうまく受信できないと、該当するパケットデータの再送が発生し、結果として下りデータのスループットが落ちてしまうという問題が起こるため、シンボル配置において優先順位を高くする必要がある。
下りデータの受信状態を示すＣＱＩビットも、上位のビットは、送信誤りが発生した場合、移動端末で測定した下り通信路品質と基地局が受信した下り通信路品質の誤差が大きくなり、基地局による適切なスケジューリンが不可能となり、結果として移動体通信システム全体の下りスループットの低下につながる。そのため、下りデータの受信状態を示すＣＱＩビットも、上位のビットは、シンボル配置において優先順位を高くする必要がある。【００８０】
また、上りスケジューリング要求信号ＳＲが基地局側で誤って受信された場合を考える。移動端末が上りスケジューリング要求ＳＲ「無し」であるにも関わらず、基地局側で「有り」と誤受信した場合、不要な上りリソースを移動端末に対して割当てることとなり、無線リソースの無駄となる。
一方、移動端末が上りスケジューリング要求ＳＲ「有り」であるにも関わらず、基地局側で「無し」と誤受信した場合、上りスケジューリング要求ＳＲの再送が必要となり、結果として上りスループットが低下するという問題が発生する。
Ａｃｋ／ＮａｃｋとＣＱＩと上りスケジューリング要求信号ＳＲの優先順位は、誤り率に従う。【００８１】
繰り返し（ｒｅｐｅｔｉｔｉｏｎ）数を多くすることは、基地局での受信電力を増加させることが出来るので、繰り返し（ｒｅｐｅｔｉｔｉｏｎ）数が多いシンボル程誤りにくくなる。
ショートブロックは、受信の復調の際に位相補償として用いることが考えられているので、ショートブロックと該当シンボルとの送信時間差が少ない程、正確に位相補償されるので、ショートブロックの周辺に配置されたシンボル程誤りにくくなる。【００８２】
ここまでのシンボルマッピングの考え方は、Ａｃｋ／Ｎａｃｋ専用チャネル内にてＣＱＩとＡｃｋ／ＮａｃｋがＴＤＭにより多重されている場合を示しているが、別の方法で多重されている場合であっても、上りスケジューリング要求信号ＳＲをマッピングする方法として、上記シンボルマッピングの考え方は適用可能である。
また、上りスケジューリング要求信号ＳＲについては、「リクエスト有り＝（‘１’）、「リクエスト無し＝（‘０’）」として記しているが、この限りではなく、例えば「リクエスト有り＝（‘０’）、「リクエスト無し＝（‘１’）」と反対でも良い。更に言えば、リクエストの有無を示すことが出来れば良い。
このビットの値設定については、次のような２つの設定例が考えられる。【００８３】
第一の設定例は、上りスケジューリング要求信号ＳＲがない場合は、常に０を送信する。一方、図８のフローチャートにおいて移動端末が上りスケジューリング要求信号ＳＲを送信する場合は、「リクエスト有り（＝‘１’）」を送信し、次の送信時間区間（ＴＴＩ）で０を送信するものである。
受信エラーがなければ、基地局から移動局に送信しているはずの“上りデータリソース割当て（Ｕｐｌｉｎｋ  Ｄａｔａ  Ｒｅｓｏｕｒｃｅ  Ａｌｌｏｃａｔｉｏｎ）”が届かない場合、移動端末は基地局側で受信エラーが発生したと判断し、再度上りスケジューリング要求信号ＳＲ「リクエスト有り＝（‘１’）」を送信する。【００８４】
第一の設定例を図２８、図２９及び図３０を用いて更に詳しく説明する。
図２８はシーケンス図であり、図２９は移動端末内の処理フロー図である。図３０は基地局内の処理フロー図である。
図２８において、時間Ｔは、基地局による上りリソース割当てを受けるまでの期限（上限値）を示し、移動端末において時間Ｔを実現するためにはタイマーなどが用いられる。
図２９を中心に第一の設定例の動作について説明する。【００８５】
まず、基地局における上りスケジューリング要求信号ＳＲの受信エラーが発生しない場合について説明する。シーケンス図としては、図２８の（ｉ）が受信エラーが発生しない場合を示している。
ＳＴ２９０１にて上りデータ送信の要求が発生したか否かを判断する。要求が発生した場合、ＳＴ２９０２へ進む。発生しなかった場合は、ＳＴ２９０１の判断へ戻る。
ＳＴ２９０２にてＡｃｋ／Ｎａｃｋ専用チャネルにおいて上りスケジューリングリクエスト有り（図１４においては、ＬＢ１に割当てられているＵＬ  Ｓｃｈｅｄｕｌｉｎｇ  ｒｅｑｕｅｓｔ＝「１」）とする。
ＳＴ２９０３にて上りスケジューリング「有」をＡｃｋ／Ｎａｃｋ専用チャネルにて送信する。図２８ではＳＴ２８０１に相当する。【００８６】
上りスケジューリング「有」をＡｃｋ／Ｎａｃｋ専用チャネルにて送信後、ＳＴ２９０４にてＡｃｋ／Ｎａｃｋ専用チャネルにおいて上りスケジューリングリクエスト無し（図１４においては、ＬＢ１に割当てられているＵＬ  Ｓｃｈｅｄｕｌｉｎｇ  ｒｅｑｕｅｓｔ＝「０」）とする。
ＳＴ２９０５にて基地局からの上りデータリソース割当て「Ｕｐｌｉｎｋ  Ｄａｔａ  Ｒｅｓｏｕｒｃｅ  Ａｌｌｏｃａｔｉｏｎ」を受信したか否かを判断する。つまり基地局からの上り送信割当てがあったか否かを判断する。
ＳＴ２９０５にて受信有りの場合は、ＳＴ２９０６へ進む。図２８ではＳＴ２８０４に相当する。ＳＴ２９０６では基地局からの割当てに応じて、上りデータを送信する。
一方、ＳＴ２９０５にて受信無しの場合は、ＳＴ２９０７へ進む。ＳＴ２９０７では、基地局からの「Ｕｐｌｉｎｋ  Ｄａｔａ  Ｒｅｓｏｕｒｃｅ  Ａｌｌｏｃａｔｉｏｎ」を受けるまでの期限を越えているか否かを判断する。つまり移動端末が上りスケジューリング要求信号ＳＲ「有り」を送信してからの時間が図２８に示す時間Ｔを越えているか否かを判断する。【００８７】
ＳＴ２９０５にて時間Ｔを越えていない場合は、ＳＴ２９０８へ進む。ＳＴ２９０８では、上りスケジューリング「無」をＡｃｋ／Ｎａｃｋ専用チャネルにて送信する（図１４においては、ＬＢ１に割当てられているＵＬ  Ｓｃｈｅｄｕｌｉｎｇ  ｒｅｑｕｅｓｔ＝「０」）。
ＳＴ２９０８にて上りスケジューリング「無」をＡｃｋ／Ｎａｃｋ専用チャネルにて送信後、ＳＴ２９０５の判断に戻る。図２８ではＳＴ２８０２、ＳＴ２８０３に相当する。【００８８】
次に基地局における上りスケジューリング要求信号ＳＲの受信エラーが発生した場合について説明する。シーケンス図としては図２８の（ｉｉ）が受信エラーが発生した場合を示している。
ＳＴ２９０１〜ＳＴ２９０６の説明は上記受信エラーが発生しない場合と同様であるため省略する。
ＳＴ２９０７では、上記受信エラーが発生していない場合と同様に、基地局からの「Ｕｐｌｉｎｋ  Ｄａｔａ  Ｒｅｓｏｕｒｃｅ  Ａｌｌｏｃａｔｉｏｎ」を受けるまでの期限を越えているか否かを判断する。つまり移動端末が上りスケジューリング要求信号ＳＲ「有り」を送信してからの時間が図２８に示す時間Ｔを越えているか否かを判断する。【００８９】
ここで図２８の（ｉｉ）で示すように、ＳＴ２８０７においてＡｃｋ／Ｎａｃｋ専用チャネルに割当てられている上りスケジューリングリクエストの有無を示す情報について受信エラーが発生している。よって、本来、基地局からの「Ｕｐｌｉｎｋ  Ｄａｔａ  Ｒｅｓｏｕｒｃｅ  Ａｌｌｏｃａｔｉｏｎ」を受信するべきタイミング（図２８の（ｉｉ）の時間「‘ｔ’」）にて基地局からの上り送信割当ては行われない。よって、ＳＴ２９０７では図２８のＳＴ２８１１において、上りスケジューリング要求信号ＳＲ「有り」を送信してからの時間が時間Ｔを越えると判断する。
その場合、ＳＴ２９０２に戻ることによって、Ａｃｋ／Ｎａｃｋ専用チャネルにおいて上りスケジューリングリクエスト有り（図１４においては、ＬＢ１に割当てられているＵＬ  Ｓｃｈｅｄｕｌｉｎｇ  ｒｅｑｕｅｓｔ＝「１」）とし、上りスケジューリング要求信号ＳＲの再送を行う（ＳＴ２９０３）。図２８ではＳＴ２８１１に相当する。【００９０】
次に、第一の設定例における基地局側の処理フローについて、図３０を用いて説明する。
ＳＴ３００１にてＡｃｋ／Ｎａｃｋ専用チャネルに割当てられている上りスケジューリングリクエストの有無を示す情報が「有り」を示すか否か判断する。「無し」を示す場合には、ＳＴ３００１の判断に戻る。
ＳＴ３００１にて「有り」と判断した場合には、ＳＴ３００２にて当該Ａｃｋ／Ｎａｃｋ専用チャネルにて上りスケジューリングリクエストを送信してきた移動端末に対する上りスケジューリング処理を行う。図２８ではＳＴ２８０１、あるいは、ＳＴ２８１１に相当する。
その結果をＳＴ３００３にて該当移動端末に対して上り送信割当てを行うために「Ｕｐｌｉｎｋ  Ｄａｔａ  Ｒｅｓｏｕｒｃｅ  Ａｌｌｏｃａｔｉｏｎ」として送信する。図２８ではＳＴ２８０４、あるいは、ＳＴ２８１４に相当する。【００９１】
また、第二の設定例は、上りスケジューリング要求信号ＳＲがない場合は、第一の設定例と同様に、常に０を送信する。一方、図８のフローチャートにおいて、移動端末が上りスケジューリング要求信号ＳＲを送信する場合は、“Ｕｐｌｉｎｋ  Ｄａｔａ  Ｒｅｓｏｕｒｃｅ  Ａｌｌｏｃａｔｉｏｎ”が基地局から送信されるまで、「リクエスト有り（＝‘１’）」の送信を続け、“Ｕｐｌｉｎｋ  Ｄａｔａ  Ｒｅｓｏｕｒｃｅ  Ａｌｌｏｃａｔｉｏｎ”受信後、「リクエストなし（＝‘０’）を送信するものである。【００９２】
第二の設定例を図３１、図３２及び図３３を用いて、更に詳しく説明する。
図３１はシーケンス図であり、図３２は移動端末内の処理フロー図である。図３３は基地局内の処理フロー図である。
図３２を中心に第二の設定例の動作について説明する。
まず、基地局における上りスケジューリング要求信号ＳＲの受信エラーが発生しない場合について説明する。シーケンス図としては図３１の（ｉ）が受信エラーが発生しない場合を示している。【００９３】
ＳＴ３２０１にて上りデータ送信の要求が発生したか否かを判断する。要求が発生した場合、ＳＴ３２０２へ進む。発生しなかった場合は、ＳＴ３２０１の判断へ戻る。
ＳＴ３２０２にてＡｃｋ／Ｎａｃｋ専用チャネルにおいて上りスケジューリングリクエスト有り（図１４においては、ＬＢ１に割当てられているＵＬ  Ｓｃｈｅｄｕｌｉｎｇ  ｒｅｑｕｅｓｔ＝「１」）とする。
ＳＴ３２０３では、上りスケジューリングリクエストをＡｃｋ／Ｎａｃｋ専用チャネルにて送信を行う。図３１ではＳＴ３１０１に相当する。【００９４】
ＳＴ３２０４にて基地局からの「上りデータリソース割当て（Ｕｐｌｉｎｋ  Ｄａｔａ  Ｒｅｓｏｕｒｃｅ  Ａｌｌｏｃａｔｉｏｎ）」を受信したか否かを判断する。つまり基地局からの上り送信割当てがあったか否かを判断する。
ＳＴ３２０４にて受信有りの場合は、ＳＴ３２０５へ進む。受信無しの場合は、ＳＴ３２０２へ戻る。図３１ではＳＴ３１０４に相当する。
ＳＴ３２０５ではＡｃｋ／Ｎａｃｋ専用チャネルにおいて上りスケジューリングリクエスト無し（図１４においては、ＬＢ１に割当てられているＵＬ  Ｓｃｈｅｄｕｌｉｎｇ  ｒｅｑｕｅｓｔ＝「０」）とする。図３１ではＳＴ３１０５に相当する。
ＳＴ３２０６では基地局からの割当てに応じて、上りデータを送信する。【００９５】
次に基地局における上りスケジューリング要求信号ＳＲの受信エラーが発生した場合について説明する。シーケンス図としては、図３１の（ｉｉ）が受信エラーが発生した場合を示している。
移動端末としての処理フローは、上記受信エラーが発生しない場合と同様であるため省略する。
図３１の（ｉｉ）について説明する。
ＳＴ３１０７においてＡｃｋ／Ｎａｃｋ専用チャネルに割当てられている上りスケジューリングリクエストの有無を示す情報について受信エラーが発生している。よって、本来、基地局からの「Ｕｐｌｉｎｋ  Ｄａｔａ  Ｒｅｓｏｕｒｃｅ  Ａｌｌｏｃａｔｉｏｎ」を受信するべきタイミング（図３１の（ｉｉ）の時間「‘ｔ’」）にて基地局からの上り送信割当ては行われない。【００９６】
しかし、第二の設定例においては、ＳＴ３１０７に引き続いてＳＴ３１０８でもＡｃｋ／Ｎａｃｋ専用チャネルにおいて上りスケジューリングリクエスト有り（図１４においては、ＬＢ１に割当てられているＵＬ  Ｓｃｈｅｄｕｌｉｎｇ  ｒｅｑｕｅｓｔ＝「１」）が送信されている。よって、ＳＴ３１０８で送信されたＡｃｋ／Ｎａｃｋ専用チャネルに割当てられている上りスケジューリングリクエストの有無を示す情報について正常に受信したことにより、ＳＴ３１１１にて基地局から「Ｕｐｌｉｎｋ  Ｄａｔａ  Ｒｅｓｏｕｒｃｅ  Ａｌｌｏｃａｔｉｏｎ」が送信される。つまり移動端末は、基地局からの上り送信割当てを受信する。【００９７】
次に、第二の設定例における基地局側の処理フローについて、図３３を用いて説明する。
ＳＴ３３０１にてＡｃｋ／Ｎａｃｋ専用チャネルに割当てられている上りスケジューリングリクエストの有無を示す情報が「有り」を示すか否か判断する。「無し」を示す場合には、ＳＴ３３０１の判断に戻る。
ＳＴ３３０１にて「有り」と判断した場合には、ＳＴ３３０２にて当該移動端末への上りスケジューリング処理を実行しているか否かを判断する。
ＳＴ３３０２にて実行していると判断した場合は（図３１ではＳＴ３１０２、ＳＴ３１０３、ＳＴ３１０９、ＳＴ３１１０に相当する）、ＳＴ３３０３へ進む。ＳＴ３３０３では現在実行中の上りスケジューリング処理を継続する。【００９８】
ＳＴ３３０２にて実行していないと判断した場合（図３１ではＳＴ３１０１、ＳＴ３１０８に相当する）は、ＳＴ３３０４へ進む。ＳＴ３３０４では当該移動端末への上りスケジューリング処理を開始する。
ＳＴ３３０３、あるいは、ＳＴ３３０４にて当該移動端末への上りスケジューリング処理が終了した場合、ＳＴ３３０５にて当該移動端末に対して上り送信割当てを行うために「Ｕｐｌｉｎｋ  Ｄａｔａ  Ｒｅｓｏｕｒｃｅ  Ａｌｌｏｃａｔｉｏｎ」として送信する。図３１ではＳＴ３１０４、あるいは、ＳＴ３１１１に相当する。【００９９】
第一の設定例、第二の設定例について利点を説明する。
第一の設定例のメリットとしては、第二の設定例と比較して、以下の点が挙げられる。
（１）Ａｃｋ／Ｎａｃｋ専用チャネルにて上りスケジューリングリクエストを基地局が受信した場合に、当該移動端末への上りスケジューリング処理中であるか否かを判断する（図３３  ＳＴ３３０２）必要がないので、基地局内の処理が簡略化できる。【０１００】
第二の設定例のメリットとしては、第一の設定例と比較して、以下の点が挙げられる。
（１）Ａｃｋ／Ｎａｃｋ専用チャネルに割当てられている上りスケジューリングリクエストの有無を示す情報について受信エラーが発生した時は、本来、基地局からの「Ｕｐｌｉｎｋ  Ｄａｔａ  Ｒｅｓｏｕｒｃｅ  Ａｌｌｏｃａｔｉｏｎ」を受信するべきタイミングから実際に「Ｕｐｌｉｎｋ  Ｄａｔａ  Ｒｅｓｏｕｒｃｅ  Ａｌｌｏｃａｔｉｏｎ」を受信するまでの時間が短くなる。第一の設定例では、図２８で示す通り、その時間は、「ａ」となる。一方、第二の設定例では、図３１に示す通り、その時間は、「ｂ」となる。
（２）移動端末内の処理において、基地局からの「Ｕｐｌｉｎｋ  Ｄａｔａ  Ｒｅｓｏｕｒｃｅ  Ａｌｌｏｃａｔｉｏｎ」を受ける期限を越えているか否かを判断する（図２９  ＳＴ２９０７）必要がないので、移動端末内の処理が簡略化できる。【０１０１】
上記にて説明したスケジューリング要求信号ＳＲの第一の設定例、第二の設定例については、実施の形態１、実施の形態６、実施の形態７、実施の形態８、実施の形態９及び実施の形態１０でも用いることが出来る。
また、Ａｃｋ／Ｎａｃｋかつ／またはＣＱＩを送信する必要がなく、スケジューリング要求信号のみを送信する必要がある場合は、Ａｃｋ／Ｎａｃｋ専用チャネルにてＡｃｋ／Ｎａｃｋ、ＣＱＩの情報は送信せず、スケジューリングリクエストのみを送信してもよい。【０１０２】
上りスケジューリング要求信号ＳＲがマッピングされる送信時間区間（ＴＴＩ）の先頭ＬＢ（ＬＢ１）以外のロングブロック（ＬＢ２〜ＬＢ６）には、Ａｃｋ／ＮａｃｋシンボルとＣＱＩシンボルがマッピングされる。このマッピングでは、Ａｃｋ／Ｎａｃｋシンボルと、ＣＱＩシンボルの中でも優先順位の高い上位の桁のＣＱＩが優先して繰り返しマッピングされる。図１４では、１ＴＴＩ（＝２サブフレーム）の中で、Ａｃｋ／Ｎａｃｋシンボルが３回、優先順位の高いＣＱＩ１とＣＱＩ２が２回、繰り返しマッピングされている。【０１０３】
上記説明のとおり、上りスケジューリング要求信号ＳＲの送信期間が、図８のシーケンスにあるように十分短い場合には、Ａｃｋ／Ｎａｃｋ専用チャネルに、上りスケジューリング要求信号ＳＲをＡｃｋ／Ｎａｃｋ情報シンボル（Ａｃｋ／Ｎａｃｋ、ＣＱＩ）とともにマッピングすることにより、一つの移動端末で同時に複数の送信すべき「データ付随なしのＬ１／Ｌ２制御信号」が発生した場合にも、これらの重要な制御信号の通信品質を確保しつつ、システムの無線リソース負荷の増加を防ぐことができ、低いＰＡＰＲと、高い通信品質を保証するシングルキャリア方式での送信を実現できる。【０１０４】
さらに、Ａｃｋ／Ｎａｃｋ専用チャネルは、Ｓ−ＲＡＣＨのような複数の移動端末による通信競合を許すチャネル（ｃｏｎｔｅｎｔｉｏｎ  ｂａｓｅｄ  ｃｈａｎｎｅｌ）ではないので、この方法であれば、Ｓ−ＲＡＣＨを用いる場合と比べ、上りスケジューリング要求信号ＳＲ送信で移動端末の識別番号（ＵＥ−ＩＤ）を送信する必要がないというメリットも得ることができる。
よって、ＳＲの送信頻度が高い場合は、ＳＲを送信するための必要ビット数が小さいために有効な手段であると言える。更に、Ａｃｋ／Ｎａｃｋ専用チャネルは図２４に示すように分離した狭帯域の複数の時間-周波数領域（図２４  Ａ、Ｂ）が割り当てられる。これによりＡｃｋ／Ｎａｃｋ専用チャネルにて送信するスケジューリング要求信号ＳＲは周波数選択性フェージングに強くなる。言い換えれば、ＳＲは周波数ダイバーシチゲインを得ることが可能となる。
更に、上りデータ送信を行なっておらず、かつ、下りデータを受信している場合のＳＲはＳ−ＲＡＣＨではなく、Ａｃｋ／Ｎａｃｋ専用チャネルを用いて、移動端末から基地局に対して送信するとした場合、Ｓ−ＲＡＣＨのためにあらかじめ割り当てられていた無線リソース（周波数-時間領域）をＵＬ−ＳＣＨなどに開放することが可能となり、無線リソースの有効活用という意味においても効果的である。【０１０５】
Ａｃｋ／Ｎａｃｋ専用チャネルは、移動端末が、上りデータ送信を行なっておらず、かつ、下りデータを受信している状態において、既に使用しているチャネルである。従って、上りスケジューリング要求信号ＳＲを、Ａｃｋ／Ｎａｃｋ、ＣＱＩとともに、Ａｃｋ／Ｎａｃｋ専用チャネルにマッピングすることで、低いＰＡＰＲと、高い通信品質を保証するシングルキャリア方式での送信を実現できる効果に加えて、利用中の無線リソースを有効に利用できるという利点がある。
また、上述したように、Ａｃｋ／Ｎａｃｋ専用チャネルのようなスケジュールドチャネルでは、上りスケジューリング要求信号ＳＲ送信で移動端末の識別番号（ＵＥ−ＩＤ）を送信する必要がないというメリットも得ることができるため、基地局側での受信において、処理負荷を低減することができる。
加えて、Ａｃｋ／Ｎａｃｋ専用チャネルは通常より狭い周波数帯域を割当てて使用するため、単位時間で処理が必要な情報量が少ない。従って、送受信双方での処理時間も短くなるため、上りスケジューリング要求信号ＳＲの送信から送信開始までのシーケンス（図７のＳＴ７０１〜ＳＴ７０３、図８のＳＴ８０１〜ＳＴ８０４）の処理遅延（Ｌａｔｅｎｃｙ）が短くなり、通信システム全体の処理の効率化・高速化に貢献することができる。【０１０６】
一方、下りデータを受信していない場合にも、Ａｃｋ／Ｎａｃｋ専用チャネルが移動端末に割当てられるような移動体通信システムの場合が考えられる。具体的には、下りデータが存在しない場合にも将来の下りスケジューリングのために、あるいは、基地局と移動端末間の同期を保つために、移動端末から下り通信路の品質の測定結果（ＣＱＩ）を通知する場合が考えられる。そのような場合においても、Ａｃｋ／Ｎａｃｋ専用チャネルを用いたＣＱＩの送信と上りスケジューリング要求信号ＳＲが同時に発生する場合が考えられる。そのような移動体通信システムにおいては、ＳＴ６０２の判断では、Ａｃｋ／Ｎａｃｋ専用チャネルの割当てがあるか否かで判断する方が良い。更に付け加えると、下りデータを受信していない場合にＡｃｋ／Ｎａｃｋ専用チャネルが移動端末に割当てられないような移動体通信システムであっても、この判断を用いることが可能である。
この実施の形態３では、図２４に示すような分離した狭帯域の複数の時間-周波数領域を独占的に割り当てられたＡｃｋ／Ｎａｃｋ専用チャネルについて説明した。しかし、この実施の形態３については、図２３に示すような狭帯域ではないＡｃｋ／Ｎａｃｋ専用チャネルにおいても適応することが可能である。【０１０７】
実施の形態４．
移動端末がユーザデータ等の上りデータ（Ｕｐｌｉｎｋ  ｄａｔａ、ＵＬ  ｄａｔａ）送信を行っていない場合であって、基地局から送信された下りデータ（Ｄｏｗｎｌｉｎｋ  ｄａｔａ、ＤＬ  ｄａｔａ）を受信している場合、下りデータの受信結果であるＡｃｋ／Ｎａｃｋ信号及び下り通信路品質を示すＣＱＩを基地局に送信する必要がある。
また、移動端末に上りデータ送信の必要が生じた場合には、上りスケジューリング要求信号ＳＲを基地局に送信する必要がある。
以下、Ａｃｋ／Ｎａｃｋと上りスケジューリング要求信号ＳＲを同時に送信する必要が生じた移動端末が、ＰＡＰＲを増加させることなく、同時にそれらの送信を行う方法を説明する。【０１０８】
上記実施の形態３では、スケジューリング要求信号ＳＲ、Ａｃｋ／Ｎａｃｋ、ＣＱＩをともにＡｃｋ／Ｎａｃｋ専用チャネルを用いて送信することで、低いＰＡＲＲと、高い通信品質を保証するシングルキャリア方式での送信を実現していたが、図１４に示すように、Ａｃｋ／Ｎａｃｋ専用チャネル上にスケジューリング要求信号ＳＲの有無を示すシンボルをマッピングする必要があった。そのため、上記実施の形態３を用いて、Ａｃｋ／Ｎａｃｋ専用チャネルにＡｃｋ／Ｎａｃｋ、ＣＱＩと上りスケジューリング要求信号ＳＲ（ＳＲ）をＴＤＭにて多重した場合以下２つの課題が新たに発生する。【０１０９】
第１の課題について説明する。
ＳＲを送信する必要がない場合においても、ＳＲがマッピングするためのＬＢをあらかじめ割り当てなければならない。そのため、送信する必要がない情報に対して常に無線リソースを割り当てなければならない。よって、無線リソースを有効に活用しているとは言えないという課題が発生する。
第２の課題について説明する。
Ａｃｋ／Ｎａｃｋ専用チャネルにＳＲをＴＤＭにて多重しない場合と比較して、Ａｃｋ／ＮａｃｋあるいはＣＱＩの繰り返し回数が減少するというデメリットが発生する。Ａｃｋ／Ｎａｃｋ及びＣＱＩは、データのように誤り訂正能力の高いエンコードが施されない場合がほとんどである。よって、基地局での受信エラーを防ぐために、同じ情報を繰り返して基地局での受信電力を稼ぐことは受信品質を高めるために重要である（ｒｅｐｅｔｉｔｉｏｎ）。その繰り返しに用いることができるＬＢの数が減ることは基地局の受信品質を保つという意味において可能な限り避けるべきである課題が発生する。【０１１０】
新たな第１の課題及び第２の課題について解決する方法について以下説明する。
図１５は、上りスケジューリング要求信号を送信する移動端末の処理と、受信した基地局の処理とを説明するフローチャートである。図１５は、移動端末が上りデータ送信を行っていない場合であって、下りデータを受信している場合の処理を示している。
ＳＴ１５００において移動端末は、上りデータ送信の要求が発生したか否かを判断する。要求が発生していない場合は（ＳＴ１５００でＮｏ）、ＳＴ１５０１へ進む。ＳＴ１５０１において移動端末は、Ａｃｋ／Ｎａｃｋ専用チャネルにＡｃｋ／Ｎａｃｋ、ＣＱＩのいずれか一方または両方をマッピングする。
マッピングの一例としては図９を用いることができる。ＳＴ１５０３において移動端末は、Ａｃｋ／Ｎａｃｋ専用チャネルにＡｃｋ／Ｎａｃｋ、ＣＱＩのいずれか一方または両方がマッピングされていることを示すコード（コードa）を乗算する。【０１１１】
このコード乗算は、変調部１０あるいはエンコーダ部９により実施される。コード乗算後、ＳＴ１５０５の処理が実行される。
一方、ＳＴ１５００において要求が発生している場合は、ＳＴ１５０２の処理が実行される。ＳＴ１５０２では、移動端末は、Ａｃｋ／Ｎａｃｋ専用チャネルにＡｃｋ／Ｎａｃｋ、ＣＱＩのいずれか一方または両方がマッピングされているほか、上りスケジューリング要求信号ＳＲをマッピングする。
マッピングの一例としては図１４を用いることができる。ＳＴ１５０４において移動端末は、Ａｃｋ／Ｎａｃｋ専用チャネルにＡｃｋ／Ｎａｃｋ、ＣＱＩのいずれか一方または両方と、上りスケジューリング要求信号ＳＲがマッピングされていることを示すコードａとは異なるコード（コードｂ）を乗算する。このコード乗算は、変調部１０あるいはエンコーダ部９により実施される。コード乗算後、ＳＴ１５０５の処理が実行される。コードａとコードｂは、基地局での判断の誤りを少なくするため、互いに直交したコードを用いても良い。【０１１２】
移動体通信システムにおいて、Ａｃｋ／Ｎａｃｋ専用チャネル内の複数の移動端末の多重にコード多重を用いていた場合、ＳＴ１５０５において、移動端末を識別するためのコード（コードＡ）を乗算する。このコード乗算は、変調部１０により実施される。コード乗算後、ＳＴ１５０６が実施される。
ＳＴ１５０５において移動端末を識別するためのコード（コードＡ）が乗算されることから、ＳＴ１５０３、ＳＴ１５０４で乗算されるコード（コードａ、コードｂ）は、Ａｃｋ／Ｎａｃｋ専用チャネル内に多重される移動端末が共通して用いることが可能である。コードａとコードＡ、またコードｂとコードＡを乗算する順序は逆でも良い。ＳＴ１５０６において移動端末は基地局に対してＡｃｋ／Ｎａｃｋ専用チャネルを送信する。【０１１３】
ＳＴ１５０７において、基地局は、Ａｃｋ／Ｎａｃｋ専用チャネルにより送信された信号を受信する。そして、基地局は、Ａｃｋ／Ｎａｃｋ専用チャネルにより伝達された信号に含まれる、複数の移動端末からの信号の分離を行うために、Ａｃｋ／Ｎａｃｋ専用チャネル内の移動端末多重用に用いたコードを乗算する処理を行う。
ＳＴ１５０８において、移動端末を示すコード（コードＡ）を用いて相関演算を行う。その結果が規定された閾値以上である場合は（ＳＴ１５０８でＹｅｓ）、当該移動端末からのＡｃｋ／Ｎａｃｋ専用チャネルの受信とし、ＳＴ１５０９の処理を実行する。【０１１４】
ＳＴ１５０８において行った相関演算の結果が規定された閾値未満である場合は（ＳＴ１５０８でＮｏ）、当該移動端末からのＡＣＫ／ＮＡＣＫ専用チャネルの受信はないとして終了する。コードＡを用いた相関演算は、復調部２４により実施される。ＳＴ１５０９において、基地局は、当該移動端末からのＡｃｋ／Ｎａｃｋ専用チャネルにＡｃｋ／Ｎａｃｋ、ＣＱＩのみがマッピングされているか否かを判断するため、コードａを用いて相関演算を行う。その結果が規定された閾値以上である場合は（ＳＴ１５０９でＹｅｓ）、当該移動端末からのＡＣＫ／ＮＡＣＫ専用チャネルにＡｃｋ／Ｎａｃｋ、ＣＱＩのみがマッピングされていると判断し（スケジューリング要求信号ＳＲはマッピングされていないと判断し）、ＳＴ１５１０の処理が実行される。
コードａを用いた相関演算は、復調部２４あるいはデコーダ部２５により実施される。ＳＴ１５１０において基地局は、受信した当該移動端末からのＡｃｋ／Ｎａｃｋ専用チャネルにはＡｃｋ／Ｎａｃｋ、ＣＱＩのみがマッピングされているとして処理を行う。【０１１５】
一方、ＳＴ１５０９においてコードａを用いて相関演算を行った結果が規定された閾値未満である場合（ＳＴ１５０９でＮｏ）、ＳＴ１５１１が実行される。ＳＴ１５１１において基地局は、当該移動端末からのＡｃｋ／Ｎａｃｋ専用チャネルにＡｃｋ／Ｎａｃｋ、ＣＱＩのほか、スケジューリング要求信号ＳＲがマッピングされているか否かを判断するためにコードｂを用いて相関演算を行う。その結果が規定された閾値以上である場合（ＳＴ１５１１でＹｅｓ）、当該移動端末からのＡｃｋ／Ｎａｃｋ専用チャネルにＡｃｋ／Ｎａｃｋ、ＣＱＩのほか、スケジューリング要求信号ＳＲがマッピングされていると判断し、ＳＴ１５１２の処理が実行される。
コードｂを用いた相関演算は、復調部２４あるいはデコーダ部２５により実施される。ＳＴ１５１２において基地局は、受信した当該移動端末からのＡｃｋ／Ｎａｃｋ専用チャネルにはＡｃｋ／Ｎａｃｋ、ＣＱＩのほか、スケジューリング要求信号ＳＲがマッピングされているとして処理を行う。一方、ＳＴ１５１１においてコードｂを用いて相関演算を行った結果が規定された閾値未満である場合（ＳＴ１５１１でＮｏ）、なんらかの受信エラーが発生したとして終了する。【０１１６】
上述の通り、図１５におけるコードａを乗算するＳＴ１５０３、コードｂを乗算するＳＴ１５０４、コードＡを乗算するＳＴ１５０５部分は移動端末内のエンコーダ部９、変調部１０で実施される。コードａ、コードｂ、コードＡの乗算部分の詳細な構成図を図３４に示している。
送信バッファ部８内、あるいは、エンコーダ部９内のＡｃｋ／Ｎａｃｋ専用チャネル用シンボルパターン３４０１に対して、Ａｃｋ／Ｎａｃｋ、ＣＱＩのいずれか一方または両方がマッピングされていることを示すコードであるコードａ３４０２、あるいは、Ａｃｋ／Ｎａｃｋ、ＣＱＩのいずれか一方または両方と、上りスケジューリング要求信号ＳＲがマッピングされていることを示すコードであるコードｂ３４０３を乗算する。【０１１７】
コードａ３４０２とコードｂ３４０３はスイッチ３４０４で切替えられる。スイッチ３４０４の切替え条件は図３４に示す通りである。
上りデータ送信要求が発生している場合、つまり上りスケジューリングリクエストが有る場合は、Ａｃｋ／Ｎａｃｋ専用チャネル用シンボルパターン３４０１にコードｂが乗算されるように切り替わる。また、上りデータ送信要求が発生していない場合、つまり上りスケジューリングリクエストが無い場合は、Ａｃｋ／Ｎａｃｋ専用チャネル用シンボルパターン３４０１にコードａが乗算されるように切り替わる。
コードａ、あるいは、コードｂが乗算された後、移動端末を識別するためのコードＡ３４０５を乗算する。その後、変調部１０にて変調処理が行われる。【０１１８】
上記説明のとおり、移動端末は、Ａｃｋ／Ｎａｃｋ専用チャネルにＡｃｋ／Ｎａｃｋ、ＣＱＩのほか、スケジューリング要求信号ＳＲがマッピングされている場合とされていない場合で異なるコードを乗算することにより、Ａｃｋ／Ｎａｃｋ専用チャネル内にてスケジューリング要求信号ＳＲ用のシンボルをリザーブする必要がなくなる。例えば、スケジューリング要求信号ＳＲは、図１４に示す一番最初のロングブロックＬＢ１にマッピングされるが、スケジューリング要求信号ＳＲが送信されていない場合には、ＬＢ１にＡｃｋ／Ｎａｃｋ、ＣＱＩ等をマッピングすることが可能である。また、乗算されているコードによって、基地局は、所定の移動端末からの信号がスケジューリング要求信号ＳＲを含んでいるか容易に識別できるので、スケジューリング要求信号ＳＲがマッピングされている場合とされていない場合で、適切な処理を行うことが可能である。【０１１９】
従来技術であるＷ−ＣＤＭＡにおいては移動端末から同時に送信される複数のチャネルを分離するためにチャネル毎に異なるコード（チャネライゼーションコード）が乗算され、移動端末から基地局に対して複数のチャネルが同時に送信される。
一方、この実施の形態４においては、コードにより送信する情報（「Ａｃｋ／Ｎａｃｋ、ＣＱＩ」あるいは「Ａｃｋ／Ｎａｃｋ、ＣＱＩ、ＳＲ」）の種類を分離するためにコードを用いる。
この実施の形態４においては、移動端末から基地局に対して「Ａｃｋ／Ｎａｃｋ、ＣＱＩ」あるいは「Ａｃｋ／Ｎａｃｋ、ＣＱＩ、ＳＲ」のどちらかが送信され、コードにより分離された「Ａｃｋ／Ｎａｃｋ、ＣＱＩ」「Ａｃｋ／Ｎａｃｋ、ＣＱＩ、ＳＲ」が同時に送信されることはない。上記点において、同時に送信される複数のチャネルを分離するためにコードを用いる従来技術（Ｗ−ＣＤＭＡ）と、この実施の形態４は異なる。【０１２０】
この実施の形態４を用いることにより、上記実施の形態３を用いる場合と同様に以下の効果を得ることが出来る。
上りデータ送信を行っていない場合であって、下りデータを受信している場合に、Ａｃｋ／Ｎａｃｋとともに上りスケジューリング要求信号ＳＲを送信する必要が生じた移動端末が移動端末内のＰＡＰＲを増加させることなく、同時に、それらの送信を行うことが出来るという効果を得ることが出来る。【０１２１】
また、Ａｃｋ／Ｎａｃｋ専用チャネルによりスケジューリング要求信号ＳＲを送信することにより、ＳＲにＵＥ−ＩＤを付加する必要がないという効果を得ることが出来る。よって、ＳＲの送信頻度が高い場合は、ＳＲを送信するための必要ビット数が小さいために有効な手段であるといえる。更に、Ａｃｋ／Ｎａｃｋ専用チャネルは図２４に示すように分離した狭帯域の複数の時間−周波数領域（図２４  Ａ、Ｂ）が割り当てられる。これによりＡｃｋ／Ｎａｃｋ専用チャネルにて送信するスケジューリング要求信号ＳＲは周波数選択性フェージングに強くなる。
言い換えれば、ＳＲは周波数ダイバーシチゲインを得ることが可能となる。更に、上りデータ送信を行なっておらず、かつ、下りデータを受信している場合のＳＲはＳ−ＲＡＣＨではなく、Ａｃｋ／Ｎａｃｋ専用チャネルを用いて移動端末から基地局に対して送信するとした場合、Ｓ−ＲＡＣＨのためにあらかじめ割り当てられていた無線リソース（周波数-時間領域）をＵＬ−ＳＣＨなどに開放することが可能となり、無線リソースの有効活用という意味においても効果的である。【０１２２】
この実施の形態４を用いることにより、上記実施の形態３を用いる場合の効果に加えて、以下の効果を得ることが出来る。
移動端末内にてＳＲが発生していない場合において、Ａｃｋ／Ｎａｃｋ専用チャネル内のＳＲを送信するためのあらかじめ割り当てられたＬＢが不要となり、無線リソースを有効に活用することが可能となる。更に、ＳＲをマッピングするための割り当てが不要になるために、移動端末内にてＳＲが発生していない場合は、従来のＡｃｋ／Ｎａｃｋ専用チャネル内のＡｃｋ／ＮａｃｋあるいはＣＱＩの繰り返し回数を減らす必要がなくなり、Ａｃｋ／ＮａｃｋあるいはＣＱＩの基地局での受信品質向上という効果を得ることが可能となる。
下りデータを受信していない場合にも、Ａｃｋ／Ｎａｃｋ専用チャネルが移動端末に割当てられるような移動体通信システムの場合が考えられる。具体的には、下りデータが存在しない場合にも将来の下りスケジューリングのために、あるいは、基地局と移動端末間の同期を保つために、移動端末から下り通信路の品質の測定結果（ＣＱＩ）を通知する場合が考えられる。そのような場合においてもＡｃｋ／Ｎａｃｋ専用チャネルを用いたＣＱＩの送信と上りスケジューリング要求信号ＳＲが同時に発生する場合が考えられる。そのような移動体通信システムにおいても、この実施の形態４に用いることが可能である。【０１２３】
以下、変形例を説明する。
第１の変形例としては、Ａｃｋ／Ｎａｃｋ専用チャネルにＡｃｋ／Ｎａｃｋ、ＣＱＩのみがマッピングされているか否かを判断するために、コードａ、あるいは、上りスケジューリング要求信号ＳＲがさらにマッピングされていることを示すコードｂのいずれか一方のみを利用することが考えられる。
具体例としては、移動端末において、Ａｃｋ／Ｎａｃｋ専用チャネルにＡｃｋ／Ｎａｃｋ、ＣＱＩのみがマッピングされる場合はコードａを乗算し、Ａｃｋ／Ｎａｃｋ、ＣＱＩのほか、上りスケジューリング要求信号ＳＲがマッピングされている場合には、コードｂを乗算せずに（ＳＴ１５０４を省略する）、ＳＴ１５０５の処理を実行する。【０１２４】
基地局は、ＳＴ１５０９においてコードaを用いて相関演算を行う。その結果が規定された閾値以上である場合は、Ａｃｋ／Ｎａｃｋ、ＣＱＩのみがマッピングされていると判断してＳＴ１５１０へ進む。
一方、ＳＴ１５０９の相関演算を行った結果が規定された閾値未満である場合、Ａｃｋ／Ｎａｃｋ、ＣＱＩのほか、上りスケジューリング要求信号ＳＲがマッピングされていると判断し、ＳＴ１５１２が実行される。
この第1の変形例を用いると、コード数を削減することができ、移動端末内のコードを乗算する処理、基地局内のコードを用いて相関演算を行う処理を削減することが可能となる。更に、コード数が減ることにより、Ａｃｋ／Ｎａｃｋ専用チャネルに割当て可能な移動端末の数が増えるという利点がある。【０１２５】
また、第２の変形例としては、Ａｃｋ／Ｎａｃｋ専用チャネルに多重される移動端末毎に、Ａｃｋ／Ｎａｃｋ専用チャネルにＡｃｋ／Ｎａｃｋ、ＣＱＩのみ、あるいは、Ａｃｋ／Ｎａｃｋ、ＣＱＩのほか上りスケジューリング要求信号ＳＲがマッピングされていることを示す二つのコード（コードＡ、コードＢ）を割り当てることが考えられる。
具体例としては、移動端末において、Ａｃｋ／Ｎａｃｋ専用チャネルにＡｃｋ／ＮａｃｋとＣＱＩのみがマッピングされる場合はコードＡを乗算し（ＳＴ１５０３）、Ａｃｋ／Ｎａｃｋ、ＣＱＩのほか上りスケジューリング要求信号ＳＲがマッピングされる場合にはコードＢを乗算し（ＳＴ１５０４）、ＳＴ１５０６へ進む。つまり移動端末毎に割り当てられたコードを用いるために、ＳＴ１５０５において移動端末を示すコードを更に乗算する必要はなくなる。【０１２６】
基地局は、ＳＴ１５０８において、当該移動端末を示すコード（コードＡ）を用いて相関演算を行う。その結果が規定された閾値以上である場合は、当該移動端末からＡｃｋ／Ｎａｃｋ、ＣＱＩのみがマッピングされていると判断し、ＳＴ１５１０へ進む。
その結果が閾値未満である場合、更にＳＴ１５０８において当該移動端末を示すコード（コードＢ）を用いて相関演算を行う。その結果が規定された閾値以上である場合は、Ａｃｋ／Ｎａｃｋ、ＣＱＩのほか上りスケジューリング要求信号ＳＲがマッピングされていると判断し、ＳＴ１５１２へ進む。つまり、図１５のステップのうち、ＳＴ１５０９とＳＴ１５１１を省略することが可能となる。【０１２７】
また、この実施の形態４では、Ａｃｋ／Ｎａｃｋ専用チャネルに、Ａｃｋ／Ｎａｃｋ、ＣＱＩのみがマッピングされていることを示すコードａか、Ａｃｋ／Ｎａｃｋ、ＣＱＩのほか、上りスケジューリング要求信号ＳＲがマッピングされていることを示すコードｂのどちらかがＡｃｋ／Ｎａｃｋ専用チャネル全体に乗算されている。
第３の変形例では、Ａｃｋ／Ｎａｃｋ専用チャネル上のＡｃｋ／ＮａｃｋとＣＱＩがマッピングされているロングブロックには、それを示すコードａを乗算し、Ａｃｋ／Ｎａｃｋ専用チャネル上の上りスケジューリング要求信号ＳＲがマッピングされているロングブロックには、それを示すコードｂを乗算する。【０１２８】
具体的には、図１５のステップのうち、ＳＴ１５０３、ＳＴ１５０４を省略し、その代わりに、Ａｃｋ／Ｎａｃｋ専用チャネル上のＡｃｋ／ＮａｃｋとＣＱＩがマッピングされているロングブロックには、それを示すコードａを乗算し、Ａｃｋ／Ｎａｃｋ専用チャネル上の上りスケジューリング要求信号ＳＲがマッピングされているロングブロックには、それを示すコードｂを乗算するステップを追加する。
また、基地局により実行されるステップのうち、ＳＴ１５０９、ＳＴ１５１０、ＳＴ１５１１、ＳＴ１５１２を省略し、その代わりに、Ａｃｋ／ＮａｃｋとＣＱＩがマッピングされているロングブロックであるか否かを判断するために、コードａを用いて相関演算を行う処理を追加する。【０１２９】
相関演算の結果が規定された閾値以上である場合は、基地局は、Ａｃｋ／ＮａｃｋとＣＱＩがマッピングされたロングブロックであると判断し、その後の処理を行う。相関演算の結果が閾値未満である場合は、上りスケジューリング要求信号ＳＲがマッピングされているロングブロックであるかを判断するため、コードｂを用いて相関演算を行う。
相関結果が閾値以上である場合は、上りスケジューリング要求信号ＳＲがマッピングされたロングブロックであると判断し、その後の処理を行う。この場合、実施の形態４による効果に加えて、Ａｃｋ／Ｎａｃｋ専用チャネル上に上りスケジューリング要求信号ＳＲをマッピングするロングブロックの場所が自由に選べるという効果を得ることが出来る。【０１３０】
以下、第４の変形例を説明する。
Ａｃｋ／Ｎａｃｋ専用チャネルのマッピングはＳＲを含むか否かに関わらず１種類とする。そのマッピングは例えば図９を用いることが出来る。よって、ＳＴ１５０１、ＳＴ１５０２において、Ａｃｋ／Ｎａｃｋ専用チャネルに実際にマッピングされるのはＡｃｋ／Ｎａｃｋ、または／かつ、ＣＱＩのみとなる。
以降の移動端末内の処理は図１５と同様であるために説明を省略する。【０１３１】
Ａｃｋ／Ｎａｃｋ専用チャネルを受信した基地局においては、ＳＴ１５１０において当該移動端末からのＳＲは無しとして、Ａｃｋ／Ｎａｃｋ専用チャネルの処理はＡｃｋ／Ｎａｃｋ、または／かつ、ＣＱＩのみがマッピングされているとして処理を行う。
また、ＳＴ１５１２において当該移動端末からのＳＲは有りとして、Ａｃｋ／Ｎａｃｋ専用チャネルの処理はＡｃｋ／Ｎａｃｋ、または／かつ、ＣＱＩのみがマッピングされているとして処理を行う。【０１３２】
図２７は、実施の形態４の第４の変形例のＡｃｋ／Ｎａｃｋ専用チャネルのマッピング例を説明した説明図である。この実施の形態４の第４の変形例にてＡｃｋ／Ｎａｃｋ専用チャネル内のＳＲをマッピングする必要がなくなり、更なる無線リソースの有効活用が可能となる。また、移動端末から上りスケジューリング要求信号ＳＲを送信する場合であってもＡｃｋ／Ｎａｃｋ、または／かつ、ＣＱＩの繰り返し回数を維持することが出来るために、ＳＲ有りを送信する場合であっても、基地局でのＡｃｋ／Ｎａｃｋ、または／かつ、ＣＱＩの受信品質をＳＲ無しの場合と同様の品質に維持することが出来るという効果を得ることが可能となる。つまり、この方法であれば、上りスケジューリング要求信号ＳＲを送信したいときに、既に使用されている物理チャネル、無線リソースを利用できるだけでなく、その無線リソースを用いて送信している他のデータに対し、その情報量や品質にほとんど影響を与えないという効果を得ることができる。よって、基地局において例えば上りＡｃｋ／Ｎａｃｋ専用チャネルを無線リソースに割当てる際、その無線リソース条件（周波数帯域幅など）の選択に，上りスケジューリング要求信号ＳＲの送信による影響を考慮する必要がない。【０１３３】
この実施の形態４及びその変形例では、Ａｃｋ／Ｎａｃｋ専用チャネル内の複数の移動端末の多重方法がＣＤＭで行われた場合について説明したが、多重方法にＦＤＭ、ＴＤＭが用いられた場合にも適用可能である。この実施の形態４及びその変形例については、図２４に示すような分離した狭帯域の複数の時間-周波数領域を独占的に割り当てられたＡｃｋ／Ｎａｃｋ専用チャネルについて説明した。しかし、この実施の形態４及びその変形例については、図２３に示すような狭帯域ではないＡｃｋ／Ｎａｃｋ専用チャネルにおいても適応することが可能である。【０１３４】
実施の形態５．
図１６は、上りスケジューリング要求信号を送信する移動端末の処理と、受信した基地局の処理とを説明するフローチャートである。
ＳＴ１６０１において移動端末は、上りデータ送信中であるか否かを判断する。上りデータ送信中である場合、ＳＴ１６０２へ進む。上りデータ送信中、つまり基地局より上りリソースをスケジューリングされている移動端末においては、上りスケジューリング要求信号ＳＲを送信する必要はないため、ＳＴ１６０１にて上りデータ送信中である場合には、ＳＴ１６０４の判断を経由せずにＳＴ１６０２へ進むという処理が可能である。言い換えれば、１つの移動端末においては、ＵＬ―ＳＣＨにて上りデータと上りスケジューリング要求信号ＳＲが並存することはなく、ＳＣ―ＦＤＭＡの関係を満たし、移動端末内のＰＡＰＲの増加をもたらすことはないと考えられる。【０１３５】
ＳＴ１６０２において、移動端末は、ＵＬ―ＳＣＨへマッピングされているシンボルが上りデータであることを示すコード（コードｃ）を乗算する。このコード乗算は、変調部１０あるいはエンコーダ部９により実施される。コードｃの乗算後にＳＴ１６０３へ進む。
ＳＴ１６０３において、上りデータを基地局よりスケジューリングされたＵＬ―ＳＣＨ中のリソースに対してマッピングし、ＳＴ１６０７へ進む。一方、ＳＴ１６０１において上りデータ送信中でない場合、ＳＴ１６０４へ進む。
ＳＴ１６０４において上りデータ送信の要求が発生したか否かを判断する。要求が発生していない場合は、ＳＴ１６０１へ戻る。要求が発生している場合は、ＳＴ１６０５へ進む。【０１３６】
ＳＴ１６０５においてＵＬ―ＳＣＨにマッピングされているシンボルが上りスケジューリング要求信号ＳＲであることを示すコード（コードｄ）を乗算する。このコード乗算は、変調部１０あるいはエンコーダ部９により実現される。コードｄの乗算後にＳＴ１６１３へ進む。ＳＴ１６１３において、移動端末を識別するためのコード（コードＡ）を乗算する。このコード乗算は、変調部１０により実施される。コードの乗算後にＳＴ１６０６が実施される。ＳＴ１６０６において、上りスケジューリング要求信号ＳＲ（ｒｅｓｏｕｒｃｅ  ｒｅｑｕｅｓｔ、ｐｒｅａｍｂｌｅ、ｍｅｓｓａｇｅなど）をＵＬ―ＳＣＨ中のリソースに対してマッピングし、ＳＴ１６０７へ進む。ＳＴ１６１３とＳＴ１６０６の処理の順序は逆でも構わない。コードｃとコードｄは、基地局での判断の誤りを少なくするために、直交したコードを用いても良い。【０１３７】
ＳＴ１６０７において移動端末は基地局に対してＵＬ−ＳＣＨの送信を行う。ＳＴ１６０８において、基地局は移動端末から送信されたＵＬ―ＳＣＨの受信を行う。ＳＴ１６０９において基地局は、ＵＬ−ＳＣＨに上りデータがマッピングされているか否かを判断するためにコードｃを用いて相関演算を行う。
その結果が規定された閾値以上である場合は、ＵＬ−ＳＣＨに上りデータがマッピングされていると判断してＳＴ１６１０へ進む。コードｃを用いた相関演算は、復調部あるいはデコーダ部により実現される。ＳＴ１６１０において基地局は、ＵＬ−ＳＣＨに上りデータがマッピングされているとして処理を行う。【０１３８】
移動端末は、あらかじめ基地局が割当てて通知したＵＬ−ＳＣＨ用の所定の無線リソースを用いて上りデータを送信しているため、基地局は、当該移動端末からのＵＬ−ＳＣＨチャネル受信を他の移動端末からのものと区別することができる。一方ＳＴ１６０９において、コードｃを用いて相関演算を行った結果が規定された閾値未満である場合は、ＳＴ１６１４へ進む。
ＳＴ１６１４において、基地局はＵＬ−ＳＣＨ内の移動端末多重用に用いたコード（コードＡ）を用いて相関演算を行う。その結果が規定された閾値以上である場合は（ＳＴ１６１４でＹｅｓ）、当該移動端末からのＵＬ−ＳＣＨの受信とし、ＳＴ１６１１の処理を実行する。ＳＴ１６１４において行った相関演算の結果が規定された閾値未満である場合は（ＳＴ１６１４でＮｏ）、当該移動端末からのＵＬ−ＳＣＨチャネルの受信はないとして終了する。コードＡを用いた相関演算は、復調部２４により実施される。【０１３９】
ＳＴ１６１１において基地局は、ＵＬ―ＳＣＨに上りスケジューリング要求信号ＳＲがマッピングされているか否かを判断するため、コードｄを用いて相関演算を行う。その結果が規定された閾値以上である場合は、ＵＬ―ＳＣＨに上りスケジューリング要求信号ＳＲがマッピングされていると判断してＳＴ１６１２へ進む。コードｄを用いた相関演算は、復調部２４あるいはデコーダ部２５により実現される。ＳＴ１６１２において基地局は、ＵＬ―ＳＣＨに上りスケジューリング要求信号ＳＲがマッピングされているとして処理を行う。【０１４０】
上記説明のとおり、コードｃとコードｄによりＵＬ-ＳＣＨ内に上りデータがマッピングされているか、上りスケジューリング要求信号ＳＲがマッピングされているかを判断可能であるため、ＲＡＣＨ（Ｎｏｎ−Ｓ−ＲＡＣＨ、Ｓ−ＲＡＣＨ）送信用に無線リソースをリザーブしておく必要がなくなるという効果を奏する（図１７）。よって、上り無線リソースを効率的に使用できるという効果を得る。また、移動端末が上りスケジューリング要求信号ＳＲの送信要求が発生した場合、従来の方法ではＲＡＣＨ（Ｎｏｎ−Ｓ−ＲＡＣＨ、Ｓ−ＲＡＣＨ）用にリザーブされていた上りリソースタイミングまで基地局に対してＳＲを送信することが出来なかったが、いつでも移動端末から基地局に対して上りスケジューリング要求信号ＳＲを送信することが可能となる。
よって移動体通信システムとしての制御遅延を削減できるという効果を得る。更に、上りスケジューリング要求信号がＵＬ−ＳＣＨにマッピングされている場合、移動端末の識別用のコード（コードＡ）で多重をしているため、複数の移動端末から同時にスケジューリング要求信号ＳＲが基地局に送信された場合も、基地局側でこれらの端末からのそれぞれのスケジューリング要求信号を判別して受信することができるため、Ｓ−ＲＡＣＨを使った場合に起こり得る移動端末間のスケジューリング要求信号の衝突を防ぐことができる。【０１４１】
また、この実施の形態５は、移動端末が、上りデータ送信を行っていない場合であって、下りデータを受信している場合、上りにて下りデータ用のＡｃｋ／Ｎａｃｋ、ＣＱＩ送信と上りデータ（ＵＬ−ＳＣＨ）の多重方法にも適用可能である。移動体通信システムとしての動作は、図１６のフローチャートで示す処理と同様であるために省略する。
実施の形態５と同様、１つの移動端末においては、ＵＬ―ＳＣＨ内にて上りデータと上りデータ送信を行っていない場合であって、下りデータを受信している場合のＡＣＫ／ＮＡＣＫ、ＣＱＩ送信が並存することはなく、ＳＣ―ＦＤＭＡの関係を満たし、移動端末内のＰＡＰＲの増加をもたらすことはないと考えられる。
効果としては、上りデータ送信を行っていない場合であって、下りデータを受信している場合、上りにて下りデータ用のＡｃｋ／Ｎａｃｋ送信用にＡｃｋ／Ｎａｃｋ専用チャネル（図２３、図２４）を設ける必要がなくなることである。さらに、Ａｃｋ／Ｎａｃｋ専用チャネルのために割り当てられていた無線リソースをＵＬ−ＳＣＨなどに開放することが可能となる。よって上り無線リソースを効率的に使用できるという効果を得る。【０１４２】
実施の形態６．
移動端末がユーザデータ等の上りデータ（Ｕｐｌｉｎｋ  ｄａｔａ、ＵＬ  ｄａｔａ）送信を行っていない場合であって、基地局から送信された下りデータ（Ｄｏｗｎｌｉｎｋ  ｄａｔａ、ＤＬ  ｄａｔａ）を受信している場合、下りデータの受信結果であるＡｃｋ／Ｎａｃｋ、ＣＱＩ信号を基地局に送信する必要がある。
また、移動端末に上りデータ送信の必要が生じた場合には、上りスケジューリング要求信号ＳＲを基地局に送信する必要がある。Ａｃｋ／Ｎａｃｋ、ＣＱＩと上りＳＲを同時に送信する必要が生じた移動端末が移動端末内のＰＡＰＲを増加させることなく、同時にそれらの送信を行う方法を説明する。【０１４３】
非特許文献１にて上りデータ送信を行なっておらず、かつ、下りデータを受信している場合のＡｃｋ／Ｎａｃｋ、または／かつ、ＣＱＩは図２３に示すような広帯域のＡｃｋ／Ｎａｃｋ専用チャネルで送信されることが開示されている。
非特許文献４にて上りデータ送信を行なっておらず、かつ、下りデータを受信している場合のＳＲをＳ−ＲＡＣＨにて送信することが開示されている。
しかし、上記２つの非特許文献１及び非特許文献４には、本発明の課題についての示唆はない。本発明の課題について繰り返しになるが以下に説明する。【０１４４】
Ａｃｋ／Ｎａｃｋ専用チャネルを用いて上りＡｃｋ／ＮａｃｋやＣＱＩを送信する処理と、Ｓ−ＲＡＣＨを用いてＳＲを送信する処理とを同時に実行しなければならない場合が生じる。この場合、それぞれの信号は無相関であるため、時間的に同時に送信されるとシングルキャリア伝送とはならずマルチキャリア伝送となってしまう。無相関の信号が時間的に同時に送信される場合、送信信号の時間波形のピークが高くなるため、ＰＡＰＲが高くなってしまう。ＰＡＰＲが高くなると、移動端末の消費電力が増大し、さらにはセルカバレッジが狭くなってしまうという問題が生じる。さらには、ＰＡＰＲが高くなることにより、ほかの移動端末やシステムへの妨害波となってしまうという問題も生じる。【０１４５】
上りＡｃｋ／Ｎａｃｋ、ＣＱＩとＳＲを同時に送信しなければならない場合、移動端末内のＰＡＰＲの増加を抑えるためにはシングルキャリア伝送にすべきである。
従来技術に開示されている広帯域のＡｃｋ／Ｎａｃｋ専用チャネルにて送信されるＡｃｋ／Ｎａｃｋ、または／かつ、ＣＱＩとＳ−ＲＡＣＨにて送信されるＳＲをそのまま用いた場合は、移動端末がそれぞれの情報を同時に送信する必要が発生する場合が考えられる。
そのため、この本実施の形態６では、Ａｃｋ／Ｎａｃｋ、または／かつ、ＣＱＩとＳＲを、ある一つの時間―周波数領域が独占的に割り当てられたＡｃｋ／Ｎａｃｋ専用チャネル、もしくはＳ−ＲＡＣＨのどちらか一つのチャネルで多重することを提示する。【０１４６】
その多重方法について以下に説明する。上りスケジューリング要求信号ＳＲ、Ａｃｋ／Ｎａｃｋ、ＣＱＩをともに、図２３に示すようなある一つの時間―周波数領域が独占的に割り当てられたＡｃｋ／Ｎａｃｋ専用チャネル、もしくは図２５に示すようなＳ−ＲＡＣＨのどちらか一方で送信する方法を説明する。
Ａｃｋ／Ｎａｃｋ専用チャネルとＳ−ＲＡＣＨは、どちらも、時間的にはサブフレーム単位、周波数的には１リソースユニット単位もしくはそれ以上の領域が割り当てられているため、どちらのチャネルでも本発明が適用可能となる。【０１４７】
この実施の形態６では、Ａｃｋ／Ｎａｃｋ、または／かつ、ＣＱＩと上りスケジューリング要求信号ＳＲを同時に送信する必要が生じた場合、Ａｃｋ／Ｎａｃｋ、または／かつ、ＣＱＩと上りスケジューリング要求信号ＳＲをともにＳ−ＲＡＣＨで送信する場合について示す。言い換えれば、下りデータを受信しＡｃｋ／Ｎａｃｋ、または／かつ、ＣＱＩを送信する必要がある移動端末であっても、上りスケジューリング要求信号ＳＲ送信を行っている期間は、Ａｃｋ／Ｎａｃｋ専用チャネルを用いないことを意味する。さらに、上りスケジューリング要求信号ＳＲの送信を行っている期間は、ＣＱＩの送信、あるいはＡｃｋ／Ｎａｃｋ送信及びＣＱＩをＳ−ＲＡＣＨを用いて送信し、Ａｃｋ／Ｎａｃｋ専用チャネルを用いないようにしても良い。【０１４８】
図１８は、上りスケジューリング要求信号を送信するまでの移動端末における処理を説明するフローチャートである。以下、図１８を用いて移動端末の動作を説明する。なお、図１８において、図６と同一のステップは同一または相当のステップを示すので説明は省略する。
ＳＴ６０１からＳＴ６０３は図６と同様のステップである。ＳＴ６０２において下りデータ受信中であった場合、ＳＴ１８０１が実行される。ＳＴ１８０１において、移動端末は上りスケジューリング要求信号ＳＲとＡｃｋ／Ｎａｃｋ、ＣＱＩをＳ−ＲＡＣＨ上にマッピングして基地局に対して送信する。移動体通信システムとしての処理は、図５２と同様であるため、説明を省略する。【０１４９】
次にＳ−ＲＡＣＨ上のマッピング方法について以下に説明する。
第一のマッピング方法としては、Ｓ−ＲＡＣＨ上にプレアンブルとメッセージ、Ａｃｋ／Ｎａｃｋ、ＣＱＩをマッピングする。図１９は、Ｓ−ＲＡＣＨ上にプレアンブルとメッセージ、Ａｃｋ／Ｎａｃｋ、ＣＱＩをマッピングした無線リソースを示す説明図である。
第二のマッピング方法としては、Ｓ−ＲＡＣＨ上にプレアンブル、Ａｃｋ／Ｎａｃｋ、ＣＱＩをマッピングする。上りスケジューリング要求信号ＳＲに必要なメッセージ情報は、次のＳ−ＲＡＣＨ送信タイミングにて送信するか、あるいは、基地局により割り当てられた上りリソースにより送信する。【０１５０】
図２０は、Ｓ−ＲＡＣＨ上にプレアンブルとメッセージ、Ａｃｋ／Ｎａｃｋ、ＣＱＩをマッピングした無線リソースを示す説明図である。
第三のマッピング方法としては、従来通り、Ｓ−ＲＡＣＨ上にプレアンブル、メッセージをマッピングするものである。上りリンクの時間同期が取れている状態で送信されるＳ−ＲＡＣＨ上のメッセージ内にＡｃｋ／Ｎａｃｋ、ＣＱＩを新たに追加する。図２１は、Ｓ−ＲＡＣＨ上にプレアンブルとメッセージ、Ａｃｋ／Ｎａｃｋ、ＣＱＩをマッピングした無線リソースを示す説明図である。【０１５１】
上記説明のとおり、Ａｃｋ／Ｎａｃｋ専用チャネルではなくＳ−ＲＡＣＨに上りスケジューリング要求信号ＳＲとＡｃｋ／Ｎａｃｋ情報シンボル（Ａｃｋ／Ｎａｃｋ、ＣＱＩ）を時間的に分離してマッピングすることにより、時間的に分離して送信するために同時に送信することにはならない。よって、一つの移動端末で同時に複数の送信すべき「データ付随なしのＬ１／Ｌ２制御信号」が発生した場合にも、これらの重要な制御信号の通信品質を確保しつつ、システムの無線リソース負荷の増加を防ぐことができ、低いＰＡＲＲと、高い通信品質を保証するシングルキャリア方式での送信を実現できる。【０１５２】
更に分離した狭帯域の複数の時間-周波数領域にてＡｃｋ／Ｎａｃｋ、ＣＱＩを送信する場合と比較して、図２３に示すようなある一つの時間―周波数領域が独占的に割り当てられたＡｃｋ／Ｎａｃｋ専用チャネル、もしくは図２５に示すようなＳ−ＲＡＣＨのどちらか一方でＡｃｋ／Ｎａｃｋ、ＣＱＩを送信する本実施の形態の方法の場合、帯域幅が大きくなる。
よって、独占的に割り当てた無線リソースにより送信可能な情報量が増えることになる。よって、通信路の環境に応じて、Ａｃｋ／Ｎａｃｋ、ＣＱＩの繰り返しパターン（回数など）を変更できるという効果を得ることが出来る。繰り返しパターンを通信路の環境に応じて基地局からの指示により変更することで、Ａｃｋ／Ｎａｃｋ、ＣＱＩの受信品質を通信路の環境によらず一定に保つことが可能となる。【０１５３】
実施の形態７．
移動端末が基地局と同期しており、かつ上りデータ（Ｕｐｌｉｎｋ  ｄａｔａ、ＵＬ  ｄａｔａ）送信も、下りデータ（Ｄｏｗｎｌｉｎｋ  ｄａｔａ、ＤＬ  ｄａｔａ）受信も行なっていない場合、下りデータに対するＡｃｋ／Ｎａｃｋを上りで送信する必要もないため、Ａｃｋ／Ｎａｃｋ専用チャネルが存在しない。このような場合において、上り送信要求が発生した場合、上りスケジューリング要求信号ＳＲを、Ｓ−ＲＡＣＨ用の無線リソースを使うことなく、「サウンディングリファレンスシグナル」（サウンディング  リファレンス  シグナル、Ｓｏｕｎｄｉｎｇ  Ｒｅｆｅｒｅｎｃｅ  Ｓｉｇｎａｌ（ＲＳ））と呼ばれる上りの通信品質測定用の信号を利用して送信する方法について説明する。
この方法であれば、Ｓ−ＲＡＣＨ用にリザーブされた無線リソースを開放できるだけでなく、Ｓｏｕｎｄｉｎｇ  ＲＳの送信では、他の移動端末と共通の無線リソース領域を使うため、リソースの効果的な利用ができる。更に、１つのサウンディングリファレンス信号（Ｓｏｕｎｄｉｎｇ  ＲＳ）という信号に、送信開始するチャネルの通信品質測定用と上りスケジュール要求信号ＳＲという２つの機能を持たせることができる。【０１５４】
Ｓｏｕｎｄｉｎｇ  ＲＳは、基地局が上りの通信品質を測定するために移動端末ＵＥから基地局ｅＮＢに送信される信号である。３ＧＰＰでは現在、上りにおけるリファレンス信号（Ｒｅｆｅｒｅｎｃｅ  ｓｉｇｎａｌ）として、復調目的のリファレンス信号（Ｄｅｍｏｄｕｒａｔｉｏｎ  ＲＳ）と、上りチャネルの品質測定目的のリファレンス信号（Ｓｏｕｎｄｉｎｇ  ＲＳ）の２種類の信号仕様について、議論されている。
非特許文献３では現在複数の提案が併記されている状態であり、まだ仕様決定されていない。
この実施の形態７では、上りデータの送信中のみサウンディングリファレンス信号（Ｓｏｕｎｄｉｎｇ  ＲＳ）を送信する場合について考える。【０１５５】
この実施の形態７における、上りデータ送信中のＳｏｕｎｄｉｎｇ  ＲＳの無線リソース割当ての一部を示したものが、図３５の（ａ）、（ｂ）である。
まず、図３５（ａ）は、サウンディングＲＳを１つの時間-周波数領域の全帯域幅で２ＴＴＩ内の２つのショートブロック（ＳＢ）に割当てた例を示している。図３５（ａ）では、１つの時間−周波数領域の一部を２つの移動端末（ＵＥ１、ＵＥ２）が利用した場合の無線リソース割当て方法が示されている。
図において、５０１は移動端末ＵＥ１のデータシンボル、５０２は移動端末ＵＥ１、ＵＥ２、及び、この時間-周波数領域を利用する全ての移動端末共通で利用するＳｏｕｎｄｉｎｇ  ＲＳ、５０３は移動端末ＵＥ１の復調（Ｄｅｍｏｄｕｒａｔｉｏｎ）用ｒｅｆｅｒｅｎｃｅ  ｓｉｇｎａｌ、５０４は、移動端末ＵＥ２のデータシンボル、５０５は移動端末ＵＥ２の復調（Ｄｅｍｏｄｕｒａｔｉｏｎ）用ｒｅｆｅｒｅｎｃｅ  ｓｉｇｎａｌである。これらの中で、Ｓｏｕｎｄｉｎｇ  ＲＳ５０２領域として、１つの時間−周波数領域の全帯域幅でのＳＢが、２ＴＴＩ内で２つ割当てられている。【０１５６】
同様に、Ｓｏｕｎｄｉｎｇ  ＲＳを１つの時間−周波数領域の全帯域幅で、２ＴＴＩ内の２つのロングブロック（ＬＢ）に割当てた例を示したものが図３５（ｂ）である。図３５（ｂ）では、１つの時間−周波数領域の一部を、３つの移動端末（ＵＥ１、ＵＥ２、ＵＥ３）が利用する場合の無線リソース割当て方法が示されている。図において、５０６は移動端末ＵＥ１のデータシンボル、５０７は移動端末ＵＥ１の復調用ｒｅｆｅｒｅｎｃｅ  ｓｉｇｎａｌ、５０８はＵＥ２のデータシンボル、５０９は移動端末ＵＥ２の復調用ｒｅｆｅｒｅｎｃｅ  ｓｉｇｎａｌ、５１１は移動端末ＵＥ３のデータシンボル、５１２は移動端末ＵＥ３の復調用ｒｅｆｅｒｅｎｃｅ  ｓｉｇｎａｌである。そして、５１０は、移動端末ＵＥ１〜３及び、この時間−周波数領域を利用する全ての移動端末共通で利用するＳｏｕｎｄｉｎｇ  ＲＳであり、前述したように、Ｓｏｕｎｄｉｎｇ  ＲＳ用の無線リソースには、１つの時間-周波数領域の全帯域幅でのＬＢが２ＴＴＩ内に２つ用意されている。【０１５７】
図３５（ａ）、（ｂ）のいずれの場合においても、Ｓｏｕｎｄｉｎｇ  ＲＳは、ＵＥ毎にコード多重される。Ｓｏｕｎｄｉｎｇ  ＲＳは広い帯域の無線リソースを複数の端末で共有して使えるので、基地局が周波数フェージングの状況を測定でき、適切な上りスケジューリングが可能となる。また、それぞれの移動端末での信号をコード多重しているため、基地局側では、各移動端末別に精度のよい品質測定が可能となる。【０１５８】
移動局が基地局と同期していて、かつ、上りデータ送信がない状態から、送信要求が発生する場合として、実施の形態３で記述したように、下りデータを受信し、その下り受信データに対するＡｃｋ／Ｎａｃｋ、ＣＱＩを上りで送信するためにＡＣＫ／Ｎａｃｋ専用チャネルが割当てられている場合と割当てられていない場合が考えられる。それぞれの場合における、上りスケジューリング要求信号ＳＲの送信方法を示したものが、図３７のフローチャートである。【０１５９】
まず、上りデータ送信要求の発生が確認されたら（ＳＴ５２０１）、下り受信データに対するＡｃｋ／Ｎａｃｋを送信するＡｃｋ／Ｎａｃｋ専用チャネルが上りで割当てられているかどうかを確認する（ＳＴ５２０２）。Ａｃｋ／Ｎａｃｋ専用チャネルが上りで割当てられている場合は、Ａｃｋ／Ｎａｃｋ専用チャネルにて、Ａｃｋ／Ｎａｃｋ、ＣＱＩと共に上りスケジューリング要求信号ＳＲを送信する（ＳＴ５２０４）。この場合の処理は、実施の形態３で説明したものと同じである。一方、ＳＴ５２０２にて、Ａｃｋ／Ｎａｃｋ専用チャネルが上りで割当てられていなかった場合は、上りスケジューリング要求信号ＳＲを兼ねた上り品質測定用のＳｏｕｎｄｉｎｇ  ＲＳ（Ｓｏｕｎｄｉｎｇ  Ｒｅｆｅｒｅｎｃｅ  ｓｉｇｎａｌ）を基地局に送信する（ＳＴ５２０３）。【０１６０】
下りデータを受信していない場合にもＡｃｋ／Ｎａｃｋ専用チャネルが移動端末に割当てられるような移動体通信システムの場合が考えられる。具体的には、下りデータが存在しない場合にも将来の下りスケジューリングのために、あるいは基地局と移動端末間の同期を保つために、移動端末から下り通信路の品質の測定結果（ＣＱＩ）を通知する場合が考えられる。そのような場合においては、上記の通りＳＴ５２０２の判断が適していると考える。
一方、下りデータが存在する時のみＡＣＫ／Ｎａｃｋ専用チャネルが移動端末に割当てられるような移動体通信システムの場合が考えられる。そのような場合においては、ＳＴ５２０２の判断において、下りデータの受信をしているか否かを判断しても良い。【０１６１】
図３７のＳＴ５２０２の分岐で「Ｎｏ」となる条件、即ち、ＡＣＫ／Ｎａｃｋ専用チャネルの割当てがない状態で、上り送信要求が発生した場合の具体的なシーケンス例について説明したものが図３６である。
本実施の形態としては移動端末と基地局間が同期していることを前提としている。よって本実施の形態の前に何らかの方法で同期がとられる必要がある。その方法の一例として図３６では、移動端末から基地局に対して非同期ランダムアクセス信号（Ｎｏｎ−Ｓｙｎｃｈｒｏｎｏｕｓ  Ｒｒａｎｄｏｍ  Ａｃｃｅｓｓ）を送信した場合を示している。【０１６２】
基地局ｅＮｏｄｅＢは、ＳＴ５１０１で、移動端末ＵＥから同期要求を受信し、要求をしてきた移動端末を特定すると共に、この移動端末との同期を取り、移動端末がＡｃｔｉｖｅ状態になったことを確認する。更に、次のＳＴ５１０２において、基地局は、同期確立を移動端末に通知すると共に、上り、下りの通信路の設定に必要な制御情報で、かつ、他のＵＥと共通に設定されるなどの理由で設定値がほぼ固定（ｓｅｍｉ−ｓｔａｔｉｃ）となるＬ１／Ｌ２制御情報を、併せて移動局に通知する。
上りスケジューリング要求信号ＳＲを上りの通信品質測定用のサウンディングＲＳを利用して送信する場合は，上りデータの送信がない場合に「上りスケジューリングリクエストを兼ねたＳｏｕｎｄｉｎｇ  ＲＳ」を送信する必要があるために，同期確立の通知と共に，Ｓｏｕｎｄｉｎｇ ＲＳ関連の制御情報を通知する。上りの品質測定用のＳｏｕｎｄｉｎｇ  ＲＳも、他ＵＥと共有した無線リソースを利用するものであるため、Ｓｏｕｎｄｉｎｇ  ＲＳを制御するＬ１／Ｌ２制御情報の中でも、この移動端末に割当てられ、コード多重に利用される移動端末識別情報（シーケンス番号、ＵＥ−ＩＤ）や、Ｓｏｕｎｄｉｎｇ  ＲＳ送信用に割当てられる予定の無線リソースの周波数帯域幅（ＢＷ）などは、ＳＴ５１０２において、基地局ｅＮｏｄｅＢから移動端末ＵＥに通知することで上りデータが送信されていない場合にもＳｏｕｎｄｉｎｇ  ＲＳの送信が可能となる。
Ｓｏｕｎｄｉｎｇ  ＲＳを上りスケジューリング要求信号ＳＲの通知に利用せずに、上りデータの送信中にのみＳｏｕｎｄｉｎｇ  ＲＳを送信する場合には、同期確立の通知と共にではなく、例えば上りデータのリソース割当て時（ＳＴ５１０４）にＳｏｕｎｄｉｎｇ  ＲＳ関連の制御情報（シーケンス番号、ＢＷなど）を通知すれば足りる点において異なる。また、上記にて同期確立の通知と共にというのは、時間的に同時である必要なない。【０１６３】
移動端末において、上り送信データ要求が発生した場合、移動端末ＵＥはＳＴ５１０２にて基地局より受信した上りのＳｏｕｎｄｉｎｇ  ＲＳ用のＵＥのシーケンス番号やＳｏｕｎｄｉｎｇ  ＲＳ送信用に割当てられる予定の周波数帯域などの制御情報に従って、Ｓｏｕｎｄｉｎｇ  ＲＳを送信することにより、特定の移動端末ＵＥで上りのスケジューリングリクエストが有ることを基地局に通知する（ＳＴ５１０３）。このようなＳｏｕｎｄｉｎｇ  ＲＳを「上りスケジューリングリクエストを兼ねたＳｏｕｎｄｉｎｇ  ＲＳ」と呼ぶ。各移動端末のＳｏｕｎｄｉｎｇ  ＲＳは、ＳＴ５１０２で受信した移動端末ＵＥ用のシーケンス番号で発生したＣＡＺＡＣシーケンスコードで多重され、基地局から通知された周波数帯域、タイミングで送信される。【０１６４】
基地局側は、この移動端末が使用した無線リソースの時間−周波数領域にあるＳｏｕｎｄｉｎｇ  ＲＳを受信して相関を取ることにより、該移動端末のＳｏｕｎｄｉｎｇ  ＲＳの受信を検出することができる。受信検出によって、基地局は、上りデータを送信していない移動端末からＳｏｕｎｄｉｎｇ  ＲＳを検出した場合、これを上りスケジューリング要求信号ＳＲであると判断することができる（ＳＴ５１０３）。なぜならば、この実施の形態７では、上りデータ送信中のみＳｏｕｎｄｉｎｇ  ＲＳが送信されることが前提だからである。
上記ではＳｏｕｎｄｉｎｇ  ＲＳ内の移動端末の識別方法についてはＣＡＺＡＣシーケンスコードを用いることについて示したが別の方法でも良い。【０１６５】
基地局は、移動端末から受信したＳｏｕｎｄｉｎｇ  ＲＳをスケジューリング要求信号ＳＲであると判断すると、「Ｕｐｌｉｎｋ  Ｄａｔａ  Ｒｅｓｏｕｒｃｅ  Ａｌｌｏｃａｔｉｏｎ」メッセージで上りデータ送信に必要な無線リソース割当てなどの制御情報を通知する（ＳＴ５１０４）。移動端末は、基地局から受信した無線リソースを用いて、上りデータの送信を開始する（ＳＴ５１０５）。
ＳＴ５１０２にて基地局ｅＮｏｄｅＢ側からＢＷを通知される際の基地局内フローチャートを示したものが図３９である。
まず、基地局ｅＮｏｄｅＢ側から通知される時の指示フローを、図３９に沿って説明する。【０１６６】
ＳＴ５４０１において、基地局は移動端末ＵＥと同期が取れているかをチェックし、同期が取れていなければ、Ｎｏｎ−Ｓｙｎｃ  ＲＡＣＨで同期要求があるまで、待つ（ＳＴ５４０２）。同期要求を受信すると、基地局は、図３６のＳＴ５１０２で説明したように、移動端末との同期を確立し（ＳＴ５４０３）し、ｓｅｍｉ−ｓｔａｔｉｃにＳｏｕｎｄｉｎｇ  ＲＳ用のＬ１／Ｌ２制御情報を移動端末ＵＥに送信する（ＳＴ５４０４）。このＬ１／Ｌ２制御情報の中には、上りＳｏｕｎｄｉｎｇ  ＲＳ用にＵＥの識別情報（シーケンス番号、ＵＥ−ＩＤ）や、上りＳｏｕｎｄｉｎｇ  ＲＳのＢＷなどが含まれている。
ＳＴ５４０１でのＵＥとの同期チェックにおいて、同期が取れている場合は、ＳＴ５４０５で下りデータを受信中かどうかを確認し、下りデータを受信しているのであれば、ｄｙｎａｍｉｃにＳｏｕｎｄｉｎｇ  ＲＳ用のＬ１／Ｌ２制御情報を移動端末ＵＥに通知し、周波数帯域幅（ＢＷ）を動的に変更する（ＳＴ５４０６）。【０１６７】
図３９のフローチャートでは、ｓｅｍｉ−ｓｔａｔｉｃ、ｄｙｎａｍｉｃ双方のＬ１／Ｌ２制御情報により、上りＳｏｕｎｄｉｎｇ  ＲＳのＢＷを基地局から通知するようにしているが、実際は、ｓｅｍｉ−ｓｔａｔｉｃ  Ｌ１／Ｌ２制御情報とｄｙｎａｍｉｃ  Ｌ１／Ｌ２制御情報のどちらか１種類だけで通知される場合もあり得る。【０１６８】
移動端末における上りスケジューリング要求信号ＳＲを兼ねた上りＳｏｕｎｄｉｎｇ  ＲＳの再送方法であるが、この実施の形態７では、移動端末側で所定の時間のタイマーを設定し、タイマー時間内に基地局からＳＴ５１０４で「Ｕｐｌｉｎｋ  Ｄａｔａ  Ｒｅｓｏｕｒｃｅ  Ａｌｌｏｃａｔｉｏｎ」メッセージを受信できなかった場合、上りＳｏｕｎｄｉｎｇ  ＲＳを再送するという方法と、ＳＴ５１０４で「Ｕｐｌｉｎｋ  Ｄａｔａ  Ｒｅｓｏｕｒｃｅ  Ａｌｌｏｃａｔｉｏｎ」メッセージを受信するまで、連続して上りＳｏｕｎｄｉｎｇ  ＲＳを送信し続けるという２つの方法がある。これについては、実施の形態３の説明図２８〜３０と図３１〜３３で既に詳細の説明をしているため、ここでの説明を省略する。【０１６９】
ＳＴ５１０３で上りスケジューリング要求信号ＳＲを兼ねたＳｏｕｎｄｉｎｇ  ＲＳを送信する際、当然ながら、それは、上りの通信品質測定用（通常）のＳｏｕｎｄｉｎｇ  ＲＳで使用する筈のＳＢもしくはＬＢを使用し、その周波数帯と帯域幅（ＢＷ：Ｂａｎｄ  Ｗｉｄｔｈ）は、通常のＳｏｕｎｄｉｎｇ  ＲＳと同じに合わせる必要がある。なぜなら、Ｓｏｕｎｄｉｎｇ  ＲＳは、同じ時間-周波数領域を使用するよう割当てられた複数の移動端末で同じＳＢ（又はＬＢ）領域を、コード多重して利用しているので、１つの移動端末が、Ｓｏｕｎｄｉｎｇ  ＲＳ用に他の移動端末と共有で使っている周波数帯域の区切れ目を変えたり、他のブロック（ＬＢ、ＳＢ）を使用したりすれば、他の移動端末のデータやＲｅｆｅｒｅｎｃｅ  ｓｉｇｎａｌをつぶすことになるからである。よって、例えば、上りの通信品質測定用（通常）のＳｏｕｎｄｉｎｇ  ＲＳが基地局の帯域幅全部であった場合は、上りスケジューリング要求ＳＲを兼ねたＳｏｕｎｄｉｎｇ  ＲＳも、同じ帯域幅となり、基地局が上りの通信品質測定用（通常）のＳｏｕｎｄｉｎｇ  ＲＳのＢＷ（周波数帯域）を複数設定していた場合は、自移動端末と同じ時間-周波数領域を無線リソースとして割当てられた他の移動端末と同じＢＷを使用する。【０１７０】
移動端末に使用する上りスケジューリング要求ＳＲを兼ねたＳｏｕｎｄｉｎｇ  ＲＳ用のＢＷは、基地局ｅＮｏｄｅＢ側が判断して選択する場合と、移動端末ＵＥが自分で判断して選択する場合とがある。
基地局ｅＮｏｄｅＢ側がＢＷを選択する場合の判断方法を示したフローチャートが図４０、移動端末側でＢＷを選択する場合の判断方法のフローを示したものが図４１である。【０１７１】
次に、基地局ｅＮｏｄｅＢ側で上りＳｏｕｎｄｉｎｇ  ＲＳのＢＷを選択する場合の処理フローについて説明する。この選択フローは、図３９に示すフローチャートのＳＴ５４０４にて、ＵＥに通知されるセミ・スタティック（ｓｅｍｉ−ｓｔａｔｉｃ）のＬ１／Ｌ２制御情報や、ＳＴ５４０６にてＵＥに通知されるダイナミック（ｄｙｎａｍｉｃ）のＬ１／Ｌ２制御情報の中にあるＢＷを決定する方法である。
図４０は、基地局ｅＮｏｄｅＢ側で上りＳｏｕｎｄｉｎｇ  ＲＳの周波数帯域幅（Ｂａｎｄ  Ｗｉｄｔｈ：ＢＷ）を選択する場合の処理フローを示したものである。【０１７２】
まず、図中のＳＴ５５０１において、上りＳｏｕｎｄｉｎｇ  ＲＳを送信するＢＷが複数存在するかどうかを確認し、１つだけであれば、他の全ての移動端末ＵＥの上りＳｏｕｎｄｉｎｇ  ＲＳのＢＷと同じＢＷとする（ＳＴ５５０２）。一方、上りＳｏｕｎｄｉｎｇ  ＲＳを送信するＢＷが複数である場合は、同じＢＷで上りスケジューリング要求信号ＳＲを兼ねたＳｏｕｎｄｉｎｇ  ＲＳを送信するＵＥの数が適切であるか（ＳＴ５５０４）、そのＢＷがセルエッジでＵＥに割当て可能な周波数であるか（ＳＴ５５０５）、下りＣＱＩ（チャネル品質、下り通信路品質）の報告結果が良好なＢＷであるか（ＳＴ５５０６）をチェックし、これらの条件に適合するまで、ＢＷを変えながら探す（ＳＴ５５０７）。そして、ＳＴ５５０４〜ＳＴ５５０６の条件に適合したＢＷを上りＳｏｕｎｄｉｎｇ  ＲＳ用のＢＷとして決定する（ＳＴ５５０８）。【０１７３】
上記のＢＷ選択をＵＥ側で行なった場合の処理フローを示したものが図４１である。ＵＥによる上りＳｏｕｎｄｉｎｇ  ＲＳのＢＷ選択は、図３９のフローチャートで言えば、ＳＴ５４０５の下りデータを受信している時に、下りのｄｙｎａｍｉｃ  Ｌ１／Ｌ２制御情報で通知されるＢＷに反映される。まず、ＢＣＨなどのチャネルで、上りＳｏｕｎｄｉｎｇ  ＲＳのＢＷ数を基地局から受信する（ＳＴ５６０１）。上りＳｏｕｎｄｉｎｇ  ＲＳのＢＷが複数あるかどうかを確認し（ＳＴ５６０２）、ＢＷが１つであれば、他のすべてのＵＥの上りＳｏｕｎｄｉｎｇ  ＲＳのＢＷと同じＢＷを選択する（ＳＴ５６０３）。もし、ＢＷが複数であれば、ＳＴ５６０５の「下りのＣＱＩの品質が良好である」条件をクリアできるＢＷを順番に選択しながら探して、ＢＷを決定し（ＳＴ５６０７）、その結果を基地局に通知する。【０１７４】
このような選択方法を用いることにより、同じＢＷで送信するＵＥの数をコントロールして、基地局の総受信電力の増加を防ぐことができる。また、上りの周波数としてセルエッジのＵＥが割当て可能な周波数をあらかじめ設定することが出来、実際に知りたい周波数帯域の上り通信路品質を得ることが出来る。更に、下りＣＱＩから、上りの良好なＢＷを予想して選択することにより、その移動端末ＵＥにとって最も安定した無線リソースで上り通信路品質を得ることができる。
上記で説明した、移動端末が使用する上りスケジューリング要求ＳＲを兼ねたＳｏｕｎｄｉｎｇ  ＲＳ用のＢＷの決定方法（上りスケジューリング要求ＳＲをＳｏｕｎｄｉｎｇ  ＲＳを用いて通知する場合のＳｏｕｎｄｉｎｇ  ＲＳ用のＢＷの決定方法）については、実施の形態８、実施の形態９、実施の形態１０でも用いることが出来る。【０１７５】
図３６のシーケンス内のＳＴ５１０３における、基地局及び移動端末による無線リソースの具体的な割当て方法について説明する。
図３８は、基地局が上りの通信品質測定用（通常）のＳｏｕｎｄｉｎｇ  ＲＳのＢＷを複数設定していた場合における無線リソースの割当て方法、及び、送信要求が発生した後の移動端末ＵＥ１の無線リソース割当て経緯を示した図である。図３８では基地局の管理する無線リソースはそれぞれの帯域幅がＢＷ＃１、ＢＷ＃２、ＢＷ＃３となる３つの時間-周波数領域に分けられている。ＢＷ＃１の時間−周波数領域には、移動端末ＵＥ１を含むＵＥ群Ａが割当てられ、同様にＢＷ＃２の領域にはＵＥ群Ｂ、ＢＷ＃３の領域にはＵＥ群Ｃが割当てられる。図において、５３１はＵＥ群Ａのデータ領域、５３２はＵＥ群Ａのサウンディング（Ｓｏｕｎｄｉｎｇ  ＲＳ）領域、５３３はＵＥ群Ａの復調（Ｄｅｍｏｄｕｒａｔｉｏｎ）用ＲＳ領域、５３４はＵＥ群Ｂのデータ領域、５３５はＵＥ群Ｂのサウンディング（Ｓｏｕｎｄｉｎｇ）  ＲＳ領域、５３６はＵＥ群Ｂの復調（Ｄｅｍｏｄｕｒａｔｉｏｎ）用ＲＳ領域である。この図では、Ｓｏｕｎｄｉｎｇ  ＲＳ領域は、図３５（ａ）の例と同様に２ＴＴＩ内で二つのＳＢに配置されており、その帯域幅は、それぞれのＵＥ群用に設定された時間-周波数領域の帯域幅（ＢＷ＃１、ＢＷ＃２、ＢＷ＃３）と同じとなっている。また、それぞれのＵＥ群領域内のデータ領域やＤｅｍｏｄｕｒａｔｉｏｎ用ＲＳ領域は、それぞれのＵＥ群内の複数のＵＥ用に分割されている。【０１７６】
例えば、図３８の無線リソース割当て条件下で、ＵＥ群Ａに含まれるＵＥ１がＴＴＩ＃1のサブフレーム（１）で上りスケジューリング要求信号ＳＲを送信したい場合を図３８（ｂ）に示す。５３７はＵＥ１のスケジューリング要求信号ＳＲを兼ねるサウンディング（Ｓｏｕｎｄｉｎｇ）ＲＳ領域、５３８はＵＥ１のデータ送信開始後の送信データ領域、５３９はＵＥ１の復調（Ｄｅｍｏｄｕｒａｔｉｏｎ）用ＲＳ領域、５４０はＵＥ１の上りの通信品質測定用（通常）のサウンディング（Ｓｏｕｎｄｉｎｇ）ＲＳ領域である。ＵＥ１は、ＵＥ群ＡのＳｏｕｎｄｉｎｇ  ＲＳとして割当てられるＳＢ１（５３７）でスケジューリング要求ＳＲを兼ねたＳｏｕｎｄｉｎｇ  ＲＳを送信する。ＵＥ１のスケジューリング要求信号ＳＲを兼ねたＳｏｕｎｄｉｎｇ  ＲＳに使用するＳＢ５３７のＢＷは、ＵＥ群ＡのＳｏｕｎｄｉｎｇ  ＲＳのＢＷ＃１と同じである。サブフレーム（１）では、ＵＥ１で上りデータ送信を行なっていないため、この時点でＵＥ１が使用する領域は、ＳＢ１のみとなる。つまり、サブフレーム（１）のＳＢ１以外のＬＢ（ＬＢ１、ＬＢ２、ＬＢ３、ＬＢ４、ＬＢ５）、ＳＢ（ＳＢ２）でのＵＥ１からの送信はない。その後、基地局にて上りスケジューリング処理が行われる。【０１７７】
ここでは、３ＴＴＩを経過する間に、基地局からＵＥ１に、上りデータ送信用の無線リソース割当てが通知され、ＵＥ１が、サブフレーム（７）より上りデータ送信を開始する。ここからは、ＬＢ１〜６にＵＥ１用のデータ５３８、ＴＴＩ＃４のＳＢ１及び、ＴＴＩ＃５のＳＢ２にはＵＥ１の上りの通信品質測定用（通常）の上りＳｏｕｎｄｉｎｇ  ＲＳ５４０、残りのＳＢには復調用のＲＳが割当てられる。図にあるように、ＵＥ１のスケジューリングリクエストＳＲを兼ねた上りＳｏｕｎｄｉｎｇ  ＲＳ及び、上りの通信品質測定用（通常）の上りＳｏｕｎｄｉｎｇ  ＲＳの領域のＢＷはＵＥ群Ａの帯域幅ＢＷ＃１と同じであり、この領域と全く同一のタイミングの同一の領域を、ＵＥ群Ａ内のデータ送信状態にある全ての移動端末ＵＥが、上りＳｏｕｎｄｉｎｇ  ＲＳの送信用に割当てている。一方、ＵＥ１のデータ領域やＤｅｍｏｄｕｒａｔｉｏｎ  ＲＳ用に割当てられた領域の帯域幅はＢＷ＃１より小さく、他のＵＥとは区別された領域を使用している。【０１７８】
このように、上りスケジューリング要求信号ＳＲを兼ねた上りＳｏｕｎｄｉｎｇ  ＲＳの送信は、同じＢＷを割当てられた送信中の他のＵＥ（複数あり）の上りＳｏｕｎｄｉｎｇ  ＲＳの送信タイミングと合わせる必要がある。【０１７９】
図４２は、更に詳しくＵＥ群Ａに割当てられた時間-周波数領域内で、複数のＵＥが、同タイミングにおいて、どのようにそれぞれに割当てられた無線リソースを使用しているかを示したものである。図４２では、図３８と異なり、上りＳｏｕｎｄｉｎｇ  ＲＳ用の領域は、図３５（ｂ）と同じく、２ＴＴＩ内に２つのＬＢ（１サブフレーム目のＬＢ１と２サブフレーム目のＬＢ６）に配置している。図において、５７１はＵＥ群ＡのＳｏｕｎｄｉｎｇ  ＲＳ領域、５７２はＵＥ群ＡのＤｅｍｏｄｕｒａｔｉｏｎ用ＲＳ領域、５７３はＵＥ群Ａのデータ領域、５７４はＵＥ群ＢのＳｏｕｎｄｉｎｇ  ＲＳ領域、５７５はＵＥ群ＢのＤｅｍｏｄｕｒａｔｉｏｎ用ＲＳ領域、５７６はＵＥ群Ｂのデータ領域、５７７は送信開始時におけるＵＥ１のスケジューリング要求信号ＳＲを兼ねるＳｏｕｎｄｉｎｇ  ＲＳ領域であり、かつ、送信中におけるＵＥ２のＳｏｕｎｄｉｎｇ  ＲＳ領域、５７８はＵＥ２のＤｅｍｏｄｕｒａｔｉｏｎ  ＲＳ領域、５７９はＵＥ２のデータ領域、５８０はＵＥ１とＵＥ２の通常のＳｏｕｎｄｉｎｇ  ＲＳ領域、５８１はＵＥ１のＤｅｍｏｄｕｒａｔｉｏｎ用ＲＳ領域、５８２は送信中におけるＵＥ１のデータ領域である。【０１８０】
同じＵＥ群Ａ内の二つの移動端末ＵＥ１とＵＥ２は、あるタイミングで、それぞれＵＥ１は上り送信をこれから開始しようとし、ＵＥ２は既に上りデータを送信中であったとする。ＵＥ群Ａの全ての移動端末が、上り送信時に使用する上りＳｏｕｎｄｉｎｇ  ＲＳ領域に割当てられた５７７のＬＢ１は、ＵＥ１では、上り送信開始時に移動端末から基地局に通知される上りスケジューリング要求信号ＳＲの意味を兼ねた、上りＳｏｕｎｄｉｎｇ  ＲＳの送信に使用され、ＵＥ２では、通常の基地局での品質測定に使われる、上りＳｏｕｎｄｉｎｇ  ＲＳの送信に使用される。図の通り、これらの二つのＵＥは、全く同タイミングで全く同じ帯域幅（＝ＢＷ＃１）の同じブロック（ＬＢ）で異なる意味合いを持つ上りＳｏｕｎｄｉｎｇ  ＲＳを送信している。【０１８１】
基地局では、このＬＢ１を受信した際、それぞれのＵＥのシーケンス番号にて発生されたコードで復調を行い、ＵＥ１、ＵＥ２からの上りＳｏｕｎｄｉｎｇ  ＲＳを受信する。そして、これまで上りデータ信号を受信しなかったＵＥ１のＳｏｕｎｄｉｎｇ  ＲＳ信号については、基地局側でのＵＥ１の上り品質測定に利用すると共に、これをＵＥ１の送信開始通知（上りスケジューリング要求信号ＳＲ）と判定する。一方、これまで、定期的に上りデータ信号を受信してきたＵＥ２のＳｏｕｎｄｉｎｇ  ＲＳ信号は、基地局におけるＵＥ２の上り品質測定に利用される。【０１８２】
ＵＥ１、ＵＥ２の送信中に割当てられるデータ用領域やＤｅｍｏｄｕｒａｔｉｏｎ  ＲＳ用の領域は、上りＳｏｕｎｄｉｎｇ  ＲＳ用と異なり、図４２にあるように、それぞれ分離した領域に割当てられる。【０１８３】
更に、上りＳｏｕｎｄｉｎｇ  ＲＳを送信できる時間-周波数領域の設定を、図３８や図４２で説明したように、どのＵＥ群も同じに設定せず、ＵＥ群毎に別の時間-周波数領域に設定する方法もある。図４３（ａ）（ｂ）は、ＵＥ群毎に、上りＳｏｕｎｄｉｎｇ  ＲＳを割当てられる領域を、リソースユニット（ＲＵ）単位で時間・周波数をずらして設定する例を示したものである。図４３（ａ）はＳｏｕｎｄｉｎｇ  ＲＳのＢＷが基地局の帯域幅全部であった場合、その時間-周波数領域内で、ＵＥ群別に上りＳｏｕｎｄｉｎｇ  ＲＳを送信できる領域が異なるよう割当てられた例を示したものである。図では、２ＴＴＩ区間の長さで、１ＴＴＩずつずらしながら、４つのＵＥ群に対しＳｏｕｎｄｉｎｇ  ＲＳを送信できる区間を割当てる例を示している。具体的に言うと、４つのＵＥ群のうち、チーム１のＵＥはＴＴＩ（１）（２）の区間Ａ、チーム２のＵＥはＴＴＩ（２）（３）の区間Ｂ、チーム３のＵＥはＴＴＩ（３）（４）の区間Ｃ、チーム４のＵＥはＴＴＩ（４）（５）の区間Ｄにおいて、上りＳｏｕｎｄｉｎｇ  ＲＳを送信する。この割当ては、この例に限らない。【０１８４】
また、上りＳｏｕｎｄｉｎｇ  ＲＳの領域割当てが、この実施の形態７で説明したように２ＴＴＩ内で２つのブロックに割当てられるようにするとは限らず、毎ＴＴＩかもしれないし、３サブフレーム以上に渡って所定の固定数割当てられることもあり得る。また、ＵＥ群毎の上りＳｏｕｎｄｉｎｇ  ＲＳを送信できる区間設定も、１ＴＴＩ単位でずらす必要は無く、ネットワークの負荷を低くし、上り品質測定の精度を維持できるのに十分な頻度に合わせた設定であればよい。この方法であれば、それぞれのＵＥチームにより上りサウンディングＲＳを送信できる区間が異なってくるので、基地局側で同時に受信するＵＥの数を減らすことができる。
さらには、基地局の総送信電力配分の最適化が行なえる。【０１８５】
図４３（ｂ）は上りＳｏｕｎｄｉｎｇ  ＲＳのＢＷが複数設定されている場合において、それぞれの時間-周波数領域内で、ＵＥ群別に上りＳｏｕｎｄｉｎｇ  ＲＳを送信できる区間が異なるよう割当てられた例を示したものである。この方法であれば、図４３（ａ）と比べ、それぞれのＵＥチームにより、上り送信を行なう周波数帯域も、上りＳｏｕｎｄｉｎｇ  ＲＳを送信できる区間も異なってくるので、基地局側で受信時に同じ帯域で同時に受信するＵＥの数を減らすことができ、基地局無線部の受信負荷を下げることが出来る。更には、基地局の総送信電力配分の最適化が行なえる。【０１８６】
この実施の形態７で説明した上りＳｏｕｎｄｉｎｇ  ＲＳのＢＷ設定や無線リソースの割当て方法は、上りデータ送信データがない時に、Ｓｏｕｎｄｉｎｇ  ＲＳを上りスケジューリング要求信号ＳＲ以外の目的で送る場合にも適用できる。また、この実施の形態７で説明した上りＳｏｕｎｄｉｎｇ  ＲＳのＢＷ設定や無線リソースの割当て方法は、実施の形態８、実施の形態９、実施の形態１０にも適用できる。【０１８７】
上りスケジューリング要求信号ＳＲを兼ねるＳｏｕｎｄｉｎｇ  ＲＳを送信する時の送信電力は、その信号の重要性から考えて、通常の上りＳｏｕｎｄｉｎｇ  ＲＳを送信する時と同程度以上にする必要がある。例えば、上りスケジューリング要求信号ＳＲを兼ねるＳｏｕｎｄｉｎｇ  ＲＳの送信電力を、下記のような所定の式で求める方法もある。
【数１】
2008050467.tif 000003
上記のように、送信電力をそれぞれの所望の電力対雑音比に応じて設定する等、上りスケジューリング要求信号ＳＲを兼ねるＳｏｕｎｄｉｎｇ  ＲＳを送信する時の送信電力を、通常の上りＳｏｕｎｄｉｎｇ  ＲＳを送信する時と同程度以上にすることで、基地局での上りスケジューリング要求信号の誤受信を減らすことが可能となる。
上記のように、上りスケジューリング要求信号ＳＲを兼ねるＳｏｕｎｄｉｎｇ  ＲＳの送信電力の設定方法は、実施の形態８、実施の形態９、実施の形態１０でも適用できる。【０１８８】
以上のように、基地局と同期が取れていて、かつ、上りにてデータ送信がなく、Ａｃｋ／Ｎａｃｋ専用チャネルの割当てがない場合において、上り送信要求が発生した時、上りスケジューリング要求信号ＳＲを上りの品質測定用のＳｏｕｎｄｉｎｇ  ＲＳを利用して送信することにより、Ｓ−ＲＡＣＨを用いる時よりも広い周波数帯域を利用できるので、周波数フェージングに強い送信を実現できる。「上りスケジューリング要求信号ＳＲを兼ねたサウンディングＲＳ」にて、上りスケジューリング要求信号ＳＲの送信と、基地局での上り通信路品質測定を兼ねることができるため、スケジューリング要求信号ＳＲと別に上り品質測定用のサウンディングＲＳを送信する必要がなくなる。また、広い周波数帯域を用いるので、その後の上りスケジューリングにおいて、上りの通信品質を反映しやすい。更に、Ｓ−ＲＡＣＨの無線リソースを解放することが出来、移動端末と基地局間の上りスケジューリングシーケンスにおける複雑さを軽減することができる。【０１８９】
実施の形態８．
移動端末が、基地局と同期しており、基地局から送信された下りデータ（Ｄｏｗｎｌｉｎｋ  ｄａｔａ、ＤＬ  ｄａｔａ）を受信していない、もしくは下りデータの受信結果であるＡｃｋ／Ｎａｃｋ信号またはＣＱＩ信号を基地局に送信するためのＡｃｋ／Ｎａｃｋ専用チャネルの割当てがなされておらず、移動端末がユーザデータ等の上りデータ（Ｕｐｌｉｎｋ  ｄａｔａ、ＵＬ  ｄａｔａ）送信を行っていない場合であっても、移動端末は基地局との上り同期を維持するため、ある時間間隔でサウンディング用のリファレンス信号（上り通信路品質測定用リファレンス信号）を基地局に送信している場合がある。図５３に移動端末がある時間間隔（ｎＴＴＩ）にてサウンディング用のリファレンス信号７９０１を送信している場合を示している。一方、移動端末に上りデータ送信の必要が生じた場合には上りスケジューリング要求信号ＳＲを別途基地局に送信する必要がある。【０１９０】
よって、上りスケジューリング要求信号ＳＲとサウンディング用のリファレンス信号を同時に送信する場合が生じてしまう。時間的に同時に送信されるとシングルキャリア伝送とはならずマルチキャリア伝送となってしまう。無相関の信号が時間的に同時に送信される場合、送信信号の時間波形のピークが高くなるため、ＰＡＰＲが高くなってしまう。ＰＡＰＲが高くなると、移動端末の消費電力が増大し、さらにはセルカバレッジが狭くなってしまうという問題が生じる。さらには、ＰＡＰＲが高くなることにより、ほかの移動端末やシステムへの妨害波となってしまうという問題も生じる。このような問題を避けるために、サウンディング用のリファレンス信号と上りスケジューリング要求信号ＳＲの送信タイミングをずらすなどの方策が考えられるが、基地局かつ／または移動端末でのスケジューリング制御が複雑になってしまう。
この実施の形態８では、前記課題を解決するため、サウンディング用のリファレンス信号を、上りスケジューリング要求信号ＳＲを兼ねた信号にする方法について説明する。【０１９１】
上記実施の形態７においては、移動端末は、上りデータの送信を行っていない場合、サウンディング用のリファレンス信号を送信していない状態におけるスケジューリングリクエストの送信方法について開示している。その場合、基地局は、サウンディング用のリファレンス信号を受信したらスケジューリングリクエストが有るとして判断する。従って、基地局は、サウンディング用リファレンス信号が上りスケジューリング要求機能を備えるのか、かつ／または、スケジューリングが有りか無しかを判別する必要は無かった。
しかし、サウンディング用のリファレンス信号をある時間間隔で送信している場合に、サウンディング用のリファレンス信号を上りスケジューリング要求信号ＳＲと兼ねた信号にする場合、基地局は、受信した該信号が、サウンディング用か上りスケジューリング用かを判別する必要が生じる、かつ／または、スケジューリングの有無を判別する必要が生じるという新たな課題が生じる。この課題を解決するため、この実施の形態８では、サウンディング用のパイロットパターンを２種類用意しておき、該パイロットパターン２種類を上りスケジューリング要求の有無に対応させ、上りスケジューリング要求の有無に応じて該パイロットパターンのどちらか一方を送信するという方法を開示する（図８０を参照）。【０１９２】
図４６に移動端末がサウンディング用リファレンス信号を送る場合のサウンディング用パイロットの割当ておよび移動端末固有のコードの割り当て方を示している。７２０１はサウンディング用パイロット、７２０２は移動端末固有のコードである。移動端末がサウンディング用リファレンス信号を送信する場合、移動端末のエンコーダ部もしくは変調部において、サウンディング用パイロットに移動端末固有のコードを乗算して、サウンディング用リファレンス信号を生成する。
サウンディング用リファレンス信号は変調処理が行われ、ベースバンド信号に変換された後、無線周波数に変換される。その後、アンテナから基地局にサウンディング用リファレンス信号が送信される。該移動端末固有のコードは、基地局において、複数の移動端末からのサウンディング用リファレンス信号を受信した場合に、どの移動端末からのサウンディング用リファレンス信号かを特定可能とするために用いる。
該コードは直交性を有するコード、もしくは、パイロットパターンに該コードを乗じた結果が直交性を有するようなコードであった方がよい。【０１９３】
また、該コードは、拡散符号であってもよいし、スクランブル符号であっても良い。サウンディングリファレンス信号がアロケーションされる時間-周波数領域は、あらかじめ決められているか、または、基地局によって通知される。周波数領域はいろいろな帯域を取りうる。また、時間領域は、毎ＴＴＩに１回でも良いし、複数のＴＴＩに１回でも良い。基地局で受信したサウンディング用リファレンス信号は移動端末固有のコードにより相関演算が行われ、演算結果がある閾値以上になったコードで、移動端末が特定される。基地局はサウンディング用リファレンス信号を用いて特定された該移動端末との上りチャネルの同期をとりなおす。また、該信号を用いて、上り通信路品質を測定する場合もある。【０１９４】
サウンディング用のリファレンス信号に、上りスケジューリング要求信号ＳＲの機能を併せ持たせるための一つの実施例を開示する。図４４に上りスケジューリング要求信号ＳＲの機能を兼ね備えたサウンディング用リファレンス信号の生成方法を示している。７００１はサウンディング用パイロットパターン１、７００２はサウンディング用パイロットパターン２、７００３は２種類のパターンを切替えるスイッチ、７００４はスイッチを制御する制御部、７００５は移動端末固有のコードである。該サウンディング用パイロット１および２は１シンボルであっても良いし、複数シンボルであっても良い。
該コードは直交性を有するコード、もしくは、パイロットパターンに該コードを乗じた結果が直交性を有するようなコードであった方がよい。また、該コードは、拡散符号であってもよいし、スクランブル符号であっても良い。ただし、スクランブル符号とする場合は、該サウンディング用パイロット１および２は複数シンボルが好ましい。
サウンディング用パイロットパターンとして、上りスケジューリングリクエストの有無に対応して２種類のパターンを用意しておく。図の表中に示すように、上りスケジューリングリクエストが無い場合はパターン１を、上りスケジューリングリクエストがある場合にはパターン２をあらかじめ割り当てておく。【０１９５】
図４５は移動端末と基地局間のシーケンス図を示している。移動端末はある時間間隔でサウンディング用のリファレンス信号を送信している。サウンディングリファレンス信号がアロケーションされる時間-周波数領域は、あらかじめ決められているか、または、基地局によって通知される。移動端末はＳＴ７１０１で上りデータ送信要求が発生するかどうかを判断する。上りデータ送信要求発生が無い場合は、スケジューリングリクエストを送信しないので、ＳＴ７１０２が実行される。ＳＴ７１０２では、制御部７００４はスイッチ７００３をサウンディング用パイロットパターン１が選択されるように切替える。【０１９６】
上りデータ送信要求発生が有る場合は、上りスケジューリングリクエストを送信するので、ＳＴ７１０３が実行される。ＳＴ７１０３では、制御部７００４はスイッチ７００３をサウンディング用パイロットパターン２が選択されるように切替える。ＳＴ７１０４において、それぞれの場合のサウンディング用パイロットパターンに、移動端末固有のコード７００５を乗算してサウンディング用リファレンス信号を生成する。ＳＴ７１０５において、サウンディング用リファレンス信号は、変調処理、ベースバンド信号変換、無線周波数変換が行われ、サウンディング用リファレンス信号に割り当てられた時間-周波数領域でアンテナから基地局に送信される。ＳＴ７１０６において、基地局でサウンディング用リファレンス信号を受信する。ＳＴ７１０７において、該サウンディング用リファレンス信号と移動端末固有のコードによる相関演算が行われ、演算結果がある閾値以上になった場合、移動端末が特定される。【０１９７】
次に、ＳＴ７１０８において基地局はサウンディング用パイロットがパターン１かパターン２かを判定する。判定結果がパターン１の場合、ＳＴ７１０９で上りスケジューリングは無いものとして処理を行う。判定結果がパターン２の場合、ＳＴ７１１０で上りスケジューリングが有る場合の処理を行うこととなる。
ＳＴ７１０７にて相関演算結果がある閾値未満の場合、該移動端末以外の移動端末からのサウンディング用リファレンス信号として処理を終了する。
基地局でサウンディング用パイロットがパターン１かパターン２かを判定可能とする２種類のサウンディング用パイロットパターンの１例として、パイロットパターン１とパイロットパターン２に逆の符号（あるシンボルが“１”の場合は“０”）を割り当てる。こうすることで、ＳＴ７１０８において基地局はサウンディング用パイロットがパイロット１かパイロット２かを判定する場合に、相関演算において正か負かで判断できるようにすることが可能となる。
なお、基地局はサウンディング用パイロットパターン１または２を用いて、特定された該移動端末との上りチャネルの同期をとりなおすことも可能である。【０１９８】
以上のような構成にすることによって、移動端末で、上りスケジューリング要求信号ＳＲとサウンディング用のリファレンス信号を同時に送信する場合に生じるＰＡＰＲの増大を解決することができる。
さらには、スケジューリングリクエスト用にＳ−ＲＡＣＨの領域を確保する必要がなくなるため、時間−周波数リソースの無駄を無くす事ができる。
さらには、サウンディング用のリファレンス信号と上りスケジューリング要求信号ＳＲの送信タイミングをずらすなどを行わずに済むため、基地局かつ／または移動端末でのスケジューリング制御が複雑になることを回避する事が可能となる。
さらには、以上のような上りサウンディング用リファレンス信号と上りスケジューリング要求信号ＳＲを兼ねた構成の信号にすることによって、基地局で該信号を受信した場合、該信号が、上りスケジューリングリクエストの有無を判別可能となる。
さらには、割当てる移動端末固有のコードが１種類で済むため、多くのコードリソースが確保でき、基地局で同時に受信可能な移動端末の数を増やすことが可能となる。
さらには、Ｓ−ＲＡＣＨあるいはＡｃｋ／Ｎａｃｋ専用チャネルを用いる時より広い周波数帯域を利用できるので、周波数フェージングに強い送信を実現することができる。【０１９９】
以下、変形例を説明する。
第１の変形例としては、サウンディング用パイロットの一部のシンボルをスケジューリングリクエスト用のシンボルとする。図４７にサウンディング用パイロットの一部をスケジューリングリクエスト用のシンボルにしたパイロットパターンを示している。
スケジューリングリクエストが無い場合はスケジューリング要求用のシンボルに１を割り当て、スケジューリングリクエストがある場合はスケジューリング要求用のシンボルに０を割り当てる。【０２００】
図４８のシーケンス図に沿って説明する。移動端末はＳＴ７４０１で上りデータ送信要求が発生するかどうかを判断する。上りデータ送信要求発生が無い場合は、スケジューリングリクエストを送信しないので、ＳＴ７４０２が実行される。ＳＴ７４０２では、スケジューリングリクエスト用シンボルに１を入れる。上りデータ送信要求発生が有る場合は、上りスケジューリングリクエストを送信するので、ＳＴ７４０３が実行される。ＳＴ７４０３では、スケジューリングリクエスト用シンボルに０を入れる。ＳＴ７４０４において、それぞれの場合のサウンディング用パイロットパターンに、移動端末固有のコードＡを乗算してサウンディング用リファレンス信号を生成する。【０２０１】
ＳＴ７４０５において、サウンディング用リファレンス信号は、変調処理、ベースバンド信号変換、無線周波数変換が行われ、サウンディング用リファレンス信号に割り当てられた時間-周波数領域でアンテナから基地局に送信される。ＳＴ７４０６において、基地局でサウンディング用リファレンス信号を受信する。ＳＴ７４０７において、該サウンディング用リファレンス信号と移動端末固有のコードＡによる相関演算が行われ、演算結果がある閾値以上になった場合、移動端末が特定される。次に、ＳＴ７４０８において基地局はスケジューリングリクエスト用シンボルが１か０かを判定する。判定結果が１の場合、ＳＴ７４０９において上りスケジューリングは無いものとして処理を行う。判定結果が０の場合、ＳＴ７４１０において上りスケジューリングが有る場合の処理を行うこととなる。【０２０２】
なお、スケジューリングリクエスト用とするシンボルは１シンボルであっても良いし、複数シンボルであってもよい。複数シンボルにすることで、基地局での合成電力が増加し誤り率が低減するという効果が生じる。【０２０３】
また、サウンディング用シンボル数に応じた移動端末固有のコードを乗算し、スケジューリングリクエスト用シンボル数に応じた他の移動端末固有コードを乗算し、それらを時間的に多重してもよい。これにより、移動端末固有のコードとしてスクランブリングコードを用いる事ができる。さらには、基地局においてサウンディング用リファレンス信号の部分のみで相関演算を行う事が可能となるため同期精度、またはチャネルコンディション（上り通信路品質）評価精度が向上する効果がある。また、サウンディング用シンボル数とスケジューリングリクエスト用シンボル数が同じ場合は、両者に同じ移動端末固有のコードを乗算する事ができる。これにより、コードリソースの有効活用がはかれるという効果がある。【０２０４】
第２の変形例としては、移動端末固有のコードを２種類用意して、上りスケジューリングリクエストの有無に応じた移動端末固有のコードをサウンディング用パイロットに乗じる。
図４９にサウンディング用リファレンス信号の生成例を示している。７５０１はサウンディング用パイロット、７５０３は一つの移動端末固有のコードＡ、７５０４は別の一つの移動端末固有のコードＢ、７５０２はサウンディング用パイロットに乗じるコードを選択するためのスイッチ、７５０５はスイッチ７５０２でスケジューリングリクエストの有無に応じたコード（７５０３、７５０４）を選択するための信号を送信する制御部である。図中の表に示すように、移動端末固有のコードは、上りスケジューリングリクエストが無い場合はコードＡ、上りスケジューリングリクエストが有る場合はコードＢが割当てられる。【０２０５】
次に動作について図５０のシーケンス図に沿って説明する。移動端末はＳＴ７６０１で上りデータ送信要求が発生するかどうかを判断する。上りデータ送信要求発生が無い場合は、スケジューリングリクエストを送信しないので、ＳＴ７６０２が実行される。ＳＴ７６０２では、制御部７５０５からの制御信号によりスイッチ７５０２でコードＡを乗算するように選択される。これによって、サウンディング用パイロットにコードＡ７５０３が乗算される。上りデータ送信要求発生が有る場合は、スケジューリングリクエストを送信するので、ＳＴ７６０３が実行される。ＳＴ７６０３では、制御部７５０５からの制御信号によりスイッチ７５０２でコードＢ７５０４を乗算するように選択される。これによって、サウンディング用パイロットにコードＢが乗算される。【０２０６】
ＳＴ７６０４において、サウンディング用リファレンス信号は、変調処理、ベースバンド信号変換、無線周波数変換が行われ、サウンディング用リファレンス信号に割り当てられた時間-周波数領域でアンテナから基地局に送信される。ＳＴ７６０５において、基地局でサウンディング用リファレンス信号を受信する。ＳＴ７６０６において、該サウンディング用リファレンス信号とまずはコードＡによる相関演算が行われ、演算結果がある閾値以上になった場合は移動端末が特定されるが、スケジューリングリクエスト無しとして処理される。演算結果がある閾値未満の場合は、ＳＴ７６０８において、該サウンディング用リファレンス信号とコードＢによる相関演算が行われる。相関演算結果がある閾値以上になった場合は移動端末が特定され、さらにスケジューリングリクエスト有りとして処理される。
ＳＴ７６０６にてコードＡとの相関演算結果がある閾値未満、かつ、ＳＴ７６０８にてコードＢとの相関演算結果がある閾値未満であった場合は、該移動端末以外のサウンディング用リファレンス信号として終了する。【０２０７】
上記のように構成することで、サウンディング用のパイロットパターンを２通り持つ必要が無くなる利点や、さらには、スケジューリングリクエストの有無の判断にも直交コードを用いる事になるので、相関演算において正負の判断を行う必要が無くなるという効果が得られる。さらには、スケジューリングリクエストの有無の判断にも直交コードを用いる事になるので、判定精度、さらには同期精度、さらにはチャネルコンディション評価精度が向上するという効果がある。【０２０８】
第３の変形例としては、スケジューリングリクエストの有無識別用コードを１種類用意して、上りスケジューリングリクエストの有無に応じて該コードを乗ずるか否かの制御を行う方法である。
図５１にサウンディング用リファレンス信号の生成例を示している。７７０１はサウンディング用パイロット、７７０３はスケジューリングリクエストの有無識別用コードａ、７７０２はサウンディングパイロットにコードａを乗じるか否かを選択するスイッチ、７７０５はスイッチ７７０２でコードａを乗じるか否かの信号を送信する制御部、７７０４は移動端末固有のコードである。図中の表に示すように、上りスケジューリングリクエストが無い場合、スケジューリングリクエスト有無識別コードは割当てられず、上りスケジューリングリクエストが有る場合はコードａが割当てられる。【０２０９】
次に動作について図５２のシーケンス図に沿って説明する。移動端末はＳＴ７８０１で上りデータ送信要求が発生するかどうかを判断する。上りデータ送信要求発生が無い場合は、スケジューリングリクエストを送信しないので、制御部７７０５からの制御信号によりスイッチ７７０２がコードａを乗算しない方に選択され、ＳＴ７８０３が行われる。上りデータ送信要求発生が有る場合は、スケジューリングリクエストを送信するので、ＳＴ７８０２が実行される。ＳＴ７８０２では、制御部７７０５からの制御信号によりスイッチ７７０２でコードａ７７０３を乗算するように選択される。これによって、スケジューリングリクエスト有無識別用コードａが乗算される。ＳＴ７８０３では、移動端末固有のコードＡが乗算される。【０２１０】
ＳＴ７８０４において、サウンディング用リファレンス信号は、変調処理、ベースバンド信号変換、無線周波数変換が行われ、サウンディング用リファレンス信号に割り当てられた時間-周波数領域でアンテナから基地局に送信される。ＳＴ７８０５において、基地局でサウンディング用リファレンス信号を受信する。ＳＴ７８０６において、該サウンディング用リファレンス信号と移動端末固有のコードＡによる相関演算が行われ、演算結果がある閾値以上になった場合、移動端末が特定される。
次に、ＳＴ７８０７において、該サウンディング用リファレンス信号とコードａによる相関演算が行われ、演算結果がある閾値以上になった場合、スケジューリングリクエストが有りとして処理される。演算結果がある閾値未満の場合は、スケジューリングリクエストが無しとして処理される。
スケジューリングリクエスト有無識別コードａと移動端末固有のコードＡはスクランブル符号でもよいし、拡散符号でもよい。【０２１１】
上記のように構成することで、スケジューリングリクエストの有無の判断にも直交コードを用いる事が可能になるので、相関演算において正負の判断を行う必要が無くなるという効果が得られる。さらには、スケジューリングリクエストの有無の判断にも直交コードを用いる事になるので、判定精度が向上するという効果がある。さらには、第２の変形例のように移動端末固有のコードが２倍必要となる事は無くなる効果が有る。【０２１２】
以上のように、この実施の形態８のような構成とすることによって、移動端末で、上りスケジューリング要求信号ＳＲとサウンディング用のリファレンス信号を同時に送信する場合に生じるＰＡＰＲの増大を防ぐことができる。
さらには、スケジューリングリクエスト用にＳ−ＲＡＣＨの領域をあらかじめ確保する必要がなくなるため、時間−周波数リソースの無駄を無くす事ができる。
さらには、サウンディング用のリファレンス信号と上りスケジューリング要求信号ＳＲの送信タイミングをずらすなどを行わずに済むため、基地局かつ／または移動端末でのスケジューリング制御が複雑になることを回避する事が可能となる。
さらには、以上のような上りサウンディング用リファレンス信号と上りスケジューリング要求信号ＳＲを兼ねた構成の信号にすることによって、基地局で該信号を受信した場合、該信号が、上りスケジューリングリクエストの有無を判別可能となる。
さらには、Ｓ−ＲＡＣＨあるいはＡｃｋ／Ｎａｃｋ専用チャネルを用いる時より広い周波数帯域を利用できるので、周波数フェージングに強い送信を実現することができる。【０２１３】
実施の形態９．
移動端末が、基地局から送信された下りデータ（Ｄｏｗｎｌｉｎｋ  ｄａｔａ、ＤＬ  ｄａｔａ）受信中、もしくは下りデータの受信結果であるＡｃｋ／Ｎａｃｋ信号かつ／またはＣＱＩ信号を基地局に送信するためのＡｃｋ／Ｎａｃｋ専用チャネルの割当てがなされている状態で、移動端末に上りデータ送信の必要が生じた場合には上りスケジューリング要求信号ＳＲを基地局に送信する必要がある。この場合、Ａｃｋ／Ｎａｃｋ信号かつ／またはＣＱＩ信号と上りスケジューリング要求信号ＳＲを同時に送信する場合が生じてしまう。時間的に同時に送信されるとシングルキャリア伝送とはならずマルチキャリア伝送となってしまう。無相関の信号が時間的に同時に送信される場合、送信信号の時間波形のピークが高くなるため、ＰＡＰＲが高くなってしまう。ＰＡＰＲが高くなると、移動端末の消費電力が増大し、さらにはセルカバレッジが狭くなってしまうという問題が生じる。
さらには、ＰＡＰＲが高くなることにより、ほかの移動端末やシステムへの妨害波となってしまうという問題も生じる。【０２１４】
このような問題を避けるために、実施の形態１、２では上りスケジューリング要求信号をＳ−ＲＡＣＨを用いて送信し、同じタイミングのＡｃｋ／Ｎａｃｋかつ／またはＣＱＩ信号をＤＴＸする方法を開示している。また、実施の形態３、４では上りスケジューリング要求信号をＡｃｋ／Ｎａｃｋ専用チャネルに入れて送信する方法を開示している。
この実施の形態９では、上りスケジューリング要求信号をサウンディングＲＳ用の領域で送信する方法について開示する。なお、この実施の形態９では、上りタイミング同期用に送信するある時間間隔のサウンディングＲＳがない場合について開示する。【０２１５】
サウンディングＲＳ用の領域に関しては実施の形態７にて既に説明している。実施の形態７ではＡｃｋ／Ｎａｃｋ専用チャネルの割当てがなされていない場合について開示したが、ここではＡｃｋ／Ｎａｃｋ専用チャネルの割当てがなされている場合について開示する。
図５５にＡｃｋ／Ｎａｃｋ専用チャネル領域のある場合の時間-周波数リソース図を示している。領域ＡおよびＢはＡｃｋ／Ｎａｃｋ専用チャネル領域である。該専用チャネル領域外の領域において、ここでは２ＴＴＩに１回、１番目のＬＢにサウンディングＲＳ用の領域を割当てる。
このサウンディングＲＳ用領域で、基地局傘下の移動端末は、サウンディング用のリファレンス信号を送信する。移動端末は一つまたは複数の群に分割されても良い。また、サウンディングリファレンスシンボル用の領域も一つまたは複数の領域に分割されてもよい。ある移動端末群のサウンディング用ＲＳの送信をある分割された領域で行ってもよい。【０２１６】
図６０にスケジューリング要求が発生した場合の移動端末の送信信号を示している。移動端末が基地局から送信された下りデータ（Ｄｏｗｎｌｉｎｋ  ｄａｔａ、ＤＬ  ｄａｔａ）受信中、もしくは下りデータの受信結果であるＡｃｋ／Ｎａｃｋ信号かつ／またはＣＱＩ信号を基地局に送信するためのＡｃｋ／Ｎａｃｋ専用チャネルの割当てがなされている状態で、移動端末に上りデータ送信の必要が生じ、上りスケジューリング要求信号ＳＲを基地局に送信する時に、該移動端末に割当てられたサウンディングＲＳ用領域において、上りスケジューリング要求信号を送信し、その他のＬＢもしくはＳＢではＡｃｋ／Ｎａｃｋ専用チャネルにおいてＡｃｋ／Ｎａｃｋ信号もしくはＣＱＩ信号もしくは復調用リファレンス信号を送信する。上りスケジューリング要求が無い場合は、上りスケジューリング要求信号を送信せず、Ａｃｋ／Ｎａｃｋ専用チャネルにおいてＡｃｋ／Ｎａｃｋ信号かつ／またはＣＱＩ信号を送信する。【０２１７】
図５９にサウンディングＲＳ用領域において上りスケジューリング要求信号を送信する場合の移動端末での送信シンボルマッピングを示している。２ＴＴＩの先頭のＬＢにサウンディング用のパイロットシンボルを挿入する。その他のＬＢにはＡｃｋ／ＮａｃｋもしくはＣＱＩシンボルを挿入する。サウンディング用のパイロットには、サウンディング用領域にて用いられる移動端末固有のコードａが乗算される。該コードａは、サウンディング用領域が複数の移動端末に共用されるため、基地局がどの移動端末からの送信があったかを特定するためのものである。サウンディング用領域にて用いられる移動端末固有のコードａが乗算されたサウンディング用シンボルはサウンディングＲＳ用の領域にマッピングされる。【０２１８】
Ａｃｋ／ＮａｃｋもしくはＣＱＩシンボルには移動端末固有のコードＡが乗算され、Ａｃｋ／Ｎａｃｋ専用チャネルにマッピングされる。該コードＡは実施の形態３でも述べたように、Ａｃｋ／Ｎａｃｋ専用チャネルでの移動端末を特定するためのものである。これら２種類の移動端末固有のコードはあらかじめ決められているか、もしくは基地局から通知される。
図６２はシーケンス図である。移動端末はＳＴ８９０１で上りデータ送信要求が発生するかどうかを判断する。上りデータ送信要求発生が無い場合は、スケジューリングリクエストを送信しないので、ＳＴ８９０４が実行される。ＳＴ８９０４では、２ＴＴＩ全てのＬＢにＡｃｋ／ＮａｃｋもしくはＣＱＩシンボルが入れられ、コードＡが乗算される。上りデータ送信要求の発生が有る場合は、上りスケジューリングリクエストを送信するので、ＳＴ８９０２、ＳＴ８９０３が実行される。【０２１９】
ＳＴ８９０２では２ＴＴＩの１番目のＬＢにサウンディング用パイロットを入れてコードaを乗算する。ＳＴ８９０３では、２番目以後のＬＢにＡｃｋ／Ｎａｃｋかつ／またはＣＱＩを入れてコードＡを乗算する。ＳＴ８９０５で、コードａが乗算されたサウンディング用パイロットはサウンディングＲＳ用領域へアロケーションされ、コードＡが乗算されたＡｃｋ／ＮａｃｋもしくはＣＱＩはＡｃｋ／Ｎａｃｋ専用チャネルへアロケーションされて、基地局に送信される。ＳＴ８９０６で信号を受信した基地局は、ＳＴ８９０７において、サウンディング用領域の信号をコードａを用いて相関演算を行い、その結果がある閾値以上になった場合、移動端末が特定され、さらに特定された該移動端末から上りスケジューリングリクエストが有ったと判定できる。【０２２０】
上りスケジューリングリクエストが有ると判断した基地局は、ＳＴ８９１０においてその処理が行われる。また、ＳＴ８９１１において２番目以後のＬＢ、ＳＢのＡｃｋ／Ｎａｃｋ専用チャネルの信号をコードＡで相関演算を行い、ＳＴ８９１２において、Ａｃｋ／ＮａｃｋもしくはＣＱＩの判定が行われる。ＳＴ８９０７においてコードａとの相関演算結果がある閾値より小さい場合はまだ移動端末の特定はできず、上りスケジューリングリクエストが無いとしての処理が行われる。その場合、ＳＴ８９０９において全てのＬＢ、ＳＢのＡｃｋ／Ｎａｃｋ専用チャネルの信号をコードＡで相関演算が行われ、相関演算結果がある閾値以上の場合、移動端末が特定される。移動端末が特定された後、ＳＴ８９１２においてＡｃｋ／ＮａｃｋもしくはＣＱＩの判定が行われる。【０２２１】
以上のように構成することによって、移動端末で、Ａｃｋ／Ｎａｃｋ信号またはＣＱＩ信号と上りスケジューリング要求信号ＳＲが同時に送信する場合が生じてしまうとき、ＰＡＰＲの増大を防ぐことができる。
さらには、スケジューリングリクエスト用にＳ−ＲＡＣＨの領域をあらかじめ確保する必要がなくなるため、時間-周波数リソースの無駄を無くす事ができる。
さらには、上りスケジューリング要求信号ＳＲをサウンディング用リファレンス信号を用いて送信することによって、基地局で該信号を受信した場合、該信号が、上りスケジューリングリクエストの有無を判別可能となる。
さらには、上りスケジューリング要求信号ＳＲをサウンディング用リファレンス信号を用いて送信するので、基地局において上りスケジューリングするための上りチャネル状況の評価が可能となる。【０２２２】
さらには、Ｓ−ＲＡＣＨあるいはＡｃｋ／Ｎａｃｋ専用チャネルを用いる時より広い周波数帯域を利用できるので、周波数フェージングに強い送信を実現することができる。
さらには、基地局が周波数フェージングの状況を測定可能となり、適切な上りスケジューリングが可能となる。
上記の実施の形態において、上りスケジューリング要求が無い場合に１番目のＬＢにＡｃｋ／ＮａｃｋもしくはＣＱＩシンボルを入れた。そのマッピング方法は、実施の形態２において開示した方法を適用してもよい。こうすることで、Ａｃｋ／ＮａｃｋもしくはＣＱＩの受信品質が向上する効果が得られる。
なお、上記実施の形態１のように、上りスケジューリング要求がある場合にも無い場合と同様に全てのＬＢ、ＳＢにＡｃｋ／ＮａｃｋもしくはＣＱＩシンボルを入れておき、上りスケジューリング要求がある場合のみ１番目のＬＢだけＤＴＸして、該ＬＢではサウンディングパイロットをサウンディング用ＲＳ領域で送信するようにしてもよい。これにより、シンボルの多重処理の複雑さを軽減することができる。【０２２３】
なお、上記の実施の形態ではＡｃｋ／Ｎａｃｋ専用チャネルでＡｃｋ／Ｎａｃｋかつ／またはＣＱＩ信号を送信する場合について開示したが、本実施の形態の方法は、たとえＡｃｋ／Ｎａｃｋ専用チャネルでＡｃｋ／ＮａｃｋもしくはＣＱＩ信号を送信しない場合にも適用可能である。例えば、スケジューリングリクエスト発生時には、サウンディング用領域で１番目のＬＢでサウンディング用ＲＳを送信し、その他は何も送信しないようにすればよい。
なお、上記の実施の形態では、上りスケジューリング要求がある場合にサウンディング用パイロットシンボルを１番目のＬＢに入れたが、サウンディング用ＲＳに割当てた領域に従って入れるＬＢもしくはＳＢを変更しても同様の効果が得られる。【０２２４】
以下、変形例を説明する。第１の変形例においては、サウンディングＲＳ用の領域を全帯域に割当てる。図５６にサウンディングＲＳ用の領域をシステム全帯域に割当てた場合の時間-周波数リソース図を示している。領域ＡおよびＢはＡｃｋ／Ｎａｃｋ専用チャネル領域である。ここでは２ＴＴＩに１回、１番目のＬＢはサウンディングＲＳ用の領域として割当てる。このサウンディングＲＳ用領域で、基地局傘下の移動端末は、サウンディング用のリファレンス信号を送信する。移動端末は一つまたは複数の群に分割されても良い。また、サウンディングリファレンスシグナル用の領域も一つまたは複数の領域に分割されてもよい。ある移動端末群のサウンディング用ＲＳの送信をある分割された領域で行ってもよい。【０２２５】
図６１にスケジューリング要求が発生した場合の移動端末の送信信号を示している。移動端末が基地局から送信された下りデータ（Ｄｏｗｎｌｉｎｋ  ｄａｔａ、ＤＬ  ｄａｔａ）受信中、もしくは下りデータの受信結果であるＡｃｋ／Ｎａｃｋ信号かつ／またはＣＱＩ信号を基地局に送信するためのＡｃｋ／Ｎａｃｋ専用チャネルの割当てがなされている状態で、移動端末に上りデータ送信の必要が生じ、上りスケジューリング要求信号ＳＲを基地局に送信する時に、該移動端末に割当てられたサウンディングＲＳ用領域において、上りスケジューリング要求信号を送信し、その他のＬＢもしくはＳＢではＡｃｋ／Ｎａｃｋ専用チャネルにおいてＡｃｋ／Ｎａｃｋ信号もしくはＣＱＩ信号もしくは復調用リファレンス信号を送信する。上りスケジューリング要求が無い場合は、上りスケジューリング要求信号を送信せず、さらにはＡｃｋ／Ｎａｃｋ専用チャネルにおいても２ＴＴＩに１回、１番目のＬＢにおいてＡｃｋ／Ｎａｃｋ信号もしくはＣＱＩ信号を送信しない。これは、システム全帯域をサウンディングＲＳ用の領域に割当てているため、基地局傘下の他のいくつかの移動端末がＡｃｋ／Ｎａｃｋ専用チャネルの該ＬＢでサウンディングＲＳを送信するため、該ＬＢにおいてＡｃｋ／Ｎａｃｋ信号もしくはＣＱＩ信号を送信してしまうと、基地局で判別が不可能となるためである。
移動端末での送信シンボルマッピングは、上りスケジューリング要求が有る場合は、図５９に示すマッピングのようにサウンディング用パイロットを挿入するが、上りスケジューリング要求が無い場合は、１番目のＬＢには何も入れない、もしくはダミーを入れておき、そのＬＢで送信をしないようにしておくとよい。【０２２６】
以上のような構成にすることによって、実施の形態９と同様の効果が得られるし、さらには、基地局においてさらに広帯域な上りチャネルコンディションの評価が可能となる。
さらには、基地局がＡｃｋ／Ｎａｃｋ専用チャネルのチャネルコンディションも評価可能となるため、Ａｃｋ／Ｎａｃｋ専用チャネルへの移動端末のＡｃｋ／Ｎａｃｋ信号もしくはＣＱＩ信号のスケジューリングを精度よく行えるという効果がある。
さらに、移動端末を一つまたは複数の群に分割し、かつ／または、サウンディングリファレンスシグナル用の領域も一つまたは複数の領域に分割することによって、移動端末固有に割当てられるコード資源の利用において効率化がはかれるという効果がある。【０２２７】
第２の変形例としては、サウンディングＲＳ用の領域を、Ａｃｋ／Ｎａｃｋ専用チャネルと同じ周波数帯域幅に分割し、分割した領域をある移動端末群に割当てる。
図５７は時間-周波数リソース図を示している。領域Ａ及びＢはＡｃｋ／Ｎａｃｋ専用チャネル領域である。ここでは２ＴＴＩに１回、１番目のＬＢはサウンディングＲＳ用の領域として割当てる。サウンディングＲＳ用の領域は、Ａｃｋ／Ｎａｃｋ専用チャネルと同じ周波数帯域幅に分割され、分割された領域をある移動端末群に割当てる。この分割されたサウンディングＲＳ用領域で、基地局傘下のある移動端末群は、サウンディング用のリファレンス信号を送信する。【０２２８】
ある移動端末が送信するサウンディングＲＳ用の領域をＡｃｋ／Ｎａｃｋ専用チャネルと同じ周波数帯域幅としているため、サウンディングパイロットシンボル用とＡｃｋ／Ｎａｃｋかつ／またはＣＱＩシンボル用とでコード長を同じにできる。そのため、移動端末固有のコードを、サウンディングパイロットシンボル用とＡｃｋ／ＮａｃｋもしくはＣＱＩシンボル用とで分ける必要が無くなる。つまり、拡散コードを一種類にできる。
従って、このような構成をとることにより、移動端末固有のコード量を削減でき、基地局から割当てられる移動端末数を増大させられる効果がある。【０２２９】
第３の変形例としては、Ａｃｋ／Ｎａｃｋ専用チャネルにもサウンディングＲＳ用の領域を設ける構成とする。
図５８は時間-周波数リソース図を示している。領域Ａ及びＢはＡｃｋ／Ｎａｃｋ専用チャネル領域である。Ａｃｋ／Ｎａｃｋ専用チャネル領域においても、ここでは２ＴＴＩに１回、１番目のＬＢはサウンディングＲＳ用の領域として割当てる。
Ａｃｋ／Ｎａｃｋ専用チャネル領域にサウンディングＲＳ用の領域を設けているので、移動端末固有のコードを、サウンディングパイロットシンボル用とＡｃｋ／ＮａｃｋもしくはＣＱＩシンボル用とで分ける必要が無くなる。つまり、拡散コードを乗じた後の周波数帯域が等しくなる。従って、このような構成をとることにより、移動端末固有のコード量を削減でき、基地局から割当てられる移動端末数を増大させられる効果がある。
さらには、信号送信時、時間−周波数リソースへの割当てもサウンディングパイロットシンボル用とＡｃｋ／Ｎａｃｋかつ／またはＣＱＩシンボル用とで分ける必要が無く、移動端末の制御が簡略化できる効果がある。【０２３０】
なお、実施の形態９はスケジューリングリクエスト信号を送信するのに、サウンディングリファレンス信号を利用するので、上記実施の形態７と組み合わせる事によって、移動端末にＡｃｋ／Ｎａｃｋ専用チャネルが割当てられているか否かにかかわらず、どちらの移動端末にも適用可能とすることができる。すなわち、移動端末にＡｃｋ／Ｎａｃｋ専用チャネルが割当てられていない場合は実施の形態７を適用し、移動端末にＡｃｋ／Ｎａｃｋ専用チャネルが割当てられた場合は実施の形態９を適用すればよい。【０２３１】
この実施の形態９では、移動端末が上りタイミング同期用に送信するある時間間隔のサウンディングＲＳがない場合について開示した。さらに、移動端末が上りタイミング同期用にある時間間隔のサウンディングＲＳを送信している場合にも、実施の形態９に実施の形態８を組み合わせることによって適用可能とすることができる。すなわち、実施の形態９では、サウンディングＲＳの送信が有った場合にスケジューリングリクエストが有ると基地局は認識するが、移動端末が上りタイミング同期用のサウンディングＲＳをもともと送信している場合には、もともとの上りタイミング同期用のサウンディングＲＳとスケジューリングリクエストとの判別ができなくなってしまう。この課題を解決するために、実施の形態８で開示した方法を用いればよい。
さらに、移動端末が上りタイミング同期用にある時間間隔のサウンディングＲＳを送信している場合にも、実施の形態７で開示した方法を組み合わせる事によって、移動端末にＡｃｋ／Ｎａｃｋ専用チャネルが割当てられているか否かにかかわらず、どちらの移動端末にも適用可能とすることができる。【０２３２】
実施の形態１０．
移動端末が上りタイミング同期用にある時間間隔のサウンディングＲＳを送信している、送信していないにかかわらず、サウンディングＲＳを利用して、上りスケジューリングリクエストを送信する方法を開示する。
サウンディングＲＳ用の時間−周波数領域を図４２もしくは図５５のように割当てる。図４２はＡｃｋ／Ｎａｃｋ専用チャネルのリソース割当てが無い場合、図５５はＡｃｋ／Ｎａｃｋ専用チャネルのリソース割当てが有る場合である。どちらの場合も移動端末からのサウンディングＲＳは、割当てられたサウンディングＲＳ用の領域で送信される。上りタイミング同期用サウンディングＲＳの送信間隔は、ｎＴＴＩ時間間隔（ｎ≧２）とする。【０２３３】
図６３は上りスケジューリング要求が発生した場合の移動端末の送信信号を示している。ここでは、上りタイミング同期用サウンディングＲＳの送信間隔は、１０ＴＴＩ時間間隔とする。移動端末に上りデータ送信の必要が発生した場合、上りスケジューリングリクエストを送信するタイミングが、ちょうど上りタイミング同期用のサウンディングＲＳの送信タイミングと同じになった場合、該同期用のサウンディングＲＳにスケジューリングリクエストの機能を兼ね備えた構成として送信する。
同期用のサウンディングＲＳにスケジューリングリクエストの機能を兼ね備えた構成とする方法は、上記実施の形態８で開示している方法とする。例えば、上りスケジューリングリクエストの有無に対応した２種類のサウンディングパイロットパターンを備える方法をとっても良い。移動端末に上りデータ送信の必要が発生した場合、上りスケジューリングリクエストを送信するタイミングが、上りタイミング同期用のサウンディングＲＳの送信タイミングと異なる場合は、上りスケジューリングリクエストとしてサウンディングＲＳを送信する。【０２３４】
図６４は移動端末と基地局間のシーケンス図を示している。移動端末はＳＴ９１０１で上りデータ送信要求が発生するかどうかを判断する。上りデータ送信要求発生がない場合は、ＳＴ９１０４が実行される。上りデータ送信要求発生がある場合は、ＳＴ９１０２で、上りスケジューリングリクエスト送信タイミングが上りタイミング同期用サウンディングＲＳ送信タイミングと同じかどうか判断する。もし同じである場合、ＳＴ９１０３が実行される。ＳＴ９１０３では、サウンディング用パイロットとしてパターン２が選択される。そしてＳＴ９１０５が実行される。ＳＴ９１０２で、上りスケジューリングリクエスト送信タイミングが上りタイミング同期用サウンディングＲＳ送信タイミングと違うと判断した場合、ＳＴ９１０４が実行される。ＳＴ９１０４ではサウンディングパイロットとしてパターン１が選択される。そしてＳＴ９１０５が実行される。ＳＴ９１０５では移動端末固有のコードＡが乗算される。ＳＴ９１０６でサウンディング用領域（ＲＢ）において送信信号が基地局に送信される。ＳＴ９１０７でサウンディング用領域（ＲＢ）で受信した基地局は、ＳＴ９１０８で受信信号が上りタイミング同期用のサウンディングＲＳのタイミングかどうかを判断する。【０２３５】
上りタイミング同期用のサウンディングＲＳのタイミングは基地局がスケジューリングしてあらかじめ移動端末に通知しているので、もしくは、あらかじめ決められているので、基地局は判断可能である。ＳＴ９１０８でタイミングが同じであればＳＴ９１１０が実行される。ＳＴ９１１０では受信信号にコードＡを用いて相関演算が行われる。その結果がある閾値以上であれば移動端末が特定される。そしてＳＴ９１１１が実行される。ＳＴ９１１１では、サウンディング用のパイロットがパターン１かパターン２かを判定する。判定方法は、実施の形態８に開示した方法としても良い。パターン１と判断した場合は、上りスケジューリングリクエストが無いとして処理される。ＳＴ９１１１でパターン２と判定した場合は、ＳＴ９１１２が実行される。ＳＴ９１０８で受信信号が上りタイミング同期用のサウンディングＲＳのタイミングと異なると判断された場合は、ＳＴ９１０９が実行される。ＳＴ９１０９ではコードＡを用いて相関演算が行われ、ある閾値以上であれば、移動端末が特定され、ＳＴ９１１２で上りスケジューリングリクエストがあるとして処理されることになる。【０２３６】
以上のような構成にすることによって、実施の形態８と同様の効果が得られるし、さらには、移動端末が上りタイミング同期用にある時間間隔のサウンディングＲＳを送信している、送信していないにかかわらずに、上りスケジューリングリクエストが送信可能となる効果が得られる。【０２３７】
以下、変形例を説明する。
第１の変形例においては、上りスケジューリングリクエストの送信タイミングが上りタイミング同期用のサウンディングＲＳ送信タイミングと重なった時、上りスケジューリングリクエストを送信するタイミングを２ＴＴＩだけ遅らせる。
図６５は上りスケジューリング要求が発生した場合の移動端末の送信信号を示している。ここでは、上りタイミング同期用サウンディングＲＳの送信間隔は、１０ＴＴＩ時間間隔とする。移動端末に上りデータ送信の要求が発生した場合、上りスケジューリングリクエストを送信するタイミングが、ちょうど上りタイミング同期用のサウンディングＲＳの送信タイミングと同じになった場合、スケジューリングリクエストの送信タイミングを２ＴＴＩ遅らせて送信する。上りスケジューリングリクエストを送信するタイミングが、ちょうど上りタイミング同期用のサウンディングＲＳの送信タイミングと異なる場合は、２ＴＴＩ遅らせることなく送信する。【０２３８】
図６６は移動端末と基地局間のシーケンス図を示している。移動端末はＳＴ９３０１で上りデータ送信要求が発生したかどうかを判断する。上りデータ送信要求発生がない場合は、ＳＴ９３０４が実行される。上りデータ送信要求発生が有る場合は、ＳＴ９３０２で、上りスケジューリングリクエスト送信タイミングが上りタイミング同期用サウンディングＲＳ送信タイミングと同じかどうか判断する。もし同じである場合、ＳＴ９３０３が実行される。ＳＴ９３０３では、スケジューリングリクエストの送信タイミングを２ＴＴＩ遅延させる処理が行われる。なお、この場合、上りタイミング同期用のサウンディングＲＳ信号については遅延させずに、送信する処理が行われる。ＳＴ９３０４では移動端末固有のコードＡが乗算される。ＳＴ９３０５で、送信信号がサウンディング用領域（ＲＢ）にて基地局に送信される。ＳＴ９３０６においてサウンディング用ＲＢで信号を受信した基地局は、ＳＴ９３０７を実行する。【０２３９】
ＳＴ９３０７では、受信信号が上りタイミング同期用のサウンディングＲＳのタイミングかどうか判断する。上りタイミング同期用のサウンディングＲＳのタイミングと判断した場合、ＳＴ９３０８において、コードＡを用いて相関演算が行われ、その結果がある閾値以上の場合、移動端末が特定され、ＳＴ９３０９が行われる。ＳＴ９３０９では、スケジューリングリクエストが無いとして処理される。すなわち、この場合は、通常どおりの上りタイミング同期用サウンディングＲＳとして処理される。ＳＴ９３０７で受信信号が上りタイミング同期用のサウンディングＲＳのタイミングと異なると判断した場合、ＳＴ９３１０でコードＡを用いて相関演算が行われ。相関演算の結果がある閾値以上で有る場合、移動端末が特定され、ＳＴ９３１１が実行される。ＳＴ９３１１では上りスケジューリングリクエストが有るとして処理されることになる。【０２４０】
以上のような構成にすることによって、実施の形態１０と同様の効果が得られるし、さらには、サウンディングパイロットパターンが１種類ですむという効果も得られる。それにより、基地局及び移動端末での処理が軽減されるという効果も得られる。例えば、実施の形態１０で、上りタイミング同期用サウンディングＲＳと上りスケジューリングリクエストを判別するために実施の形態８で開示した、２種類のコード（コードＡ、コードＢ）を用いる方法をとった場合と比べても、コード数が半分ですみ、移動端末固有のコードを割当てることができる移動端末の数が増大するという効果がある。
また、上記変形例では上りスケジューリングリクエストを送信するタイミングを２ＴＴＩ遅らせて送信することとしたが、上りタイミング同期用のサウンディングＲＳを送信していないタイミングであれば良い。これによって、移動端末の処理能力に応じた遅延時間でスケジューリングリクエストを送信することが可能となる。【０２４１】
なお、実施の形態１０および第１の変形例に、実施の形態９を組み合わせる事によって、Ａｃｋ／Ｎａｃｋ専用チャネルのリソース割当ての有無にかかわらず適用可能とすることができる。
【産業上の利用可能性】
【０２４２】
以上のように、この発明に係る通信システムは、一時的な物理チャネルの増加による無線リソース負荷の増加を防止する必要があるものに適している。
【図１】
2008050467.tif 000004
【図２】
2008050467.tif 000005
【図３】
2008050467.tif 000006
【図４】
2008050467.tif 000007
【図５】
2008050467.tif 000008
【図６】
2008050467.tif 000009
【図７】
2008050467.tif 000010
【図８】
2008050467.tif 000011
【図９】
2008050467.tif 000012
【図１０】
2008050467.tif 000013
【図１１】
2008050467.tif 000014
【図１２】
2008050467.tif 000015
【図１３】
2008050467.tif 000016
【図１４】
2008050467.tif 000017
【図１５】
2008050467.tif 000018
【図１６】
2008050467.tif 000019
【図１７】
2008050467.tif 000020
【図１８】
2008050467.tif 000021
【図１９】
2008050467.tif 000022
【図２０】
2008050467.tif 000023
【図２１】
2008050467.tif 000024
【図２２】
2008050467.tif 000025
【図２３】
2008050467.tif 000026
【図２４】
2008050467.tif 000027
【図２５】
2008050467.tif 000028
【図２６】
2008050467.tif 000029
【図２７】
2008050467.tif 000030
【図２８】
2008050467.tif 000031
【図２９】
2008050467.tif 000032
【図３０】
2008050467.tif 000033
【図３１】
2008050467.tif 000034
【図３２】
2008050467.tif 000035
【図３３】
2008050467.tif 000036
【図３４】
2008050467.tif 000037
【図３５】
2008050467.tif 000038
【図３６】
2008050467.tif 000039
【図３７】
2008050467.tif 000040
【図３８】
2008050467.tif 000041
【図３９】
2008050467.tif 000042
【図４０】
2008050467.tif 000043
【図４１】
2008050467.tif 000044
【図４２】
2008050467.tif 000045
【図４３】
2008050467.tif 000046
【図４４】
2008050467.tif 000047
【図４５】
2008050467.tif 000048
【図４６】
2008050467.tif 000049
【図４７】
2008050467.tif 000050
【図４８】
2008050467.tif 000051
【図４９】
2008050467.tif 000052
【図５０】
2008050467.tif 000053
【図５１】
2008050467.tif 000054
【図５２】
2008050467.tif 000055
【図５３】
2008050467.tif 000056
【図５４】
2008050467.tif 000057
【図５５】
2008050467.tif 000058
【図５６】
2008050467.tif 000059
【図５７】
2008050467.tif 000060
【図５８】
2008050467.tif 000061
【図５９】
2008050467.tif 000062
【図６０】
2008050467.tif 000063
【図６１】
2008050467.tif 000064
【図６２】
2008050467.tif 000065
【図６３】
2008050467.tif 000066
【図６４】
2008050467.tif 000067
【図６５】
2008050467.tif 000068
【図６６】
2008050467.tif 000069
【国際調査報告】
2008050467.tif 000070
2008050467.tif 000071
2008050467.tif 000072